(57)【要約】  可食材料を放出するためのシステムが開示される。システムは、各々の内部に可食材料を収容している複数のカプセルをそれぞれ受容するように適合された複数の区画と、少なくとも１つの可食材料から得られた流体を環境内に分配するように構成されたディスペンサシステムと、区画のうちの少なくとも２つの選択に関連するデータを受信するように、および選択された区画のカプセル内に収容されている可食材料から得られた流体を分配するようディスペンサシステムに信号を送るように構成された、制御装置と、を備える。
2018511349.tif 000002
【特許請求の範囲】
【請求項１】
可食材料を放出するためのシステムであって、
各々の内部に可食材料を収容している複数のカプセルをそれぞれ受容するように適合された複数の区画と、
少なくとも１つの可食材料から得られた流体を環境内に分配するように構成されたディスペンサシステムと、
前記区画のうちの少なくとも２つの選択に関連するデータを受信するように、および前記選択された区画のカプセル内に収容されている可食材料から得られた流体を分配するよう前記ディスペンサシステムに信号を送るように構成された、制御装置と、を備えるシステム。
【請求項２】
前記複数のカプセルのうちの少なくとも２つの各々が、中に異なる可食材料を収容する、請求項１に記載のシステム。
【請求項３】
前記複数のカプセルのうちの少なくとも２つの各々が、同じ可食材料を異なる濃度で収容する、請求項１または２に記載のシステム。
【請求項４】
前記ディスペンサシステムが複数の分配要素を備え、前記制御装置が、異なるカプセル内に収容されている可食材料から得られた流体を分配するように、各分配要素に信号を送る、請求項１に記載のシステム。
【請求項５】
前記ディスペンサシステムが複数の分配要素を備え、前記制御装置が、異なるカプセル内に収容されている可食材料から得られた流体を分配するように、各分配要素に信号を送る、請求項２または３に記載のシステム。
【請求項６】
前記ディスペンサシステムが、それぞれの区画と前記環境との間に流体連通を形成する少なくとも１つの流体チャネルを備え、前記制御装置が、前記少なくとも１つの流体チャネルを開放および閉鎖し、このことにより前記流体連通を確立または防止するように構成される、請求項１に記載のシステム。
【請求項７】
前記ディスペンサシステムが、それぞれの区画と前記環境との間に流体連通を形成する少なくとも１つの流体チャネルを備え、前記制御装置が、前記少なくとも１つの流体チャネルを開放および閉鎖し、このことにより前記流体連通を確立または防止するように構成される、請求項２または３に記載のシステム。
【請求項８】
混合チャンバをさらに備え、前記ディスペンサシステムが、それぞれの区画と前記混合チャンバとの間に流体連通を形成する少なくとも１つの流体チャネルを備え、前記制御装置が、前記少なくとも１つの流体チャネルを開放および閉鎖し、このことにより前記流体連通を確立または防止するように構成される、請求項１に記載のシステム。
【請求項９】
混合チャンバをさらに備え、前記ディスペンサシステムが、それぞれの区画と前記混合チャンバとの間に流体連通を形成する少なくとも１つの流体チャネルを備え、前記制御装置が、前記少なくとも１つの流体チャネルを開放および閉鎖し、このことにより前記流体連通を確立または防止するように構成される、請求項２または３に記載のシステム。
【請求項１０】
前記制御装置が、混合比率に関連するデータを受信するように、および前記混合比率に応じて前記流体の量を制御するように構成される、請求項１に記載のシステム。
【請求項１１】
前記制御装置が、混合比率に関連するデータを受信するように、および前記混合比率に応じて前記流体の量を制御するように構成される、請求項２〜８のいずれか一項に記載のシステム。
【請求項１２】
各カプセルの重量を個別に測定するように構成された重量測定デバイスをさらに備える、請求項１に記載のシステム。
【請求項１３】
各カプセルの重量を個別に測定するように構成された重量測定デバイスをさらに備える、請求項２〜１０のいずれか一項に記載のシステム。
【請求項１４】
（ｉ）前記制御装置および／または前記ディスペンサシステムを作動させること、（ｉｉ）前記制御装置および／または前記ディスペンサシステムを非作動化させること、ならびに（ｉｉｉ）前記選択データを入力することのうちの少なくとも１つを行うように構成されたユーザインターフェースをさらに備える、請求項１に記載のシステム。
【請求項１５】
（ｉ）前記制御装置および／または前記ディスペンサシステムを作動させること、（ｉｉ）前記制御装置および／または前記ディスペンサシステムを非作動化させること、ならびに（ｉｉｉ）前記選択データを入力することのうちの少なくとも１つを行うように構成されたユーザインターフェースをさらに備える、請求項２〜１２のいずれか一項に記載のシステム。
【請求項１６】
各カプセルの重量を個別に測定するように構成された重量測定デバイスをさらに備え、前記制御装置が、前記重量測定デバイスから重量データを受信するように、および前記重量データに基づいて前記量を制御するように構成される、請求項１０に記載のシステム。
【請求項１７】
各カプセルの重量を個別に測定するように構成された重量測定デバイスをさらに備え、前記制御装置が、前記重量測定デバイスから重量データを受信するように、および前記重量データに基づいて前記量を制御するように構成される、請求項１１に記載のシステム。
【請求項１８】
前記混合比率を入力するように構成されたユーザインターフェースをさらに備える、請求項１０に記載のシステム。
【請求項１９】
前記混合比率を入力するように構成されたユーザインターフェースをさらに備える、請求項１６に記載のシステム。
【請求項２０】
封入体の中に封入されており、前記ユーザインターフェースが前記封入体上に装着される、請求項１４に記載のシステム。
【請求項２１】
封入体の中に封入されており、前記ユーザインターフェースが前記封入体上に装着される、請求項１８に記載のシステム。
【請求項２２】
遠隔のユーザインターフェースと通信するように構成された通信システムをさらに備える、請求項１に記載のシステム。
【請求項２３】
遠隔のユーザインターフェースと通信するように構成された通信システムをさらに備える、請求項２〜２０のいずれか一項に記載のシステム。
【請求項２４】
前記ディスペンサシステムが、前記可食材料を加熱して前記流体を形成するように構成される、請求項１に記載のシステム。
【請求項２５】
前記ディスペンサシステムが、前記可食材料を加熱して前記流体を形成するように構成される、請求項２〜２２のいずれか一項に記載のシステム。
【請求項２６】
前記加熱が炎によるものである、請求項２４に記載のシステム。
【請求項２７】
前記加熱が炎によるものである、請求項２５に記載のシステム。
【請求項２８】
前記加熱が抵抗ヒータによるものである、請求項２４に記載のシステム。
【請求項２９】
前記加熱が抵抗ヒータによるものである、請求項２５に記載のシステム。
【請求項３０】
前記ディスペンサシステムが、前記可食材料に超音波を当て、このことにより前記流体を分配するように構成される、請求項１に記載のシステム。
【請求項３１】
前記ディスペンサシステムが、前記可食材料に超音波を当て、このことにより前記流体を分配するように構成される、請求項２〜２８のいずれか一項に記載のシステム。
【請求項３２】
前記ディスペンサシステムが、前記可食材料に気体の流れを当て、このことにより前記流体を分配するように構成される、請求項１に記載のシステム。
【請求項３３】
前記ディスペンサシステムが、前記可食材料に気体の流れを当て、このことにより前記流体を分配するように構成される、請求項２〜３０のいずれか一項に記載のシステム。
【請求項３４】
前記ディスペンサシステムが霧化器を備える、請求項１に記載のシステム。
【請求項３５】
前記ディスペンサシステムが霧化器を備える、請求項２〜３２のいずれか一項に記載のシステム。
【請求項３６】
前記ディスペンサシステムが加湿器を備える、請求項１に記載のシステム。
【請求項３７】
前記ディスペンサシステムが加湿器を備える、請求項２〜３４のいずれか一項に記載のシステム。
【請求項３８】
前記ディスペンサシステムがブロワまたはファンを備える、請求項１に記載のシステム。
【請求項３９】
前記ディスペンサシステムがブロワまたはファンを備える、請求項２〜３４のいずれか一項に記載のシステム。
【請求項４０】
前記カプセルのうちの少なくとも１つが、室温のとき固体状態である前記可食材料を収容する、請求項１に記載のシステム。
【請求項４１】
前記カプセルのうちの少なくとも１つが、室温のとき固体状態である前記可食材料を収容する、請求項２〜３６のいずれか一項に記載のシステム。
【請求項４２】
前記カプセルのうちの少なくとも１つが、室温のとき液体状態である前記可食材料を収容する、請求項１に記載のシステム。
【請求項４３】
前記カプセルのうちの少なくとも１つが、室温のとき液体状態である前記可食材料を収容する、請求項２〜４０のいずれか一項に記載のシステム。
【請求項４４】
請求項１に記載のシステム内に、中に可食材料を各々収容する複数のカプセルを装填することと、前記システムを作動させて、前記カプセルのうちの少なくとも１つの中に収容されている可食材料から得られた流体を分配することと、を含む、可食材料を環境内に放出する方法。
【請求項４５】
請求項２〜４３のいずれか一項に記載のシステム内に、中に可食材料を各々収容する複数のカプセルを装填することと、前記システムを作動させて、前記カプセルのうちの少なくとも１つの中に収容されている可食材料から得られた流体を分配することと、を含む、可食材料を環境内に放出する方法。
【発明の詳細な説明】
【技術分野】
【０００１】
本発明は、そのいくつかの実施形態では、流体の放出に、より具体的には、これに限られるものではないが、可食材料を放出するためのシステムおよび方法に関する。
【背景技術】
【０００２】
人が集まる場所には、様々な匂い、フレグランスなどが存在するものである。住宅所有者および企業が快適な匂い環境を維持しようと苦労することは一般的なことである。家庭および事業所には、料理、個人用衛生製品、ペットの存在、およびタバコの煙など、様々な事物からの匂いが存在し得る。これらの種類の匂いは多くの場合、除去するのが難しい。
【０００３】
アロマ放出デバイスは周知であり、所与のエリア内の人に快適な空気を提供するために、家庭および商業施設内で一般に使用されている。そのようなデバイスは、アロマを周囲全般に受動的にまたは能動的に届ける。
【０００４】
受動的なデバイスの例には、エアーウィック、香り付きゲルパック、およびアロマスティックが含まれる。アロマスティックは、アロマ液の瓶の中に静置されこの瓶から突き出ており、スティックを通して液が吸収され引き上げられると、スティックの表面から液が蒸発するようになっている。能動的なアロマデバイスのある種類のものは、電源コンセントにプラグ接続されると、小型の加熱要素がアロマ液を収容している部材を加熱し、このことにより液の蒸発および隣接環境内への流出をもたらす。能動的なアロマデバイスの別の例は、電池または壁コンセントによって電力供給され、室内に定期的にアロマミストを噴霧する。
【０００５】
アロマデバイスは一般に個人によって使用され、選択された様々な香りが楽しまれている。さらに、そのようなアロマデバイスの使用が、特定の環境内における個人の一般的な振る舞いを改善または向上させることが見出されている。特定の香りが人の気分の望ましい変化を引き起こすことが、一般に見出されている。
【発明の概要】
【０００６】
本発明のいくつかの実施形態の態様によれば、可食材料を放出するためのシステムが提供される。システムは、各々の内部に可食材料を収容している複数のカプセルをそれぞれ受容するように適合された複数の区画と、少なくとも１つの可食材料から得られた流体を環境内に分配するように構成されたディスペンサシステムと、区画のうちの少なくとも２つの選択に関連するデータを受信するように、および選択された区画のカプセル内に収容されている可食材料から得られた流体を分配するようディスペンサシステムに信号を送るように構成された、制御装置と、を備える。
【０００７】
本発明のいくつかの実施形態によれば、複数のカプセルのうちの少なくとも２つの各々は、中に異なる可食材料を収容する。
【０００８】
本発明のいくつかの実施形態によれば、複数のカプセルのうちの少なくとも２つの各々は、同じ可食材料を異なる濃度で収容する。
【０００９】
本発明のいくつかの実施形態によれば、ディスペンサシステムは、複数の分配要素を備え、この場合、制御装置は、異なるカプセル内に収容されている可食材料から得られた流体を分配するように、各分配要素に信号を送る。
【００１０】
本発明のいくつかの実施形態によれば、ディスペンサシステムは、それぞれの区画と環境との間に流体連通を形成する少なくとも１つの流体チャネルを備え、この場合、制御装置は、少なくとも１つの流体チャネルを開放および閉鎖し、このことにより流体連通を確立または防止するように構成される。
【００１１】
本発明のいくつかの実施形態によれば、システムは混合チャンバを備え、この場合、ディスペンサシステムは、それぞれの区画と混合チャンバとの間に流体連通を形成する少なくとも１つの流体チャネルを備え、またこの場合、制御装置は、少なくとも１つの流体チャネルを開放および閉鎖し、このことにより流体連通を確立または防止するように構成される。
【００１２】
本発明のいくつかの実施形態によれば、制御装置は、混合比率に関連するデータを受信するように、および混合比率に応じて流体の量を制御するように、構成される。
【００１３】
本発明のいくつかの実施形態によれば、システムは、各カプセルの重量を個別に測定するように構成された重量測定デバイスを備える。
【００１４】
本発明のいくつかの実施形態によれば、システムは、（ｉ）制御装置および／またはディスペンサシステムを作動させること、（ｉｉ）制御装置および／またはディスペンサシステムを非作動化させること、ならびに（ｉｉｉ）選択データを入力することのうちの少なくとも１つを行うように構成された、ユーザインターフェースを備える。
【００１５】
本発明のいくつかの実施形態によれば、システムは、各カプセルの重量を個別に測定するように構成された重量測定デバイスを備え、この場合、制御装置は、重量測定デバイスから重量データを受信するように、および重量データに基づいて量を制御するように構成される。
【００１６】
本発明のいくつかの実施形態によれば、システムは、混合比率を入力するように構成されたユーザインターフェースを備える。
【００１７】
本発明のいくつかの実施形態によれば、システムは、封入体（ｅｎｃａｐｓｕｌａｔｉｏｎ）の中に封入され、この場合、ユーザインターフェースは、封入体上に装着される。
【００１８】
本発明のいくつかの実施形態によれば、システムは、遠隔のユーザインターフェースと通信するように構成された通信システムを備える。
【００１９】
本発明のいくつかの実施形態によれば、ディスペンサシステムは、可食材料を加熱して流体を形成するように構成される。
【００２０】
本発明のいくつかの実施形態によれば、加熱は炎によるものである。
【００２１】
本発明のいくつかの実施形態によれば、加熱は抵抗ヒータによるものである。
【００２２】
本発明のいくつかの実施形態によれば、ディスペンサシステムは、可食材料に超音波を当て、このことにより流体を分配するように構成される。
【００２３】
本発明のいくつかの実施形態によれば、ディスペンサシステムは、可食材料に気体の流れを当て、このことにより流体を分配するように構成される
【００２４】
本発明のいくつかの実施形態によれば、ディスペンサシステムは、霧化器を備える。
【００２５】
本発明のいくつかの実施形態によれば、ディスペンサシステムは、加湿器を備える。
【００２６】
本発明のいくつかの実施形態によれば、ディスペンサシステムは、ブロワまたはファンを備える。
【００２７】
本発明のいくつかの実施形態によれば、カプセルのうちの少なくとも１つは、室温のとき固体状態である可食材料を収容する。
【００２８】
本発明のいくつかの実施形態によれば、カプセルのうちの少なくとも１つは、室温のとき液体状態である可食材料を収容する。
【００２９】
本発明のいくつかの実施形態の態様によれば、中に可食材料を各々収容する複数のカプセルを、可食材料を放出するためのシステム内に装填することと、システムを作動させてカプセルのうちの少なくとも１つの中に収容されている可食材料から得られた流体を分配することと、を含み、可食材料を放出するためのシステムが上で叙述されたような、および任意選択で以下でさらに詳述されるようなものである、可食材料を環境内に放出する方法が提供される。
【００３０】
別様に定義されていない限り、本明細書において用いる全ての技術および／または科学用語は、本発明に関連する技術の当業者が一般に理解するものと同じ意味を有する。本発明の実施形態の実施または試験において、本明細書に記載する方法および材料と類似または同等の方法および材料を用いることができるが、例示的な方法および／または材料を以下に記載する。対立する場合は、定義を含め、特許明細書が優先する。加えて、材料、方法、および例は例示的なものに過ぎず、必ずしも限定的であるように意図されていない。
【００３１】
本発明のいくつかの実施形態は、添付の図面を参照して、単なる例示として、本明細書に記載されている。ここで図面を詳細に具体的に参照するが、示されている詳細は例としてのものであり、本発明の実施形態を例示的に検討することを目的としていることを強調しておく。この点に関して、説明を図面と併せて解釈することにより、本発明の実施形態がどのように実施され得るかが、当業者に明らかになる。
【図面の簡単な説明】
【００３２】
【図１Ａ】本発明のいくつかの実施形態による、環境内に可食材料を放出するためのシステムの概略の図である。
【図１Ｂ】本発明のいくつかの実施形態による、環境内に可食材料を放出するためのシステムの画像の図である。
【図２】本発明のいくつかの実施形態による、可食材料カプセルのパッケージの代表例を示す画像の図である。
【発明を実施するための形態】
【００３３】
本発明は、そのいくつかの実施形態では、環境への流体の放出に、より具体的には、これに限られるものではないが、可食材料を放出するためのシステムおよび方法に関する。
【００３４】
本発明の少なくとも１つの実施形態を詳細に説明する前に、本発明はその適用において、以下の説明において明記されるならびに／または図面および／もしくは実施例において例示される、構成要素および／または方法の構造および配置構成の詳細に、必ずしも限定されないことを理解されたい。本発明は、他の実施形態が、または様々な様式での実施もしくは実行が、可能である。
【００３５】
ここで図面を参照すると、図１Ａおよび図１Ｂは、本発明のいくつかの実施形態による、環境内に可食材料を放出するためのシステム１０の、概略の図（図１Ａ）、および画像（図１Ｂ）である。システム１０は、任意選択でおよび好ましくは、電池によって、および／またはシステムをＤＣもしくはＡＣ電源に接続することによって、電気的に動作する。
【００３６】
システム１０は好ましくは、１つまたは複数の区画１２、好ましくは複数の区画１２を備える。図１Ａは２つの区画を示し、図１Ｂは４つの区画を示すが、システム１０は、いくつかの区画、好ましくは４つ以上の区画を含み得る。
【００３７】
区画の各々は、中に可食材料１６を収容するカプセル１４を受容するように適合される。
【００３８】
図１Ａおよび図１Ｂは、カプセルが区画によって上方から受容される実施形態を示すが、用途によってはカプセルを側方または下方から受容するように区画を構築することが望まれる場合があるので、必ずしもこのようでなくてもよい。本実施形態はまた、１つまたは複数の区画が上方からカプセルを受容し、１つまたは複数の区画が側方からカプセルを受容する構成も企図する。
【００３９】
本明細書で使用される場合、「可食材料」という用語は、口による接触または食べることによる消費を意図され、かつこれに好適である、物質を指す。
【００４０】
可食材料は、いくつかの実施形態では、付録Ａに列挙したＣＡＳ番号から成る群から選択されるＣＡＳ番号を有する１種または複数種の物質を含み得る。
【００４１】
システム１０を用いて、食品の風味を変えること、または、食品の風味を変えるために使用することのできる風味改質物質を提供することができる。
【００４２】
可食材料は室温で、固体状態または液体状態とすることができる。典型的には、可食材料は、室温で液体状態にある。
【００４３】
ある実施形態では、カプセルのうちの２つ以上、任意選択でおよび好ましくは全てのカプセルが、異なる可食材料を収容し、ある実施形態では、カプセルのうちの２つ以上が同じ可食材料を収容し、またある実施形態では、カプセルのうちの２つ以上が、同じ可食材料を異なる濃度で収容する。
【００４４】
本発明のいくつかの実施形態では、システム１０は、環境２０内にカプセル中の少なくとも１つの可食材料から得られた流体を分配するように構成された、ディスペンサシステム１８を備える。ディスペンサシステム１８は、図１Ａにおいて各区画に１つの個別の分配要素として示されているが、用途によってはシステム１８はたとえば単一のユニットとして提供され得るので、必ずしもこのようでなくてもよい。
【００４５】
ディスペンサシステム１８は、カプセル中の可食材料から流体を得ることを可能にする任意の技術を採用できる。
【００４６】
本発明のいくつかの実施形態では、システム１８は加熱を採用する。これらの実施形態では、熱により可食材料に熱エネルギーが提供され、この熱エネルギーにより、風味改質剤の結合を破壊するかまたはこれらを高いエネルギーの状態にして、これらが流れることを可能にする。熱の印加は、対流、放射、伝導によって行うことができる。本発明のいくつかの実施形態では、システム１８は、熱源、たとえば炎を利用する熱源、またはより好ましくは、抵抗式の熱源、たとえば線条抵抗器、電力抵抗器、またはコイルの形態のものを備える。本発明のいくつかの実施形態では、システム１８は、可食材料上へとこれを加熱する波長の放射を向ける光源を備える。たとえば、光源は赤外線放射を照射することができる。
【００４７】
本発明のいくつかの実施形態では、システム１８は、可食材料に超音波を当てる。超音波により可食材料に機械的エネルギー（たとえば振動）が提供され、この機械的エネルギーにより、風味改質剤の結合を破壊するかまたはこれらを高いエネルギーの状態にして、これらが流れることを可能にする。
【００４８】
本発明のいくつかの実施形態では、システム１８は、可食材料を霧化する。
【００４９】
本明細書で使用される場合、「霧化すること」および「霧化」は、液体媒体をスプレーまたは霧（すなわち小滴の集合）へと変換することを指す。液体媒体にノズルまたは開口を通過させることにより、霧化が生じ得る。「霧化すること」および「霧化」という用語は、スプレーもしくは霧またはこれらからの粒子が原子サイズまで小さくされることを、必ずしも意味しない。液体媒体の霧化は、霧化器の使用によって達成できる。霧化器は既知であり、米国ミネソタ州ＳｈｏｒｅｖｉｅｗのＴＳＩ，Ｉｎｃ．などから市販されている。
【００５０】
システム１８は、たとえばカプセル１４の上側表面１４ａを通して、流体を環境内に直接放出できる。これらの実施形態では、上側表面１４ａは好ましくは環境に露出され、可食材料から形成される流体が浸透可能とされるが、可食材料自体は浸透可能ではない。これらの実施形態は、可食材料が固体の形態であるときに、または得られた流体の分子が可食材料の分子よりも実質的に小さいときに、有用である。
【００５１】
別法として、システム１８は、中に流体が放出される１つまたは複数の流体チャネル２２を備え得る。流体チャネルのうちの１つまたは複数は、環境２０への開口部２４を有することができ、特定の１つのカプセル中の可食材料から得られた流体、またはいくつかのカプセル中の可食材料から得られた流体を、開口部２４を通して放出できるようになっている。
【００５２】
環境２０は、放出された可食材料、または可食材料が表面に付着される食品を収集する、外部容器として具現化できる。
【００５３】
本発明のいくつかの実施形態では、区画１２は、カプセルを穿通し流体チャネル２２との流体連通を確立させる、穿通部材２６（ノズルまたは中空の針など）を含む。図１Ａに例示するように、穿通部材２６を、区画１２の基部から内向きに突出するように配置できる。別法として、穿通部材２６は、区画１２の側壁から内向きに突出することができる。区画が上方以外からカプセルを受容するとき、穿通部材は、区画の頂部表面（図示せず）から内向きに突出することができる。また、いくつかの穿通部材が、たとえば、区画の基部において１つまたは複数が、および／または区画の側壁において１つまたは複数が採用される実施形態も、企図されている。
【００５４】
穿通部材は固定的なものとすることができ、この場合カプセルは、それぞれの区画内に嵌め込まれると穿通される。たとえば、固定的な穿通部材が区画の基部から外向きに突出しているとき、操作者はカプセルの上側表面１４ａを押圧して穿通を行うことができ、便利である。穿通部材は別法として、穿通を行う起点となる区画の内側表面（基部、側壁、上側表面）に対して、垂直に移動可能である。カプセルの穿通は、穿通部材が内向きに移動するときに行われる。カプセルの穿通後、穿通部材を後退させることができる。穿通部材の内向きのおよび後退する動きを、以下でさらに詳述するような制御装置によって、または手動で、たとえばレバーまたはボタン（図示せず）によって、確立することができる。
【００５５】
カプセルが穿通されると、可食材料から得られた流体は、こうして形成された穿通部を通ってカプセルからチャネル２２内へと、次いでチャネル２２から環境２０内へと流れる。別法として、流体は、カプセルから混合チャンバ３０内へと、次いで混合チャンバから環境内へと流れることができる。混合チャンバ３０から環境への流れを、環境と比べて高くなったチャンバ３０内の気体圧力のおかげで、またはディスペンサシステム１８が操作するファンまたはブロワ３２によって、達成できる。
【００５６】
本発明の様々な例示的な実施形態では、システム１０は、区画のうちの２つ以上の選択に関連するデータを受信するように、および選択された区画のカプセル内に収容されている可食材料から得られた流体を分配するようディスペンサシステム１８に信号を送るように構成された、制御装置２８を備える。本発明の様々な例示的な実施形態では、制御装置は、２つ以上のカプセルから得られた流体を、同時に放出させる。このことは、異なる分配要素を同時に作動させることよって、または流体がこれらの放出の前に混合チャンバにおいて混合するのを可能とすることによって、達成できる。
【００５７】
２種以上の流体を放出する能力に関して、いくつかの利点が存在する。たとえば、ある選択された区画が、風味改質剤を有するカプセルを収容でき、別の区画が、風味中和材料を有するカプセルを収容できる。風味改質剤および風味中和材料に依存にすることを選択できる。別の利点は、２つ以上の区画を選択することにより、使用者の所望に従って、操作者がシステム１０に材料の組み合わせを放出させることが可能になり得ることである。
【００５８】
ディスペンサシステム１８が複数の分配要素を備えるとき、制御装置２８は、任意選択でおよび好ましくは、分配要素の各々に個々に信号を送る。
【００５９】
システム１０が混合チャンバ３０を備えるとき、制御装置２８は、任意選択でおよび好ましくは、少なくとも一時的に、選択された区画から混合チャンバ３０に至る流体チャネルを開放する。このことは、チャネル２２のうちの１つまたは複数に、制御装置２８によって制御される弁３４を設けることによって達成できる。
【００６０】
システム１０が可動穿通部材２６を備えるとき、制御装置２８は、穿通部材２６の動作も制御できる。たとえば、区画のうちの１つの中へのカプセルの装填中、穿通部材は後退した（すなわち区画の内部に対して内向きに突出していない）状態とすることができる。
【００６１】
２つ以上の区画の選択に関連するデータが制御装置２８によって受信され、システム１０が動作状態であると、制御装置２８は、選択された区画の穿通部材にのみ、それぞれのカプセルを穿通するよう信号を送ることができる。このことにより、選択された区画内のカプセルから得られる流体のみが、最終的に環境内へと放出されることが保証される。
【００６２】
別法として、全てのカプセルを穿通することができ、環境への特定の流体の放出に対する制御を、弁３４を、および／またはそれぞれの分配要素が作動しているかいないかを制御することによって、達成することができる。
【００６３】
本発明のいくつかの実施形態では、制御装置２８は、混合比率に関連するデータも受信し、受信された混合比率に応じて、異なる可食材料から得られた流体の量を制御する。（直接または流体チャネル２２を介してまたは混合チャンバ３０を介してのいずれかで、）環境内へと最終的に放出される特定の流体の量に対する制御は、たとえば、タイミングプロトコルを実行することによって達成され、この場合、特定の流体を流れさせる時間は、混合比率に基づいて選択される。たとえば、第１のカプセルからの可食材料および第２のカプセルからの可食材料を、２：１の比率で混合することが望まれるとき、第１のカプセルからの流体は、特定の時間間隔Δｔの間流れさせることが可能であり、第２のカプセルからの流体は、間隔Δｔの半分の間流れさせることが可能である。
【００６４】
本発明のいくつかの実施形態では、システム１０は、各カプセルの重量を個別に測定するように構成された重量測定デバイス３６を備える。この実施形態は、たとえば操作者に通知をする目的で、各カプセル中に残る可食材料の量を判定するのに有用である。
【００６５】
任意選択で、システム１０はディスプレイ３８を備え、制御装置２８は、デバイス３６から重量データを受信し、操作者に情報を提示するようディスプレイ３８を制御する。情報には、電池寿命、継続時間またはカプセル交換と関連付けられた他の好適な指標、混合比率、風味強度などに関する情報が含まれてよい。上で提供した情報の列挙は網羅的なものではなく、むしろ使用者がシステム１０の所望の動作を評価および／または維持する際に有益であると考え得る様々なパラメータを代表するものであることが諒解される。ディスプレイ３８は、ＬＣＤ、またはＬＥＤディスプレイ、またはデバイスの動作と関連付けられた１つもしくは複数のパラメータを表示可能な他の好適なディスプレイであってよい。
【００６６】
重量データはまた、制御装置２８によって、流体同士の間の混合比率を維持するためにも使用され得る。各カプセルの重量の変化に基づいて、制御装置は、それぞれのカプセルから得られている流体の量を事前に判定することができ、またしたがって、それぞれの流体の流れをその比率を維持するように制御できる。
【００６７】
システム１０は好ましくは、ユーザインターフェース４０を備える。ユーザインターフェースは、押圧することによって作動するボタンを含んでよく、また、各ボタンの特定の機能に応じて、様々な形状をとってよい。ユーザインターフェースは、電池残量の低下または特定のカプセル中の可食材料が低レベルであることなどの、動作状態情報を示すためのＬＥＤも含んでよい。ユーザインターフェースは、タッチスクリーンまたはキーボードも含んでよい。ユーザインターフェースはまた、音声作動インターフェースであってもよい。
【００６８】
ユーザインターフェースにより、操作者は、操作者が好むように流体の放出をプログラム可能となり得る。たとえば、ユーザインターフェースにより、使用者は、たとえば、分配する日数、各分配動作の量、分配と関連付けられる１日のうちの時間、分配の継続時間、等を選ぶことによって、分配の速度をプログラム可能となり得る。より速い分配の速度でより短い継続時間を選択すること、およびより遅い分配の速度でより長い継続時間を選択することによって、同様の継続時間および強度プロファイルを生成できることが理解される。ユーザインターフェースにより、使用者はまた、限定するものではないが、日光設定、オンおよびオフ時間など、システム１０の他の特徴もプログラム可能となり得る。本発明の様々な例示的な実施形態では、ユーザインターフェースにより、操作者は、システム１０もしくはその任意の構成要素を個別に（ディスペンサシステム１８、制御装置２８）作動および／もしくは非作動化させること、カプセルのうちのどれが作動されることになるかを示す選択データを入力すること、ならびに／または混合比率を入力することが可能となる。ユーザインターフェース４０を、システム１０の封入体４２上に装着できる。
【００６９】
いくつかの実施形態では、システム１０は、遠隔で作動される。これらの実施形態では、システム１０は、遠隔のユーザインターフェース４６と通信するように構成された、通信システム４４を備える。たとえば、ユーザインターフェース４６はスマート家庭制御システムとすることができ、制御装置２８は、通信システム４４を介してスマート家庭制御システムにシステム１０の状態に関連する信号を送信すること、ならびに、スマート家庭制御システムから、作動および／または非作動化信号、選択データを担持する信号、混合比率を担持する信号などを含み得る制御信号を受信することができる。インターフェース４６と通信システム４４との間の通信は、近距離ワイヤレス通信技術を介することができる。これに対応するように、インターフェース４６を、ＢＬＵＥＴＯＯＴＨ（登録商標）、Ｚ−ｗａｖｅ、ＺｉｇＢｅｅ、またはＷＩＦＩ通信機能を備えた、携帯電話、タブレットコンピュータ、およびノートブックコンピュータから成る群から選択することができる。通信はまた、インターネット、ＧＰＲＳ、ＧＳＭ（登録商標）、ＣＤＭＡ、３Ｇ、または４Ｇ通信技術を介することもできる。これに対応するように、インターフェース４６は、インターネットに接続可能なコンピュータとすることができ、また、ＧＰＲＳ、ＧＳＭ、ＣＤＭＡ、３Ｇ、または４Ｇ通信機能を備えた携帯電話であってもよい。こうした雰囲気に効果を及ぼすものは他には、温度、音楽または騒音、アラームシステム、湿度、照明などを変えるシステムであり得る。
【００７０】
各カプセルの動作の継続時間は、任意選択でおよび好ましくは、約２時間から約２４時間までである。カプセルは好ましくは、使い捨て用である。各カプセル中の可食材料の体積は、約２ｍｌから約１０ｍｌまでとすることができる。他のサイズおよび継続時間は、本発明の範囲から除外されていない。カプセルは、システム１０とは別に消費者に提供することができる。たとえば、いくつかのカプセルのパッケージを市販することができ、この場合、各パッケージは、同じまたは異なる可食材料を収容するカプセルを含み得る。図２は、そのようなパッケージングの代表例を示す画像であり、この場合、各パッケージは、同じ可食材料の４つのカプセルを含む。他のパッケージング形態も企図される。
【００７１】
付録Ａ
可食材料は、いくつかの実施形態では、５０−２１−５、５０−６９−１、５０−８１−７、５１−６７−２、５１−７９−６、５５−１０−７、５６−１２−２、５６−４７−３、５６−８１−５、５６−８６−０、５６−９３−９、５７−０６−７、５７−１１−４、５７−４８−７、５７−５０−１、５７−５０−１、５８−０８−２、５８−８６−６、５９−０２−９、５９−４９−４、５９−９２−７、６０−０１−５、６０−１２−８、６０−３３−３、６０−３３−３、６０−８２−２、６２−４９−７、６２−５６−６、６４−０４−０、６４−１７−５、６４−１８−６、６４−１９−７、６５−８５−０、６６−２５−１、６７−０３−８、６７−４７−０、６７−６３−０、６７−６４−１、６８−３９−３、６９−７９−４、７０−５３−１、７０−７０−２、７１−２３−８、７１−３６−３、７１−４１−０、７１−４３−２、７２−１７−３、７４−８９−５、７４−９３−１、７５−０４−７、７５−０７−０、７５−０８−１、７５−１８−３、７５−２５−２、７５−３１−０、７５−３３−２、７５−５０−３、７５−６５−０、７５−６６−１、７５−８４−３、７５−８５−４、７５−９８−９、７６−２２−２、７６−４９−３、７６−５０−６、７７−４２−９、７７−５３−２、７７−５４−３、７７−７０−３、７７−７４−７、７７−８３−８、７７−９０−７、７７−９２−９、７７−９３−０、７８−３５−３、７８−３６−４、７８−３７−５、７８−６９−３、７８−７０−６、７８−８１−９、７８−８３−１、７８−８４−２、７８−９２−２、７８−９３−３、７８−９４−４、７８−９８−８、７９−０６−１、７９−０９−４、７９−１１−８、７９−２０−９、７９−３１−２、７９−３３−４、７９−４２−５、７９−６８−５、７９−６９−６、７９−７０−９、７９−７６−５、７９−７７−６、７９−７８−７、７９−８９−０、７９−９２−５、８０−０５−７、８０−２６−２、８０−２７−３、８０−４６−６、８０−５３−５、８０−５６−８、８０−５７−９、８０−５９−１、８０−６８−２、８０−７１−７、８１−１５−２、８３−３４−１、８３−６６−９、８３−６７−０、８４−６０−６、８５−３２−５、８５−４２−７、８５−４４−９、８５−９１−６、８７−０５−８、８７−１６−１、８７−１９−４、８７−２０−７、８７−２２−９、８７−２５−２、８７−２９−６、８７−４１−２、８７−４４−５、８７−５１−４、８７−５５−８、８７−６９−４、８７−９１−２、８８−０９−５、８８−１４−２、８８−１５−３、８８−１８−６、８８−２９−９、８８−６０−８、８８−６９−７、８８−８４−６、８９−０１−０、８９−４３−０、８９−４７−４、８９−４８−５、８９−６５−６、８９−７２−５、８９−７４−７、８９−７８−１、８９−７９−２、８９−８０−５、８９−８１−６、８９−８２−７、８９−８３−８、８９−８６−１、８９−８８−３、８９−９５−２、９０−００−６、９０−０２−８、９０−０５−１、９０−１２−０、９０−４３−７、９０−８０−２、９０−８７−９、９１−０２−１、９１−１０−１、９１−１６−７、９１−１９−０、９１−２２−５、９１−５７−６、９１−６０−１、９１−６１−２、９１−６２−３、９１−６３−４、９１−８７−２、９２−４８−８、９２−５３−５、９２−８３−１、９３−０２−７、９３−０４−９、９３−０８−３、９３−１５−２、９３−１６−３、９３−１８−５、９３−２８−７、９３−２９−８、９３−４４−７、９３−５１−６、９３−５３−８、９３−５４−９、９３−５５−０、９３−５８−３、９３−６０−７、９３−８９−０、９３−９１−４、９３−９２−５、９４−０２−０、９４−２６−８、９４−３０−４、９４−４１−７、９４−４６−２、９４−４７−３、９４−４８−４、９４−５８−６、９４−６２−２、９４−７１−３、９４−８６−０、９５−１６−９、９５−２０−５、９５−２１−６、９５−４１−０、９５−６３−６、９５−６５−８、９５−８７−４、９５−９２−１、９６−０４−８、９６−０９−３、９６−１５−１、９６−１７−３、９６−２２−０、９６−２６−４、９６−４１−３、９６−４７−９、９６−４８−０、９６−５４−８、９７−４２−７、９７−４５−０、９７−５３−０、９７−５４−１、９７−６１−０、９７−６２−１、９７−６３−２、９７−６４−３、９７−６７−６、９７−８５−８、９７−８７−０、９７−８９−２、９７−９５−０、９７−９６−１、９７−９９−４、９８−００−０、９８−０１−１、９８−０２−２、９８−０３−３、９８−１１−３、９８−５５−５、９８−８３−９、９８−８５−１、９８−８６−２、９８−８９−５、９８−９７−５、９９−１０−５、９９−４８−９、９９−４９−０、９９−５０−３、９９−７２−９、９９−７５−２、９９−８３−２、９９−８５−４、９９−８６−５、９９−８７−６、９９−８９−８、９９−９３−４、９９−９６−７、１００−０６−１、１００−０９−４、１００−５１−６、１００−５２−７、１００−５３−８、１００−６６−３、１００−６８−５、１００−６９−６、１００−７１−０、１００−７３−２、１００−８３−４、１００−８４−５、１００−８６−７、１００−８８−９、１０１−３９−３、１０１−４１−７、１０１−４８−４、１０１−８１−５、１０１−８４−８、１０１−８５−９、１０１−８６−０、１０１−８６−０、１０１−９４−０、１０１−９７−３、１０２−０４−５、１０２−１３−６、１０２−１６−９、１０２−１７−０、１０２−１９−２、１０２−２０−５、１０２−２２−７、１０２−６９−２、１０２−７６−１、１０２−８２−９、１０２−９４−３、１０３−０５−９、１０３−０７−１、１０３−０９−３、１０３−１３−９、１０３−１９−５、１０３−２３−１、１０３−２５−３、１０３−２６−４、１０３−２８−６、１０３−３６−６、１０３−３７−７、１０３−３８−８、１０３−４１−３、１０３−４３−５、１０３−４５−７、１０３−４８−０、１０３−５０−４、１０３−５２−６、１０３−５３−７、１０３−５４−８、１０３−５６−０、１０３−５８−２、１０３−５９−３、１０３−６０−６、１０３−６１−７、１０３−６４−０、１０３−７９−７、１０３−８２−２、１０３−９３−５、１０４−０９−６、１０４−２０−１、１０４−２１−２、１０４−２７−８、１０４−４５−０、１０４−４６−１、１０４−５０−７、１０４−５３−０、１０４−５４−１、１０４−５５−２、１０４−５７−４、１０４−６１−０、１０４−６２−１、１０４−６４−３、１０４−６５−４、１０４−６７−６、１０４−７６−７、１０４−８７−０、１０４−９０−５、１０４−９３−８、１０５−０１−１、１０５−０２−２、１０５−１３−５、１０５−２１−５、１０５−２６−０、１０５−３７−３、１０５−４３−１、１０５−４５−３、１０５−４６−４、１０５−５３−３、１０５−５４−４、１０５−５７−７、１０５−６６−８、１０５−６７−９、１０５−６８−０、１０５−７０−４、１０５−７５−９、１０５−７９−３、１０５−８２−８、１０５−８５−１、１０５−８６−２、１０５−８７−３、１０５−８９−５、１０５−９０−８、１０５−９１−９、１０５−９５−３、１０６−０２−５、１０６−１３−８、１０６−１８−３、１０６−２１−８、１０６−２２−９、１０６−２３−０、１０６−２４−１、１０６−２５−２、１０６−２６−３、１０６−２７−４、１０６−２８−５、１０６−２９−６、１０６−３０−９、１０６−３１−０、１０６−３２−１、１０６−３３−２、１０６−３４−３、１０６−３５−４、１０６−３６−５、１０６−４４−５、１０６−４５−６、１０６−６５−０、１０６−６７−２、１０６−６８−３、１０６−７０−７、１０６−７２−９、１０６−７３−０、１０７−０３−９、１０７−１０−８、１０７−１１−９、１０７−１８−６、１０７−２２−２、１０７−３１−３、１０７−７４−４、１０７−７５−５、１０７−８５−７、１０７−８６−８、１０７−８７−９、１０７−９２−６、１０７−９３−７、１０７−９５−９、１０７−９６−０、１０８−１０−１、１０８−１１−２、１０８−２１−４、１０８−２２−５、１０８−２９−２、１０８−４０−７、１０８−４７−４、１０８−４８−５、１０８−５０−９、１０８−５９−８、１０８−６４−５、１０８−６８−９、１０８−７３−６、１０８−７５−８、１０８−８２−７、１０８−８３−８、１０８−８９−４、１０８−９３−０、１０８−９８−５、１０８−９９−６、１０９−００−２、１０９−０２−４、１０９−０５−７、１０９−０６−８、１０９−０８−０、１０９−１５−９、１０９−１９−３、１０９−２０−６、１０９−２１−７、１０９−２５−１、１０９−２９−５、１０９−３６−４、１０９−４２−２、１０９−４３−３、１０９−４９−９、１０９−５２−４、１０９−６０−４、１０９−７３−９、１０９−７９−５、１０９−８０−８、１０９−９２−２、１０９−９４−４、１０９−９５−５、１０９−９７−７、１０９−９９−９、１１０−０１−０、１１０−０２−１、１１０−１５−６、１１０−１９−０、１１０−２７−０、１１０−２９−２、１１０−３４−９、１１０−３８−３、１１０−３９−４、１１０−４０−７、１１０−４１−８、１１０−４２−９、１１０−４３−０、１１０−４５−２、１１０−５８−７、１１０−６２−３、１１０−６６−７、１１０−７１−４、１１０−７４−７、１１０−７７−０、１１０−８１−６、１１０−８５−０、１１０−８６−１、１１０−８９−４、１１０−９３−０、１１０−９４−１、１１０−９８−５、１１１−０６−８、１１１−１１−５、１１１−１２−６、１１１−１３−７、１１１−１４−８、１１１−１５−９、１１１−２６−２、１１１−２７−３、１１１−２８−４、１１１−３０−８、１１１−３１−９、１１１−４５−５、１１１−４７−７、１１１−６１−５、１１１−６２−６、１１１−６３−７、１１１−６８−２、１１１−７０−６、１１１−７１−７、１１１−７９−５、１１１−８０−８、１１１−８１−９、１１１−８２−０、１１１−８６−４、１１１−８７−５、１１１−９０−０、１１２−０５−０、１１２−０６−１、１１２−１２−９、１１２−１４−１、１１２−１７−４、１１２−１９−６、１１２−２３−２、１１２−３０−１、１１２−３１−２、１１２−３２−３、１１２−３７−８、１１２−３８−９、１１２−３９−０、１１２−４１−４、１１２−４２−５、１１２−４３−６、１１２−４４−７、１１２−４５−８、１１２−４６−９、１１２−５３−８、１１２−５４−９、１１２−５８−３、１１２−５９−４、１１２−６２−９、１１２−６３−０、１１２−６６−３、１１２−７０−９、１１２−７２−１、１１２−７３−２、１１２−９１−４、１１４−７６−１、１１５−１８−４、１１５−１９−５、１１５−７１−９、１１５−９５−７、１１５−９９−１、１１６−０２−９、１１６−０９−６、１１６−２６−７、１１６−５３−０、１１６−６６−５、１１７−９８−６、１１８−５８−１、１１８−６１−６、１１８−７１−８、１１８−７２−９、１１８−９３−４、１１９−３６−８、１１９−５３−９、１１９−６１−９、１１９−６５−３、１１９−８４−６、１２０−１１−６、１２０−１４−９、１２０−２４−１、１２０−２５−２、１２０−２９−６、１２０−３３−２、１２０−４５−６、１２０−５０−３、１２０−５１−４、１２０−５７−０、１２０−７２−９、１２０−７５−２、１２０−９２−３、１２０−９４−５、１２１−３２−４、１２１−３３−５、１２１−３４−６、１２１−３９−１、１２１−９８−２、１２２−００−９、１２２−０３−２、１２２−４０−７、１２２−４３−０、１２２−４４−１、１２２−４５−２、１２２−４６−３、１２２−４８−５、１２２−５１−０、１２２−５７−６、１２２−５９−８、１２
２−６２−３、１２２−６３−４、１２２−６７−８、１２２−６８−９、１２２−６９−０、１２２−７０−３、１２２−７１−４、１２２−７２−５、１２２−７４−７、１２２−７８−１、１２２−７８−１、１２２−７９−２、１２２−８４−９、１２２−９１−８、１２２−９５−２、１２２−９７−４、１２２−９９−６、１２３−０５−７、１２３−０７−９、１２３−０８−０、１２３−１１−５、１２３−１５−９、１２３−１９−３、１２３−２５−１、１２３−２９−５、１２３−３２−０、１２３−３２−０、１２３−３５−３、１２３−３８−６、１２３−５１−３、１２３−６６−０、１２３−６８−２、１２３−６９−３、１２３−７２−８、１２３−７３−９、１２３−７５−１、１２３−７６−２、１２３−８６−４、１２３−９２−２、１２３−９４−４、１２３−９５−５、１２３−９６−６、１２４−０４−９、１２４−０６−１、１２４−０７−２、１２４−０９−４、１２４−１０−７、１２４−１１−８、１２４−１３−０、１２４−１９−６、１２４−２５−４、１２４−７６−５、１２５−１２−２、１２６−１３−６、１２６−１４−７、１２６−３９−６、１２６−６４−７、１２６−９０−９、１２６−９１−０、１２６−９６−５、１２７−０６−０、１２７−０９−３、１２７−１７−３、１２７−４１−３、１２７−４２−４、１２７−４２−４、１２７−４２−４、１２７−４３−５、１２７−５１−５、１２７−５１−５、１２７−５１−５、１２７−５１−５、１２７−５１−５、１２７−９１−３、１２８−３７−０、１２８−５０−７、１３０−８９−２、１３１−１７−９、１３３−１８−６、１３３−２１−１、１３３−３７−９、１３４−０１−０、１３４−２０−３、１３４−２８−１、１３４−６３−４、１３４−６４−５、１３４−９６−３、１３５−０２−４、１３６−６０−７、１３７−００−８、１３７−０６−４、１３７−３２−６、１３８−２２−７、１３８−２３−８、１３８−８６−３、１３８−８７−４、１３９−０５−９、１３９−４５−７、１３９−７０−８、１３９−８５−５、１４０−１０−３、１４０−１１−４、１４０−２５−０、１４０−２６−１、１４０−２７−２、１４０−３９−６、１４０−６７−０、１４１−０３−７、１４１−０５−９、１４１−０６−０、１４１−０９−３、１４１−１０−６、１４１−１１−７、１４１−１２−８、１４１−１３−９、１４１−１４−０、１４１−１５−１、１４１−１６−２、１４１−１８−４、１４１−２５−３、１４１−２７−５、１４１−２８−６、１４１−７８−６、１４１−７９−７、１４１−９２−４、１４１−９７−９、１４２−０８−５、１４２−１９−８、１４２−２９−０、１４２−４７−２、１４２−５０−７、１４２−６０−９、１４２−６２−１、１４２−６８−７、１４２−７７−８、１４２−８３−６、１４２−９１−６、１４２−９２−７、１４３−０７−７、１４３−０８−８、１４３−１０−２、１４３−１３−５、１４３−１４−６、１４４−３９−８、１４５−３９−１、１４９−３２−６、１４９−５７−５、１５０−１９−６、１５０−６０−７、１５０−６９−６、１５０−７６−５、１５０−７８−７、１５０−８４−５、１５０−８６−７、１５１−０５−３、１５１−１０−０、１５１−１９−９、１５４−１７−６、１５６−０６−９、１５７−０６−２、２４４−６３−３、２８７−２７−４、２８８−４７−１、２８９−１６−７、２９０−３７−９、２９１−２２−５、２９２−４６−６、２９４−６２−２、２９９−２８−５、３０１−００−８、３０２−７２−７、３１２−８４−５、３２６−５６−７、３２６−６１−４、３２８−３８−１、３２８−３９−２、３２８−５０−７、３３４−４８−５、３３４−４９−６、３４８−６７−４、３５０−０３−８、３５２−９３−２、３７９−６８−０、４０４−８６−４、４０９−０２−９、４２０−１２−２、４３１−０３−８、４３２−２４−６、４３２−２５−７、４３４−１３−９、４５３−２０−３、４５４−２９−５、４５８−３６−６、４５９−８０−３、４６２−１８−０、４６２−９５−３、４６３−４０−１、４６４−０７−３、４６４−４３−７、４６４−４５−９、４６４−４８−２、４６４−４９−３、４６９−６１−４、４７０−６７−７、４７０−８２−６、４７２−６６−２、４７２−７８−６、４７２−９７−９、４７３−６７−６、４７５−０３−６、４７５−２０−７、４８８−１０−８、４８８−９３−７、４８８−９７−１、４８９−８４−９、４９０−０３−９、４９０−９９−３、４９１−０１−０、４９１−０２−１、４９１−０４−３、４９１−０７−６、４９１−０９−８、４９１−３５−０、４９１−３７−２、４９２−３７−５、４９２−６２−６、４９４−９０−６、４９４−９９−５、４９５−４０−９、４９５−６１−４、４９５−６２−５、４９５−７６−１、４９６−４１−３、４９６−７７−５、４９７−０３−０、４９７−１９−８、４９７−２３−４、４９７−３８−１、４９８−００−０、４９８−０２−２、４９８−１６−８、４９８−６６−８、４９８−８１−７、４９９−１２−７、４９９−４０−１、４９９−５４−７、４９９−６９−４、４９９−７０−７、４９９−７５−２、５００−０２−７、５０１−５２−０、５０１−９２−８、５０１−９４−０、５０２−２６−１、５０２−４７−６、５０２−６１−４、５０２−６９−２、５０２−９９−８、５０３−６４−０、５０３−７４−２、５０４−７８−９、５０４−８５−８、５０５−１０−２、５０５−２９−３、５０５−３２−８、５０５−５７−７、５０５−７９−３、５０６−５２−５、５０７−０９−５、５０７−７０−０、５０８−３２−７、５１１−５９−１、５１２−１３−０、５１２−６１−８、５１３−４４−０、５１３−５３−１、５１３−７７−９、５１３−８５−９、５１３−８６−０、５１４−９９−８、５１５−００−４、５１５−０３−７、５１５−６９−５、５２０−２６−３、５２０−３３−２、５２６−７５−０、５２６−９４−３、５２６−９５−４、５２７−６０−６、５２７−７２−０、５２７−８４−４、５２８−４３−８、５２８−７９−０、５２９−２０−４、５２９−６９−１、５３０−３１−４、５３０−５６−３、５３０−５７−４、５３０−５９−６、５３１−２６−０、５３１−５９−９、５３２−２８−５、５３３−１８−６、５３３−３１−３、５３３−６０−８、５３３−６７−５、５３３−８７−９、５３４−１５−６、５３４−２２−５、５３５−７７−３、５３６−０８−３、５３６−４５−８、５３６−５０−５、５３６−５９−４、５３６−６０−７、５３６−７５−４、５３６−７８−７、５３８−６５−８、５３８−７４−９、５３８−８６−３、５３９−１２−８、５３９−３０−０、５３９−３２−２、５３９−８２−２、５３９−８８−８、５３９−９０−２、５４０−０７−８、５４０−１８−１、５４０−４２−１、５４０−６３−６、５４１−３１−１、５４１−３５−５、５４１−４７−９、５４１−５８−２、５４１−８５−５、５４１−９１−３、５４２−０８−５、５４２−２８−９、５４２−４４−９、５４２−４６−１、５４２−５５−２、５４２−８５−８、５４２−９０−５、５４３−３９−５、５４３−４９−７、５４４−１２−７、５４４−３５−４、５４４−４０−１、５４４−６３−８、５４６−２８−１、５４６−４９−６、５４６−７９−２、５４７−６０−４、５４７−６３−７、５４９−５６−４、５５１−０８−６、５５１−６８−８、５５１−９３−９、５５２−０２−３、５５２−６３−６、５５３−６０−６、５５３−７９−７、５５４−１２−１、５５４−１４−３、５５５−１０−２、５５６−２４−１、５５６−３８−７、５５６−６１−６、５５６−８２−１、５５７−００−６、５５７−４８−２、５６２−７４−３、５６３−８０−４、５６４−２０−５、５６４−９４−３、５６５−６０−６、５６５−６１−７、５６５−６３−９、５６９−６４−２、５７１−５８−４、５７１−６１−９、５７５−４１−７、５７６−１５−８、５７６−２６−１、５７７−１６−２、５７７−８５−５、５７８−５８−５、５７９−０７−７、５７９−６０−２、５７９−７４−８、５７９−７５−９、５７９−９３−１、５７９−９４−２、５８０−７２−３、５８１−４２−０、５８２−６２−７、５８３−３３−５、５８３−５８−４、５８３−５９−５、５８３−６０−８、５８３−６１−９、５８３−９２−６、５８４−０２−１、５８４−０８−７、５８５−２４−０、５８５−２５−１、５８５−８４−２、５８５−８８−６、５８６−３７−８、５８６−３８−９、５８６−６２−９、５８６−８２−３、５８６−９８−１、５８８−６７−０、５８９−１８−４、５８９−３４−４、５８９−３５−５、５８９−３８−８、５８９−４０−２、５８９−４３−５、５８９−５５−９、５８９−５９−３、５８９−６６−２、５８９−７５−３、５８９−８２−２、５８９−９０−２、５８９−９２−４、５８９−９８−０、５９０−０１−２、５９０−２９−４、５９０−３６−３、５９０−６６−９、５９０−６７−０、５９０−７３−８、５９０−８６−３、５９１−１１−７、５９１−１２−８、５９１−２２−０、５９１−２３−１、５９１−２４−２、５９１−３１−１、５９１−４７−９、５９１−６０−６、５９１−６３−９、５９１−６４−０、５９１−６８−４、５９１−７８−６、５９１−８０−０、５９１−８２−２、５９１−８７−７、５９２−２０−１、５９２−４３−８、５９２−４７−２、５９２−８２−５、５９２−８４−７、５９２−８８−１、５９３−０８−８、５９３−２６−０、５９３−８１−７、５９３−８４−０、５９５−４８−２、５９７−４９−９、５９８−３２−３、５９８−７５−４、５９９−６７−７、６００−１４−６、６００−１８−０、６００−２２−６、６００−３６−２、６０１−３４−３、６０４−３２−０、６０４−３３−１、６０４−５９−１、６０４−６８−２、６０４−６９−３、６０６−４５−１、６０７−９７−６、６０８−６８−４、６０９−１４−３、６０９−３６−９、６１０−９９−１、６１１−１３−２、６１１−３６−９、６１１−７０−１、６１２−１５−７、６１２−１６−８、６１３−７０−７、６１３−７５−２、６１４−１８−６、６１４−２９−９、６１４−３２−４、６１４−４７−１、６１４−９９−３、６１５−１０−１、６１６−０２−４、６１６−０６−８、６１６−０９−１、６１６−２５−１、６１６−３１−９、６１６−４４−４、６１７−０１−６、６１７−０２−７、６１７−０５−０、６１７−２９−８、６１７−３５−６、６１７−５０−５、６１７−５１−６、６１７−５７−２、６１７−６５−２、６１７−７４−３、６１７−８９−０、６１７−９０−３、６１７−９４−７、６１８−４５−１、６１９−０１−２、６２０−０２−０、６２０−１７−７、６２０−２３−５、６２０−７９−１、６２０−８０−４、６２１−３４−１、６２１−８２−９、６２２−３９−９、６２２−４５−７、６２２−６０−６、６２２−７８−６、６２３−０５−２、６２３−１３−２、６２３−１５−４、６２３−１７−６、６２３−１９−８、６２３−２０−１、６２３−２１−２、６２３−２２−３、６２３−３０−３、６２３−３６−９、６２３−３７−０、６２３−４２−７、６２３−４３−８、６２３−７０−１、６２３−８４−７、６２３−９１−６、６２４−０１−１、６２４−０９−９、６２４−１３−５、６２４−１７−９、６２４−２４−８、６２４−４１−９、６２４−４２−０、６２４−４５−３、６２４−５１−１、６２４−５４−４、６２４−８９−５、６２４−９２−０、６２５−３０−９、６２５−３３−２、６２５−５５−８、６２５−６０−５、６２５−６９−４、６２５−８０−９、６２５−８４−３、６２５−８６−５、６２６−１１−９、６２６−３８−０、６２６−６４−２、６２６−６７−５、６２６−７７−７、６２６−８２−４、６２６−８６−８、６２
６−８９−１、６２６−９３−７、６２６−９８−２、６２７−０４−３、６２７−７７−０、６２７−８３−８、６２７−８８−３、６２７−９０−７、６２７−９１−８、６２８−００−２、６２８−０３−５、６２８−２９−５、６２８−４６−６、６２８−６３−７、６２８−９７−７、６２８−９９−９、６２９−０５−０、６２９−１２−９、６２９−１９−６、６２９−３３−４、６２９−４０−３、６２９−４５−８、６２９−５９−４、６２９−９６−９、６３２−１５−５、６３２−１６−６、６３３−３１−８、６３４−３６−６、６３６−７２−６、６３７−５５−８、６３７−６４−９、６３７−６５−０、６３７−７８−５、６３７−８９−８、６３８−００−６、６３８−０２−８、６３８−１０−８、６３８−１１−９、６３８−１７−５、６３８−２５−５、６３８−３７−９、６３８−４６−０、６３８−４９−３、６３８−５３−９、６３８−６５−３、６３９−９９−６、６４４−０８−６、６４４−１３−３、６４４−３５−９、６４４−４９−５、６４４−９８−４、６４５−１３−６、６４５−１７−０、６４５−５６−７、６４５−６２−５、６４５−６７−０、６４５−６９−２、６４５−７２−７、６４６−０１−５、６４６−０７−１、６４６−１３−９、６５６−５３−１、６５７−２６−１、６５９−７０−１、６６１−１９−８、６７２−１５−１、６７３−２２−３、６７３−８４−７、６７４−７６−０、６７６−４７−１、６８８−８２−４、６８９−６７−８、６８９−８９−４、６９１−３８−３、６９２−８６−４、６９３−３８−９、６９３−５４−９、６９３−９５−８、６９５−０６−７、６９６−３０−０、６９６−５９−３、６９６−６３−９、６９８−１０−２、６９８−２７−１、６９８−７６−０、６９８−８７−３、６９９−０２−５、６９９−１０−５、６９９−１７−２、７００−８２−３、７０１−７０−２、７０１−９７−３、７０２−２３−８、７０５−７３−７、７０５−７６−０、７０５−８６−２、７０６−１４−９、７１０−０４−３、７１３−９５−１、７３０−４６−１、７５９−０５−７、７６２−２９−８、７６３−３２−６、７６３−６９−９、７６４−３７−４、７６４−３８−５、７６４−３９−６、７６４−４０−９、７６４−６７−０、７６５−７０−８、７６５−８７−７、７６６−９２−７、７７０−２７−４、７７４−４８−１、７７４−６４−１、８０４−６３−７、８１４−６７−５、８１６−１１−５、８１６−６６−０、８１６−７９−５、８１７−８８−９、８１８−０４−２、８１８−３８−２、８１８−５７−５、８１８−５８−６、８１８−８１−５、８１９−９７−６、８２０−００−８、８２１−０９−０、８２１−４１−０、８２１−５５−６、８２３−２２−３、８２３−７６−７、８２８−２６−２、８２９−２６−５、８６６−８２−０、８６７−５６−１、８６８−５７−５、８７０−２３−５、８７１−２２−７、８７２−１０−６、８７２−５５−９、８７２−８５−５、８７３−６４−３、８７３−９４−９、８７４−６６−８、８７７−２２−５、８７７−６０−１、８８０−３６−４、８８１−６８−５、８８２−３３−７、９０９−８４−２、９２３−２７−３、９２３−６９−３、９２４−８８−９、９２５−１５−５、９２５−１６−６、９２５−４７−３、９２５−５４−２、９２５−７８−０、９２７−４９−１、９２８−６８−７、９２８−８０−３、９２８−９１−６、９２８−９４−９、９２８−９５−０、９２８−９６−１、９２８−９７−２、９２８−９８−３、９３０−６８−７、９３２−１６−１、９３３−６７−５、９３７−０５−３、９３７−３０−４、９３７−９４−０、９３９−２１−９、９３９−２３−１、９３９−２７−５、９３９−４８−０、９４１−４３−５、９４１−９８−０、９４２−９２−７、９４３−８８−４、９４９−６７−７、９９６−３１−６、９９９−４０−６、１００２−８４−２、１００３−０３−８、１００３−０４−９、１００３−１０−７、１００３−１４−１、１００３−２９−８、１００３−３１−２、１００３−３８−９、１００４−２９−１、１００９−６２−７、１０７１−７３−４、１０７２−７２−６、１０７２−８３−９、１０７３−１１−６、１０７３−２６−３、１０７３−２９−６、１０７６−５６−８、１０７８−９５−１、１０７９−０１−２、１０８０−１２−２、１０８３−４１−６、１１１３−１３−９、１１１３−２１−９、１１１３−６０−６、１１１４−９２−７、１１１５−１１−３、１１１５−３０−６、１１１５−８４−０、１１１７−３１−３、１１１７−４１−５、１１１７−５２−８、１１１７−５５−１、１１１７−５９−５、１１１７−６１−９、１１１７−６５−３、１１１８−２７−０、１１１８−３９−４、１１１８−７１−４、１１１８−８４−９、１１１９−０６−８、１１１９−１６−０、１１１９−３４−２、１１１９−４４−４、１１１９−６０−４、１１２１−２４−０、１１２１−６０−４、１１２２−５４−９、１１２２−６２−９、１１２２−７０−９、１１２３−８５−９、１１２３−９６−２、１１２４−１１−４、１１２４−２０−５、１１２５−２１−９、１１２５−８８−８、１１２６−７９−０、１１２８−０８−１、１１２９−３０−２、１１２９−６７−５、１１２９−６９−７、１１３５−２３−５、１１３９−３０−６、１１４２−８５−４、１１５４−９２−３、１１６２−６５−８、１１６５−３９−５、１１６６−５２−５、１１８２−０７−６、１１８２−４２−９、１１８３−０４−６、１１８４−６４−１、１１８４−７８−７、１１８８−０２−９、１１８８−３７−０、１１８９−０９−９、１１９１−０３−３、１１９１−０４−４、１１９１−０８−８、１１９１−１６−８、１１９１−４１−９、１１９１−４３−１、１１９１−６２−４、１１９２−５８−１、１１９２−６２−７、１１９３−１１−９、１１９３−１８−６、１１９３−７９−９、１１９５−０９−１、１１９５−１４−８、１１９５−３２−０、１１９５−７９−５、１１９５−９２−２、１１９６−０１−６、１１９６−２２−１、１１９６−３１−２、１１９７−０１−９、１１９７−１５−５、１１９７−２０−２、１１９７−４０−６、１２００−６７−５、１２０５−１７−０、１２０５−４２−１、１２０５−９１−０、１２０９−６１−６、１２１１−２９−６、１２２７−５１−６、１２４５−１５−４、１２４９−８１−６、１３１３−６０−６、１３１９−８８−６、１３２１−３０−８、１３２１−８９−７、１３２２−１７−４、１３２３−００−８、１３２３−７５−７、１３２９−９９−３、１３３１−９２−６、１３３３−０９−１、１３３４−７８−７、１３３４−８２−３、１３３５−０８−６、１３３５−４８−４、１３３５−６６−６、１３３５−８６−０、１３３７−８３−３、１３３８−４１−６、１３３８−８０−３、１３６５−１９−１、１４０１−５５−４、１４０５−８６−３、１４２４−８３−５、１４３６−３４−６、１４３８−９１−１、１４３８−９４−４、１４５０−７２−２、１４５０−８５−７、１４５４−８４−８、１４５５−２０−５、１４５５−２１−６、１４６０−３４−０、１４６３−０１−０、１４８７−４９−６、１４８９−５６−１、１４８９−５７−２、１４９０−０４−６、１５０１−８２−２、１５０４−７４−１、１５０４−７５−２、１５１５−８０−６、１５１５−８１−７、１５１５−９５−３、１５１６−１７−２、１５３４−０８−３、１５４０−２８−９、１５４０−２９−０、１５５１−２７−５、１５５１−４３−５、１５５１−４４−６、１５５２−６７−６、１５６１−１１−１、１５６５−７６−０、１５６５−８０−６、１５６５−８１−７、１５６９−０２−４、１５６９−５０−２、１５６９−６０−４、１５６９−６９−３、１５７５−７４−２、１５７６−７７−８、１５７６−７８−９、１５７６−８５−８、１５７６−８７−０、１５７６−９５−０、１５７６−９６−１、１５７７−１８−０、１５７７−１９−１、１５８７−２０−８、１５９９−４７−９、１５９９−４９−１、１６０４−２８−０、１６０４−３４−８、１６０８−７２−６、１６０９−４７−８、１６１７−２３−８、１６１７−２５−０、１６１７−３２−９、１６１７−３７−４、１６１７−４０−９、１６１８−２６−４、１６２８−８９−３、１６２９−５８−９、１６２９−６０−３、１６３２−７３−１、１６３４−０４−４、１６３５−０２−５、１６３５−３１−０、１６３７−２４−７、１６３９−０９−４、１６５３−３０−１、１６６９−４４−９、１６７０−４６−８、１６７０−４７−９、１６７３−０８−１、１６７４−０８−４、１６７９−０７−８、１６７９−０９−０、１６９４−０９−３、１７００−３７−４、１７０３−５２−２、１７０６−１２−３、１７０８−２９−８、１７０８−３５−６、１７０８−３６−７、１７０８−３９−０、１７０８−８１−２、１７０８−８２−３、１７２１−８９−７、１７２４−０２−３、１７２５−０３−７、１７２７−６８−０、１７３１−８１−３、１７３１−８４−６、１７３２−０９−８、１７３２−１０−１、１７３３−２５−１、１７４１−４１−９、１７４６−１３−０、１７５４−６２−７、１７５９−２８−０、１７７５−４３−５、１７７９−６０−８、１７８６−０８−９、１７９５−０１−３、１７９７−７４−６、１８０２−２０−６、１８２０−０９−３、１８３８−５９−１、１８６４−９７−７、１８６６−３１−５、１８７１−６７−６、１８７８−１８−８、１８８３−７５−６、１８８３−７８−９、１８８８−９０−０、１９０１−２６−４、１９０１−３８−８、１９０８−１１−８、１９４６−００−５、１９４９−８９−９、１９６３−３６−６、１９６８−４０−７、１９８７−５０−４、１９８９−５２−２、２００９−７４−７、２０２１−２８−５、２０２４−７０−６、２０３５−９９−６、２０４４−７３−７、２０４６−１７−５、２０４９−８０−１、２０４９−９６−９、２０５０−０１−３、２０５０−０８−０、２０５０−０９−１、２０５０−２３−９、２０５０−８７−５、２０５１−０４−９、２０５１−５０−５、２０５１−７８−７、２０５１−９６−９、２０５２−１４−４、２０５２−１５−５、２０６５−２３−８、２０７８−５４−８、２０７９−９５−０、２０８４−１８−６、２０８４−１９−７、２０９２−４９−１、２０９４−６９−１、２１００−１７−６、２１０２−５９−２、２１０８−０５−６、２１１０−１８−１、２１１０−７８−３、２１１１−７５−３、２１１６−６５−６、２１２７−０３−９、２１４２−９４−１、２１５３−２６−６、２１５３−２８−８、２１６７−１４−８、２１７３−５６−０、２１７３−５７−１、２１７７−７７−７、２１７９−５７−９、２１７９−５８−０、２１７９−５９−１、２１７９−６０−４、２１８６−９２−７、２１９８−６１−０、２２１６−４５−７、２２１６−５１−５、２２１６−５２−６、２２１６−６９−５、２２１６−８１−１、２２１７−３３−６、２２１７−３５−８、２２３０−９０−２、２２３４−２０−０、２２３５−８３−８、２２３９−７８−３、２２４４−１６−８、２２４４−１６−８、２２４４−８５−１、２２４５−３８−７、２２５３−７３−８、２２５７−０９−２、２２７０−６０−２、２２７７−１６−９、２２７７−１９−２、２２７８−５３−７、２２９４−７６−０、２３０５−０５−７、２３０５−２１−７、２３０５−２５−１、２３０６−７８−７、２３０６−８８−９、２３０６−９１−４、２３０７−１０−０、２３０８−１８−１、２３１１−４６−８、２３１１−５９−３、２３１５−０９−５、２３１５−６８−６、２３１５−９７−１、２３１６−２６−９、２３４４−７０−９、２３４５−２４−６、２３４５−２６−８、２３４５−２７−９、２３４５−２８−０、２３４６−００−１、２３４９−０７−７、２３４９−１３−５、２３５１−９０−８
、２３６３−８８−４、２３６３−８９−５、２３７１−１３−３、２３７９−５５−７、２３８０−７８−１、２３８５−７７−５、２３９６−７７−２、２３９６−７８−３、２３９６−８３−０、２３９６−８４−１、２３９６−８５−２、２４０３−５８−９、２４０７−４３−４、２４０８−２０−０、２４０８−３７−９、２４１２−７３−９、２４１２−８０−８、２４１６−９４−６、２４３２−４２−０、２４３２−５１−１、２４３２−７７−１、２４３２−８３−９、２４３２−９１−９、２４３７−２３−２、２４３８−２０−２、２４３９−４４−３、２４４２−１０−６、２４４４−４６−４、２４４４−４９−７、２４４５−６７−２、２４４５−６９−４、２４４５−７２−９、２４４５−７６−３、２４４５−７７−４、２４４５−７８−５、２４４５−８３−２、２４４５−９３−４、２４４９−４９−２、２４６３−５３−８、２４６３−６３−０、２４６３−７７−６、２４６４−２３−５、２４６５−３２−９、２４７８−３８−８、２４８２−３９−５、２４９１−０６−７、２４９２−８７−７、２４９５−３５−４、２４９５−３７−６、２４９７−１８−９、２４９７−２１−４、２４９９−９５−８、２５１８−５３−８、２５２４−５２−９、２５２７−７６−６、２５３０−１０−１、２５３９−５３−９、２５４５−２２−４、２５４８−８７−０、２５５０−１８−７、２５５０−２６−７、２５５０−４０−５、２５５６−１０−７、２５６６−８９−４、２５６８−２５−４、２５８４−７１−６、２６０１−１３−０、２６２３−２３−６、２６２３−９１−８、２６２８−１７−３、２６３０−３９−９、２６３７−３４−５、２６３９−６３−６、２６７９−８７−０、２６９０−０８−６、２７０５−８７−５、２７１９−０８−６、２７２１−２２−４、２７５６−５６−１、２７５８−１８−１、２７６５−０４−０、２７７７−５８−４、２７８５−８７−７、２７８５−８９−９、２８０６−８５−１、２８１０−０４−０、２８３５−３９−４、２８４７−３０−５、２８４７−３０−５、２８８２−２０−４、２８８２−２１−５、２８８２−２２−６、２８８４−１３−１、２８８４−１４−２、２９０６−５５−０、２７６１５−３１−２、２９１７−２６−２、２９３１−９０−０、２９４９−９２−０、２９８３−３６−０、２９８３−３７−１、２９８３−３８−２、２９８５−２８−６、２９９８−０４−１、３００８−４３−３、３０１６−１９−１、３０２５−３０−７、３０３３−２３−６、３０５０−６９−９、３０５４−９２−０、３０８０−６９−１、３０８９−５５−２、３１２１−７０−８、３１３０−８７−８、３１４２−６６−３、３１４２−７２−１、３１４９−２８−８、３１５０−２４−１、３１５３−４４−４、３１８４−１３−２、３１８８−００−９、３１９４−１７−０、３２０８−１６−０、３２０８−４０−０、３２３０−９４−２、３２４０−０９−３、３２４９−６８−１、３２５４−３９−５、３２６８−４９−３、３２６９−９０−７、３２８９−２８−９、３２９３−４７−８、３２９９−３２−９、３３０１−９０−４、３３０１−９４−８、３３０２−０３−２、３３１９−９９−１、３３３８−５５−４、３３６０−４１−６、３３７４−２２−９、３３８１−２６−８、３３８６−９７−８、３３８７−４１−５、３３９０−１２−３、３３９１−８６−４、３３９１−８７−５、３４５２−９７−９、３４５４−０７−７、３４５４−２８−２、３４６０−３７−５、３４６０−４４−４、３４６８−６３−１、３４８７−９９−８、３４８９−２８−９、３４９１−６３−２、３５１１−３２−８、３５２０−７２−７、３５２１−９１−３、３５４９−２３−３、３５５８−６０−９、３５７０−５５−６、３５７２−０６−３、３５８１−８７−１、３５８１−９１−７、３５８６−１４−９、３６００−２４−６、３６０３−９９−４、３６１５−４１−６、３６２３−５１−６、３６２３−５２−７、３６３７−０１−２、３６３７−１４−７、３６３７−１６−９、３６５８−７７−３、３６５８−７７−３、３６５８−７９−５、３６５８−８０−８、３６５８−９２−２、３６５８−９３−３、３６５８−９４−４、３６５８−９５−５、３６６９−８０−５、３６８１−７１−８、３６８１−７８−５、３６８１−８２−１、３６８２−４２−６、３６８７−４８−７、３６９１−１２−１、３６９８−９５−１、３７１５−２９−５、３７１５−３１−９、３７２０−１６−９、３７２４−５５−８、３７２４−６１−６、３７２４−６５−０、３７３８−００−９、３７４６−４０−５、３７５７−３２−２、３７６０−１１−０、３７７３−９３−１、３７７７−６９−３、３７７７−７１−７、３７７９−６１−１、３７８０−５８−３、３７８２−００−１、３７９６−７０−１、３８４２−０３−３、３８４８−２４−６、３８５７−２５−８、３８７６−５２−６、３８７７−１５−４、３８９１−５９−６、３９１３−７１−１、３９１３−８０−２、３９１３−８１−３、３９１３−８５−７、３９１５−８３−１、３９３４−８１−４、３９３８−９５−２、３９４３−７４−６、４００１−６１−０、４０２３−６５−８、４０３２−８０−８、４０４９−３８−１、４０５０−４５−７、４０７７−４７−８、４１００−８０−５、４１０４−４５−４、４１１０−５０−３、４１１２−８９−４、４１１２−９２−９、４１２１−１３−５、４１２４−６３−４、４１２４−８８−３、４１３１−７６−４、４１５１−３３−１、４１６６−２０−５、４１７５−６６−０、４１７７−１６−６、４１７９−３８−８、４１８０−２３−８、４１９２−９０−９、４１９５−８８−４、４２０６−５８−０、４２０８−４９−５、４２０８−５７−５、４２０８−６１−１、４２１９−２４−３、４２２１−０３−８、４２２１−９８−１、４２２９−９１−８、４２３０−９７−１、４２５３−８９−８、４２６５−１６−１、４２６５−２５−２、４２６５−９７−８、４２７６−６８−０、４３１２−９９−６、４３１３−０３−５、４３２０−３０−３、４３４６−１８−３、４３５１−１０−４、４３５１−５４−６、４３５１−５５−７、４３５２−９９−２、４３５３−０１−９、４３５９−４６−０、４３５９−５４−０、４３６０−６０−５、４３６４−０６−１、４３７３−３４−６、４３８３−０５−５、４３９５−９２−０、４３９６−６２−７、４４０３−２０−７、４４０４−４５−９、４４１０−９９−５、４４１１−８９−６、４４２６−７９−３、４４２６−８３−９、４４３０−３１−３、４４３０−３６−８、４４３０−３９−１、４４３０−４２−６、４４３０−４５−９、４４３３−３６−７、４４３６−８２−２、４４３７−２０−１、４４３７−２２−３、４４３７−５１−８、４４４０−６５−７、４４４２−７９−９、４４５０−９４−６、４４５５−１３−４、４４６６−２４−４、４４８５−０９−０、４４９３−４２−９、４５００−５８−７、４５０１−５８−０、４５０２−００−５、４５１６−９０−９、４５３２−６４−３、４５３６−２３−６、４５３６−２６−９、４５７３−５０−６、４６０２−８４−０、４６０６−１５−９、４６３０−０７−３、４６３０−８２−４、４６３４−８９−３、４６４３−２５−８、４６４３−２７−０、４６７３−３１−８、４６７４−５０−４、４６７５−８７−０、４６８０−７８−８、４６９１−６５−０、４６９１−６５−０、４６９５−６２−９、４７０６−８１−４、４７２０−２９−０、４７２８−８２−９、４７３２−１３−２、４７４４−０８−５、４７４４−１０−９、４７４７−０７−３、４７４７−６１−９、４７４８−７８−１、４７５２−８６−７、４７９５−２９−３、４７９８−４４−１、４７９８−６１−２、４８１０−７９−１、４８２６−６２−４、４８５８−８５−９、４８６１−５８−９、４８６１−８５−２、４８６４−６１−３、４８６８−２０−６、４８８３−６０−７、４８８４−２４−６、４８８７−３０−３、４９００−３０−５、４９０６−２４−５、４９３８−５２−７、４９４０−１１−８、４９５１−４８−８、４９８４−８５−４、５００９−３２−５、５０５８−１９−５、５０７６−７２−２、５０７７−６７−８、５０９０−４１−５、５０９０−６３−１、５１２９−４７−５、５１２９−４８−６、５１３２−７５−２、５１３７−５２−０、５１４１−２０−８、５１４６−６６−７、５１５３−２５−３、５１６３−６７−７、５１６４−７８−３、５１６６−５３−０、５２０５−０７−２、５２０５−１０−７、５２０５−１１−８、５２０５−１２−９、５２０８−５９−３、５２６３−８７−６、５２７１−３８−５、５２８７−４５−６、５２９２−２１−７、５２９６−６４−０、５２９８−１３−５、５３０３−２６−４、５３２０−７５−２、５３２３−８７−５、５３２８−３７−０、５３３１−３２−８、５３３１−３７−３、５３３１−４８−６、５３３３−８３−５、５３４０−３６−３、５３４８−７４−３、５３４９−６０−０、５３４９−６２−２、５３５０−０３−８、５３５５−１７−９、５３５５−６３−５、５３６２−５６−１、５３６８−８１−０、５３９２−４０−５、５３９２−４０−５、５３９４−８３−２、５３９６−８９−４、５４０５−４１−４、５４０５−５８−３、５４０６−１２−２、５４０６−１８−８、５４１３−４９−０、５４１７−３０−１、５４２０−１７−７、５４２１−００−１、５４２１−０４−５、５４２１−１２−５、５４２１−１７−０、５４２１−２７−２、５４２１−９９−８、５４２２−３４−４、５４２４−０１−１、５４２４−１９−１、５４３２−８５−９、５４３５−６４−３、５４３６−２１−５、５４４４−７５−７、５４５１−５７−０、５４５１−８７−６、５４５１−８８−７、５４５１−９５−６、５４５２−０７−３、５４５２−７５−５、５４５４−０９−１、５４５４−１１−５、５４５４−１２−６、５４５４−１９−３、５４５４−２１−７、５４５４−２８−４、５４５５−２４−３、５４５７−７０−５、５４５７−８６−３、５４５８−５９−３、５４６０−４５−７、５４６０−４６−８、５４６１−０６−３、５４６１−０８−５、５４６６−０６−８、５４６８−０５−３、５４６８−０６−４、５４６８−２３−５、５４６８−７５−７、５４７１−５１−２、５５０２−７５−０、５５２４−０５−０、５５３３−０３−９、５５５０−１２−９、５５５２−３０−７、５５５５−９０−８、５５７７−４４−６、５５７９−７８−２、５５８５−３９−７、５６０１−６０−５、５６０４−５５−７、５６１６−５１−３、５６１７−６４−１、５６５０−４３−１、５６５５−６１−８、５６６０−６０−６、５６６９−０９−０、５６９４−８２−６、５６９８−２７−１、５７０３−２６−４、５７１８−７５−２、５７２４−８１−２、５７３９−１７−３、５７５６−２４−１、５７６０−５０−９、５７９４−０３−６、５７９４−０４−７、５８２０−８９−３、５８３７−７８−５、５８６２−４７−５、５８７０−６８−８、５８７０−９３−９、５８９７−４５−０、５９０５−４６−４、５９０５−４７−５、５９１０−８５−０、５９１０−８７−２、５９１０−８９−４、５９２１−８２−４、５９２１−８３−５、５９２５−６８−８、５９２５−７５−７、５９３３−８７−９、５９４３−３０−６、５９４３−３４−０、５９４７−３６−４、５９４９−０５−３、５９５３−４９−１、５９７８−７０−１、５９８０−１５−４、５９８６−３８−９、５９８８−９１−０、５９８９−２７−５、５９８９−３３−３、５９８９−５４−８、５９９６−２２−５、６００４−３８−２、６００７−２６−７、６０２８−０７−５、６０２８−６１−１、６０３０−１４−４、６０３２−２９−７、６０４４−６８−４、６０５１−０３−２、６０６６−４９−５、６０７０−１４−０、６０７０−１６−２、６０７９−９７−６、６０８９−０９−４、６０９１−５０−５
、６０９３−９５−４、６０９９−０３−２、６０９９−０４−３、６１１７−９１−５、６１１９−４７−７、６１１９−７０−６、６１２６−５０−７、６１３２−０４−３、６１３８−２３−４、６１６４−７９−０、６１６９−０６−８、６１７５−４９−１、６１８９−７６−０、６１９１−７１−５、６２０３−１８−５、６２０８−９１−９、６２２１−９３−８、６２２２−３５−１、６２４３−１０−３、６２４８−２０−０、６２５８−６０−２、６２５８−６３−５、６２５９−７６−３、６２５９−７７−４、６２６１−１８−３、６２６３−６５−６、６２７０−３４−４、６２７０−５５−９、６２７０−５６−０、６２８０−９９−５、６２８１−４０−９、６２８３−８６−９、６２８３−９２−７、６２８４−４６−４、６２９０−１３−７、６２９０−１４−８、６２９０−１７−１、６２９０−２０−６、６２９０−３７−５、６２９３−３７−４、６２９４−３１−１、６２９７−４８−９、６３０１−７０−８、６３０４−２４−１、６３０９−５１−９、６３０９−６２−２、６３１４−９７−２、６３１６−１６−１、６３１６−５４−７、６３２０−１８−９、６３２１−４５−５、６３２９−０１−７、６３３０−６７−２、６３４２−５６−９、６３５８−８５−６、６３７８−６５−０、６３７９−７３−３、６３８０−２３−０、６３８０−２８−５、６３８１−９２−６、６３８２−０６−５、６４１３−１０−１、６４１４−３２−０、６４２４−１２−０、６４２８−３１−５、６４４３−９２−１、６４５４−２２−４、６４７１−６６−５、６４７１−９６−１、６４８５−３４−３、６４８５−４０−１、６５１３−０３−７、６５４０−８６−９、６５４０−９８−３、６５５３−８１−７、６５６１−３９−３、６５８８−７８−９、６６２２−７６−０、６６２４−５８−４、６６２４−７１−１、６６２７−８８−９、６６２８−１８−８、６６３５−２２−９、６６３８−０５−７、６７２５−６４−０、６７２８−２６−３、６７２８−３１−０、６７３８−２３−４、６７５０−０３−４、６７５３−９８−６、６７６６−８２−１、６７８９−８０−６、６７８９−８８−４、６７９０−５８−５、６８１２−７８−８、６８３９−７５−４、６８４９−１８−９、６８９０−２６−２、６８９０−２７−３、６８９３−２６−１、６９０１−９７−９、６９１１−５１−９、６９１５−１５−７、６９２４−６８−１、６９３８−３３−６、６９３８−４５−０、６９３９−７５−９、６９４０−０９−６、６９４７−０２−０、６９５１−０８−２、６９６３−４０−２、６９６３−４４−６、６９６３−５６−０、６９７１−５１−３、６９７５−２４−２、６９７５−６０−６、６９７６−７２−３、６９８２−７２−５、６９８６−５１−２、７０１１−８３−８、７０５３−７９−４、７０６９−４１−２、７１１１−２９−７、７１４３−６９−３、７１４８−７８−９、７１４９−２６−０、７１４９−２９−３、７１４９−３２−８、７１５５−１２−６、７２０７−４９−０、７２１２−４０−０、７２１２−４４−４、７２１６−５６−０、７２１７−５９−６、７２２０−８１−７、７２４１−９８−７、７２５１−６１−８、７２７４−８８−６、７２９９−９１−４、７３１１−３４−４、７３１４−４４−５、７３１８−６７−４、７３２２−６３−６、７３２８−３４−９、７３３５−２６−４、７３４１−１７−５、７３６１−８０−０、７３６７−７８−４、７３６７−８１−９、７３６７−８２−０、７３６７−８３−１、７３６７−８４−２、７３６７−８５−３、７３６７−８８−６、７３６７−９０−０、７３７０−４４−７、７３７０−９２−５、７３８４−９８−７、７３８６−２４−５、７３９２−１９−０、７３９９−４９−７、７４０２−２９−１、７４１６−３５−５、７４１７−１８−７、７４２５−１５−２、７４３４−８９−１、７４４７−４０−７、７４５２−７９−１、７４６０−７４−４、７４６２−２４−０、７４９２−３７−７、７４９２−３９−９、７４９２−４１−３、７４９２−４４−６、７４９２−４５−７、７４９２−６５−１、７４９２−６６−２、７４９２−６７−３、７４９２−６９−５、７４９２−７０−８、７４９３−５７−４、７４９３−５８−５、７４９３−５９−６、７４９３−６３−２、７４９３−６５−４、７４９３−６６−５、７４９３−６８−７、７４９３−６９−８、７４９３−７１−２、７４９３−７２−３、７４９３−７４−５、７４９３−７５−６、７４９３−７６−７、７４９３−７８−９、７４９３−７９−０、７４９３−８０−３、７４９３−８２−５、７４９３−９５−０、７５００−４２−７、７５０４−６６−７、７５３３−０７−５、７５４０−５１−４、７５４０−５３−６、７５４１−４９−３、７５４９−３３−９、７５４９−３７−３、７５４９−４１−９、７５５３−５６−２、７５５４−１２−３、７５５８−６３−６、７５６３−３３−９、７５８５−３９−９、７５９８−６０−９、７６３１−９４−９、７６４６−７８−８、７６４６−７９−９、７６４７−１４−５、７６８１−８８−１、７６８８−２１−３、７６９９−４５−８、７７０４−７３−６、７７２６−０３−６、７７３２−１８−５、７７５６−９６−９、７７６４−５０−３、７７７４−４４−９、７７７４−４７−２、７７７４−６０−９、７７７４−６５−４、７７７４−７３−４、７７７４−７４−５、７７７４−７９−０、７７７４−８２−５、７７７４−９６−１、７７７５−００−０、７７７５−３８−４、７７７５−３９−５、７７７６−２８−５、７７７８−８０−５、７７７８−８３−８、７７７８−８７−２、７７７８−９６−３、７７７９−０７−９、７７７９−１６−０、７７７９−１７−１、７７７９−２３−９、７７７９−３０−８、７７７９−４１−１、７７７９−５０−２、７７７９−５４−６、７７７９−６５−９、７７７９−６６−０、７７７９−６７−１、７７７９−７０−６、７７７９−７２−８、７７７９−７３−９、７７７９−７５−１、７７７９−７７−３、７７７９−７８−４、７７７９−８０−８、７７７９−８１−９、７７７９−９４−４、７７８０−０６−５、７７８１−９８−８、７７８２−４９−２、７７８４−６７−０、７７８４−９８−７、７７８５−２６−４、７７８５−３３−３、７７８５−５３−７、７７８５−５４−８、７７８５−６３−９、７７８５−６４−０、７７８５−６５−１、７７８５−７０−８、７７８６−２９−０、７７８６−３０−３、７７８６−４４−９、７７８６−４７−２、７７８６−４８−３、７７８６−５８−５、７７８６−６１−０、７７８６−６７−６、７７８７−２０−４、７７８９−９２−６、７７９０−２８−５、７８０３−６３−６、７８０３−６５−８、８０００−２５−７、８０００−２５−７、８０００−２５−７、８０００−２５−７、８０００−２５−７、８０００−２５−７、８０００−２５−７、８０００−２５−７、８０００−２５−７、８０００−２５−７、８０００−２５−７、８０００−２６−８、８０００−２８−０、８０００−２８−０、８０００−２８−０、８０００−２８−０、８０００−２８−０、８０００−２８−０、８０００−２８−０、８０００−２８−０、８０００−２９−１、８０００−３４−８、８０００−３４−８、８０００−３４−８、８０００−３４−８、８０００−３４−８、８０００−４１−７、８０００−４２−８、８０００−４２−８、８０００−４４−０、８０００−４４−０、８０００−４６−２、８０００−４６−２、８０００−４６−２、８０００−４６−２、８０００−４６−２、８０００−４８−４、８０００−４８−４、８０００−４８−４、８０００−４８−４、８０００−４８−４、８０００−４８−４、８０００−６６−６、８０００−６６−６、８０００−６８−８、８０００−６８−８、８０００−６８−８、８０００−６８−８、８０００−６８−８、８０００−７８−０、８０００−７８−０、８０００−７８−０、８０００−７８−０、８００１−０４−５、８００１−２５−０、８００１−２５−０、８００１−２５−０、８００１−３１−８、８００１−３１−８、８００１−３１−８、８００１−４８−７、８００１−５８−９、８００１−７６−１、８００１−７６−１、８００２−０３−７、８００２−０３−７、８００２−０９−３、８００２−１３−９、８００２−４８−０、８００２−５６−０、８００２−６０−６、８００２−６０−６、８００２−６６−２、８００２−６６−２、８００２−７２−０、８００２−７２−０、８００２−７２−０、８００２−７２−０、８００２−７２−０、８００２−７３−１、８００２−７３−１、８００２−７３−１、８００２−７３−１、８００２−７３−１、８００５−３３−２、８００６−６４−２、８００６−７５−５、８００６−７５−５、８００６−７５−５、８００６−７５−５、８００６−７５−５、８００６−７５−５、８００６−７５−５、８００６−７５−５、８００６−７７−７、８００６−７７−７、８００６−７７−７、８００６−７７−７、８００６−７７−７、８００６−７７−７、８００６−７７−７、８００６−７８−８、８００６−８１−３、８００６−８１−３、８００６−８１−３、８００６−８１−３、８００６−８１−３、８００６−８２−４、８００６−８２−４、８００６−８２−４、８００６−８２−４、８００６−８３−５、８００６−８４−６、８００６−８６−８、８００６−８７−９、８００６−８７−９、８００６−９０−４、８００６−９０−４、８００６−９０−４、８００６−９０−４、８００６−９０−４、８００６−９０−４、８００６−９０−４、８００６−９０−４、８００６−９０−４、８００６−９０−４、８００６−９０−４、８００６−９０−４、８００６−９０−４、８００６−９０−４、８００６−９０−４、８００７−００−９、８００７−００−９、８００７−００−９、８００７−０１−０、８００７−０１−０、８００７−０１−０、８００７−０１−０、８００７−０１−０、８００７−０１−０、８００７−０１−０、８００７−０１−０、８００７−０２−１、８００７−０２−１、８００７−０２−１、８００７−０４−３、８００７−０４−３、８００７−０６−５、８００７−０８−７、８００７−０８−７、８００７−０８−７、８００７−０８−７、８００７−０８−７、８００７−１１−２、８００７−１１−２、８００７−１１−２、８００７−１２−３、８００７−１２−３、８００７−２０−３、８００７−２７−０、８００７−３５−０、８００７−４０−７、８００７−４０−７、８００７−４６−３、８００７−４６−３、８００７−４６−３、８００７−４６−３、８００７−４８−５、８００７−４８−５、８００７−４８−５、８００７−７０−３、８００７−７０−３、８００７−７０−３、８００７−７０−３、８００７−７０−３、８００７−７５−８、８００７−７５−８、８００７−７５−８、８００７−７５−８、８００７−７５−８、８００７−７５−８、８００７−７８−１、８００７−７８−１、８００７−８０−５、８００７−８０−５、８００７−８０−５、８００７−８７−２、８００７−８７−２、８００７−９３−０、８００７−９３−０、８００８−２６−２、８００８−２６−２、８００８−２６−２、８００８−２６−２、８００８−２６−２、８００８−２６−２、８００８−２６−２、８００８−２６−２、８００８−２６−２、８００８−２６−２、８００８−２６−２、８００８−２６−２、８００８−２６−２、８００８−３１−９、８００８−３１−９、８００８−３１−９、８００８−３１−９、８００８−３１−９、８００８−３１−９、８００８−３１−９、８００８−３１−９、８００８−３１−９、８００８−３１−９、８００８−３１−９、８００８−３１−９、８００８−４５−５、８００８−４５−５、８００８−４５−５、８００８−４５−５、８００８−４５−５、８００８−５１−３、８００８−５２−４、８００８−５２−４、８００８−５２−４、
８００８−５２−４、８００８−５６−８、８００８−５６−８、８００８−５６−８、８００８−５６−８、８００８−５６−８、８００８−５６−８、８００８−５６−８、８００８−５６−８、８００８−５６−８、８００８−５６−８、８００８−５６−８、８００８−５６−８、８００８−５６−８、８００８−５６−８、８００８−５６−８、８００８−５６−８、８００８−５７−９、８００８−５７−９、８００８−５７−９、８００８−５７−９、８００８−５７−９、８００８−５７−９、８００８−５７−９、８００８−５７−９、８００８−５７−９、８００８−５７−９、８００８−５７−９、８００８−５７−９、８００８−５７−９、８００８−５７−９、８００８−５７−９、８００８−５７−９、８００８−５７−９、８００８−５７−９、８００８−５７−９、８００８−５７−９、８００８−５７−９、８００８−５７−９、８００８−７４−０、８００８−７４−０、８００８−７４−０、８００８−７４−０、８００８−７９−５、８００８−７９−５、８００８−７９−５、８００８−７９−５、８００８−８０−８、８００８−８８−６、８００８−８８−６、８００８−９３−３、８００８−９３−３、８００８−９３−３、８００８−９３−３、８００８−９８−８、８００８−９８−８、８００８−９９−９、８００８−９９−９、８０１２−８９−３、８０１２−８９−３、８０１２−９１−７、８０１３−０１−２、８０１３−１２−５、８０１３−７５−０、８０１３−７６−１、８０１３−９０−９、８０１３−９７−６、８０１３−９９−８、８０１３−９９−８、８０１４−０９−３、８０１４−０９−３、８０１４−０９−３、８０１４−０９−３、８０１４−０９−３、８０１４−１３−９、８０１４−１３−９、８０１４−１７−３、８０１４−１７−３、８０１４−１７−３、８０１４−１７−３、８０１４−１７−３、８０１４−１７−３、８０１４−１９−５、８０１４−２９−７、８０１４−２９−７、８０１４−７１−９、８０１５−０１−８、８０１５−０１−８、８０１５−０１−８、８０１５−０１−８、８０１５−６２−１、８０１５−６２−１、８０１５−６４−３、８０１５−６４−３、８０１５−６４−３、８０１５−６４−３、８０１５−６４−３、８０１５−６４−３、８０１５−７３−４、８０１５−７３−４、８０１５−７３−４、８０１５−７３−４、８０１５−７３−４、８０１５−７３−４、８０１５−７３−４、８０１５−７３−４、８０１５−７３−４、８０１５−７７−８、８０１５−７７−８、８０１５−７７−８、８０１５−８８−１、８０１５−８８−１、８０１５−８８−１、８０１５−８８−１、８０１５−８９−２、８０１５−８９−２、８０１５−９０−５、８０１５−９０−５、８０１５−９０−５、８０１５−９１−６、８０１５−９１−６、８０１５−９１−６、８０１５−９１−６、８０１５−９１−６、８０１５−９１−６、８０１５−９２−７、８０１５−９２−７、８０１５−９２−７、８０１６−０３−３、８０１６−０３−３、８０１６−２０−４、８０１６−２０−４、８０１６−２０−４、８０１６−２０−４、８０１６−２０−４、８０１６−２０−４、８０１６−２０−４、８０１６−２０−４、８０１６−２０−４、８０１６−２０−４、８０１６−２０−４、８０１６−２０−４、８０１６−２１−５、８０１６−２１−５、８０１６−２３−７、８０１６−２５−９、８０１６−２６−０、８０１６−２６−０、８０１６−２６−０、８０１６−３１−７、８０１６−３１−７、８０１６−３１−７、８０１６−３６−２、８０１６−３６−２、８０１６−３７−３、８０１６−３７−３、８０１６−３７−３、８０１６−３７−３、８０１６−３８−４、８０１６−３８−４、８０１６−３８−４、８０１６−３８−４、８０１６−４２−０、８０１６−６３−５、８０１６−６３−５、８０１６−６３−５、８０１６−６３−５、８０１６−６３−５、８０１６−６３−５、８０１６−６３−５、８０１６−６３−５、８０１６−６８−０、８０１６−６９−１、８０１６−７８−２、８０１６−７８−２、８０１６−７９−３、８０１６−８４−０、８０１６−８４−０、８０１６−８４−０、８０１６−８４−０、８０１６−８４−０、８０１６−８４−０、８０１６−８４−０、８０１６−８４−０、８０１６−８４−０、８０１６−８５−１、８０１６−８５−１、８０１６−８５−１、８０１６−８５−１、８０１６−８５−１、８０１６−８８−４、８０１６−９４−２、８０２１−２９−２、８０２１−３９−４、８０２２−０７−９、８０２２−０７−９、８０２２−０７−９、８０２２−０７−９、８０２２−１５−９、８０２２−１５−９、８０２２−１５−９、８０２２−１８−２、８０２２−５６−８、８０２２−５６−８、８０２２−５６−８、８０２２−５６−８、８０２２−５６−８、８０２２−５６−８、８０２２−５６−８、８０２２−５６−８、８０２２−５６−８、８０２２−５６−８、８０２２−９６−６、８０２２−９６−６、８０２２−９６−６、８０２２−９６−６、８０２２−９６−６、８０２２−９６−６、８０２２−９６−６、８０２２−９６−６、８０２２−９６−６、８０２３−７６−５、８０２３−７７−６、８０２３−７７−６、８０２３−７８−７、８０２３−７８−７、８０２３−８３−４、８０２３−８３−４、８０２３−８３−４、８０２３−８３−４、８０２３−８８−９、８０２３−８８−９、８０２３−８９−０、８０２３−８９−０、８０２３−８９−０、８０２３−９１−４、８０２３−９１−４、８０２３−９９−２、８０２３−９９−２、８０２３−９９−２、８０２３−９９−２、８０２４−００−８、８０２４−０３−１、８０２４−０５−３、８０２４−０５−３、８０２４−０６−４、８０２４−０６−４、８０２４−０６−４、８０２４−０８−６、８０２４−０８−６、８０２４−１５−５、８０２４−４０−６、８０２５−９５−４、８０２５−９５−４、８０２８−４７−５、８０２８−４８−６、８０２８−４８−６、８０２８−４８−６、８０２８−４８−６、８０２８−４８−６、８０２８−４８−６、８０２８−６６−８、８０２８−６６−８、８０２９−３１−０、８０２９−８１−０、８０３０−２８−２、８０３０−２８−２、８０３０−２８−２、８０３０−２８−２、８０３０−８９−５、８０３０−９７−５、８０３１−０３−６、８０３１−０３−６、８０３１−０３−６、８０３１−０３−６、８０３８−６５−１、８０４６−１９−３、８０４６−１９−３、８０４６−１９−３、８０４６−１９−３、８０４６−１９−３、８０４６−１９−３、８０４７−２４−３、８０４８−５１−９、８０４８−５１−９、８０５０−０７−５、８０５０−０７−５、８０５０−０７−５、８０５０−１５−５、８０５２−１４−０、８０５２−１４−０、８０５２−３５−５、８０５２−９１−３、８０５３−３３−６、８０５３−３９−２、８０５４−３９−５、８０５７−４９−６、８０５７−４９−６、８０５７−４９−６、８０５７−４９−６、８０５７−４９−６、８０６０−２８−４、８０６０−２８−４、８０６０−２８−４、８０６０−２８−４、９０００−０１−５、９０００−０３−７、９０００−０４−８、９０００−０４−８、９０００−０４−８、９０００−０４−８、９０００−０４−８、９０００−０５−９、９０００−０５−９、９０００−０５−９、９０００−０５−９、９０００−０５−９、９０００−１９−５、９０００−１９−５、９０００−２４−２、９０００−４０−２、９０００−４０−２、９０００−４５−７、９０００−４５−７、９０００−５５−９、９０００−５７−１、９０００−６４−０、９０００−６４−０、９０００−６４−０、９０００−７２−０、９０００−７２−０、９０００−７２−０、９０００−７２−０、９０００−７５−３、９０００−７５−３、９０００−７５−３、９０００−７８−６、９０００−７８−６、９０００−７８−６、９００１−０５−２、９００５−３７−２、９００５−９０−７、９０１２−３７−７、９０１４−６３−５、９０２５−７０−１、９０３６−６６−２、９０５０−３６−６、１００１６−２０−３、１００２２−２８−３、１００２２−３１−８、１００２４−４７−２、１００２４−５６−３、１００２４−５７−４、１００２４−６４−３、１００２８−２２−５、１００３０−８０−５、１００３１−７１−７、１００３１−８２−０、１００３１−８６−４、１００３１−８７−５、１００３１−８８−６、１００３１−９０−０、１００３１−９２−２、１００３１−９３−３、１００３１−９６−６、１００３２−００−５、１００３２−０２−７、１００３２−０５−０、１００３２−０８−３、１００３２−１１−８、１００３２−１３−０、１００３２−１５−２、１００３９−３９−１、１００４２−７６−９、１００５８−４３−２、１００７２−０５−６、１００９４−３４−５、１００９４−３６−７、１００９４−４０−３、１００９４−４１−４、１０１０８−８０−２、１０１２４−４３−３、１０１３８−６３−３、１０１３９−４７−６、１０１５２−７６−８、１０１５２−７７−９、１０１５３−８３−０、１０１９０−９９−５、１０１９２−３２−２、１０１９８−２３−９、１０２０３−２８−８、１０２０８−８０−７、１０２２９−１０−４、１０２３３−１３−３、１０２３５−６３−９、１０２３６−１６−５、１０２３６−４７−２、１０２５５−６７−１、１０２７６−８５−４、１０２９７−７２−０、１０３１６−６６−２、１０３２１−７１−８、１０３２３−２０−３、１０３２６−４１−７、１０３３９−６１−４、１０３４０−２３−５、１０３５２−８７−１、１０３５２−８８−２、１０３６１−３７−２、１０３６１−３９−４、１０３８０−７９−７、１０４０２−３３−２、１０４０２−４７−８、１０４０２−４８−９、１０４０２−５２−５、１０４１１−９３−５、１０４１１−９５−７、１０４１３−１８−０、１０４１４−６８−３、１０４１５−８６−８、１０４１５−８７−９、１０４１５−８８−０、１０４４４−５０−５、１０４４８−２６−７、１０４５８−１４−７、１０４７１−１４−４、１０４７１−９６−２、１０４８２−５５−０、１０４８２−５６−１、１０４８２−６５−２、１０４８２−７７−６、１０４８４−５６−７、１０４８６−１４−３、１０４８６−１９−８、１０５１９−０６−９、１０５１９−１７−２、１０５１９−２０−７、１０５１９−３３−２、１０５２１−９１−２、１０５２１−９６−７、１０５２２−１８−６、１０５２２−３３−５、１０５２２−３７−９、１０５４４−６３−５、１０５８０−２５−３、１０５８８−１０−０、１０５８８−１５−５、１０５９５−８２−１、１０５９９−６９−６、１０５９９−７０−９、１０６０２−３４−３、１０６０６−４７−０、１１０３１−４５−１、１１０５０−６２−７、１１１１３−６２−５、１２０２７−６７−７、１２１２５−０２−９、１２１３５−７６−１、１２２２７−７８−０、１２２６２−０３−２、１３００２−０８−９、１３００２−０９−０、１３００２−１１−４、１３０１９−１６−４、１３０１９−２０−０、１３０１９−２２−２、１３０４９−８８−２、１３０５１−４８−４、１３０５８−１２−３、１３１００−４６−４、１３１０９−７０−１、１３１１２−６３−５、１３１１２−６５−７、１３１６２−４６−４、１３１７１−００−１、１３１７５−４４−５、１３１８４−８６−６、１３２０１−４６−２、１３２１５−８８−８、１３２３８−８４−１、１３２４６−５２−１、１３２５４−３４−７、１３２６２−２４−３、１３２６２−２７−６、１３２６９−５２−８、１３２８５−５１−３、１３３２７−５６−５、１３３４１−７２−５、１３３４３−９５−８、１３３６０−６４−０、１３３６０−６４−０、１３３６０−６５−１、１３３６８−６５−５、１３３９８−９４−２、１３４０２−０２−３、１３４１６−７４−５、１３４１９−６９−７、１
３４３９−９８−０、１３４４２−８９−２、１３４４２−９０−５、１３４４２−９２−７、１３４６６−７８−９、１３４７３−９０−０、１３４７４−０３−８、１３４７７−００−４、１３４８１−８７−３、１３４９３−９７−５、１３４９４−０６−９、１３４９４−０７−０、１３４９４−０８−１、１３５２９−２７−６、１３５３２−１８−８、１３５３２−３７−１、１３５３５−４３−８、１３５４８−８４−０、１３５５２−９６−０、１３５５３−０９−８、１３５６２−８４−０、１３６０２−０９−０、１３６１６−８２−５、１３６２３−１１−５、１３６７４−１９−６、１３６７８−５８−５、１３６７８−５９−６、１３６７８−６０−９、１３６７８−６１−０、１３６７８−６７−６、１３６７８−６８−７、１３６７８−６９−８、１３６７８−７３−４、１３６７９−４６−４、１３６７９−６０−２、１３６７９−６１−３、１３６７９−７０−４、１３６７９−７２−６、１３６７９−７４−８、１３６７９−７５−９、１３６７９−８３−９、１３６７９−８５−１、１３６７９−８６−２、１３７０６−８６−０、１３７０８−１２−８、１３７０８−１２−８、１３７１８−９４−０、１３７２０−１２−２、１３７４４−１５−５、１３７４６−６６−２、１３７４８−９０−８、１３７９４−１５−５、１３８１１−７１−７、１３８２８−３７−０、１３８５１−１１−１、１３８７７−９１−３、１３８７７−９３−５、１３８９４−６１−６、１３８９４−６２−７、１３８９４−６３−８、１３９２５−００−３、１３９２５−０３−６、１３９２５−０５−８、１３９２５−０６−９、１３９２５−０７−０、１３９２５−０８−１、１３９５２−８４−６、１３９９１−３７−２、１４０２７−７８−２、１４０４９−１１−７、１４０５９−９２−８、１４０６２−１８−１、１４０７３−９７−３、１４０９０−８７−０、１４１０９−７２−９、１４１２９−４８−７、１４１５９−６１−６、１４１７３−２５−２、１４１８９−８５−６、１４２５０−９５−４、１４２５２−４２−７、１４２５２−８４−７、１４２５８−４９−２、１４２５９−４６−２、１４２８７−０４−８、１４３０２−１３−７、１４３０９−５７−０、１４３６０−５０−０、１４４００−６７−０、１４４１４−３２−５、１４４３６−３２−９、１４４８１−５２−８、１４４８１−５５−１、１４５２９−５３−４、１４５４８−４６−０、１４５７６−０８−０、１４６１７−９２−６、１４６２０−５２−１、１４６６７−５５−１、１４６８６−１３−６、１４７５６−０３−７、１４７６５−３０−１、１４８１２−０３−４、１４８５２−３１−４、１４８８２−１８−９、１４８９８−７９−４、１４９０１−０７−６、１４９１４−９９−９、１４９５９−８６−５、１４９７１−１４−３、１５１１１−９６−３、１５１１１−９７−４、１５１３０−７６−４、１５１８６−５１−３、１５３５６−６０−２、１５３５６−７４−８、１５３９９−０５−０、１５４５６−６８−５、１５４５６−７０−９、１５４６９−７７−９、１５５１４−３０−０、１５５３７−５５−０、１５５７０−１２−４、１５５７２−７９−９、１５６７９−０９−１、１５６７９−１２−６、１５６７９−１３−７、１５６７９−１９−３、１５７０６−７３−７、１５７０７−２３−０、１５７０７−２４−１、１５７０７−３４−３、１５７２９−７６−７、１５７６４−０４−２、１５７６４−１６−６、１５８０５−７５−１、１５９３２−８０−６、１５９８６−８０−８、１５９８６−９６−６、１５９８７−００−５、１５９９１−５９−０、１６０９０−７７−０、１６１２８−６８−０、１６２１５−２１−７、１６２６０−２６−７、１６３０８−９２−２、１６３５６−１１−９、１６３９７−７５−４、１６３９７−７８−７、１６４００−７２−９、１６４０９−４３−１、１６４０９−４５−３、１６４０９−４６−４、１６４２４−３２−１、１６４２９−２１−３、１６４３６−００−３、１６４９１−２４−０、１６４９１−２５−１、１６４９１−３６−４、１６４９１−５４−６、１６４９３−８０−４、１６５０９−４６−９、１６５１０−２７−３、１６６２５−６９−７、１６６３０−５２−７、１６６３０−５５−０、１６６３０−６０−７、１６６３０−６１−８、１６６３０−６５−２、１６６３０−６６−３、１６６３５−５４−４、１６６７６−９６−３、１６７２１−３８−３、１６７２１−３９−４、１６７４７−３２−３、１６８３９−９７−７、１６９３０−９３−１、１６９３０−９６−４、１６９３０−９７−５、１６９３０−９９−７、１６９３９−７３−４、１６９５７−７０−３、１６９５８−８５−３、１６９７４−１１−１、１７０７４−０２−１、１７１０２−６４−６、１７１１４−８２−８、１７１６２−２９−７、１７１９４−００−２、１７２６５−３０−４、１７２８３−８１−７、１７３６９−５７−２、１７３６９−５９−４、１７３６９−６０−７、１７３６９−６１−８、１７３７３−８４−１、１７３７３−８９−６、１７３７３−９３−２、１７３９２−８３−５、１７４６３−０１−３、１７４６５−８６−０、１７４８８−６５−２、１７５８７−３３−６、１７６００−７２−５、１７６１９−３６−２、１７６２６−７５−４、１７６２７−４４−０、１７６７３−４９−３、１７６９９−１６−０、１７９０９−７７−２、１７９１２−８７−７、１７９１６−９１−５、１８０３１−４０−８、１８０６０−７７−０、１８０６０−７９−２、１８１１４−４９−３、１８１３８−０３−９、１８１３８−０４−０、１８１３８−０５−１、１８１７２−６７−３、１８１８５−８１−４、１８１８９−０２−１、１８１８９−０５−４、１８２７７−２７−５、１８２９４−８７−６、１８３０９−２８−９、１８３０９−３２−５、１８３１８−８３−７、１８３５８−５３−７、１８３６２−９７−５、１８３６８−９１−７、１８３８３−４９−８、１８４０２−８２−９、１８４０９−１７−１、１８４０９−１８−２、１８４０９−２０−６、１８４０９−２１−７、１８４３３−９３−７、１８４３６−３７−８、１８４４９−６０−０、１８４５１−９６−２、１８４７９−４９−７、１８４７９−５１−１、１８４７９−５８−８、１８４７９−６８−０、１８４９２−６５−４、１８４９２−６６−５、１８５４３−６８−５、１８６４０−７４−９、１８６７５−３３−７、１８６７５−３５−９、１８６７９−１８−０、１８７２１−６１−４、１８７７６−９２−６、１８７９４−７７−９、１８７９４−８４−８、１８８００−５３−８、１８８２４−６３−０、１８８２９−５５−５、１８８２９−５６−６、１８８３６−５２−７、１８９１６−１７−１、１８９９９−２８−５、１９００９−５６−４、１９０８９−９２−０、１９０９３−２０−０、１９１４１−４０−３、１９１４９−８５−０、１９１４９−８６−１、１９１６２−００−６、１９２３８−４９−４、１９２６９−２８−４、１９３１７−１１−４、１９３２２−２７−１、１９３２９−８９−６、１９３４２−０１−９、１９３７８−５１−９、１９４６４−９４−９、１９４７３−４９−５、１９４８４−２６−５、１９４８７−６１−７、１９５４９−８３−８、１９６２０−３７−２、１９７００−２１−１、１９７７３−４６−７、１９７７３−５０−３、１９７７３−５６−９、１９７８０−５６−４、１９７８１−１３−６、１９７８８−４９−９、１９７８８−５０−２、１９８４７−１２−２、１９８５５−５２−８、１９８７２−５２−７、１９８８３−２６−２、１９８８３−２７−３、１９８８３−２９−５、１９９０２−０８−０、１９９６１−５２−５、２００１３−７３−４、２００５３−８８−７、２０１２５−８１−９、２０１２５−８４−２、２０１２５−８５−３、２０２６２−２６−４、２０２７３−２４−９、２０２７９−２５−８、２０２７９−４３−０、２０２７９−５１−０、２０２８６−４５−７、２０２９８−７１−９、２０２９８−７２−０、２０３０７−８４−０、２０３３３−３９−５、２０３４７−６５−３、２０４０７−８４−５、２０４１６−０８−４、２０４２５−５４−１、２０４２７−５８−１、２０４３２−４０−０、２０４７４−９３−５、２０４８３−３６−７、２０４８７−４０−５、２０４８９−５３−６、２０５８２−８５−８、２０５９２−１０−３、２０６６２−８４−４、２０６６５−８５−４、２０６７５−９５−０、２０６８０−１０−８、２０６８１−５１−０、２０７０２−７７−６、２０７４８−８７−２、２０７５６−８６−９、２０７７０−４０−５、２０７７７−３９−３、２０７７７−４７−３、２０７７７−４９−５、２０７８０−４９−８、２０８１５−２７−４、２０８１８−８１−９、２０８５９−１０−３、２０９２０−８３−６、２０９２１−０４−４、２０９９６−３５−４、２０９９６−６２−７、２１０６３−７１−８、２１１２９−２７−１、２１１８８−５８−９、２１１８８−６０−３、２１１８８−６１−４、２１３６８−６８−３、２１４９０−６３−１、２１５９３−７７−１、２１６４３−３８−９、２１６５３−２０−３、２１６６２−０８−８、２１６６２−０９−９、２１６６２−１３−５、２１６６２−１５−７、２１６６２−１６−８、２１７２２−８３−８、２１８３４−９２−４、２１８３４−９８−０、２１８３５−０１−８、２１８６２−６３−５、２１８８４−２６−４、２１９２２−５８−７、２１９４４−９８−９、２１９４８−７０−９、２１９６２−２４−３、２１９６３−２６−８、２１９６４−４４−３、２２０１４−４８−８、２２０２６−１３−７、２２０２９−７６−１、２２０３０−１９−９、２２０４７−２５−２、２２０４７−２６−３、２２０４７−２７−４、２２０７２−１９−１、２２０９４−００−４、２２１０４−７８−５、２２１０４−７９−６、２２１０４−８０−９、２２１０４−８１−０、２２３１９−３１−９、２２４５１−４９−６、２２４５１−５０−９、２２６１０−８６−２、２２６９４−９６−８、２２７０７−３５−３、２２７７１−４４−４、２２８３９−４７−０、２２９２４−１５−８、２２９４０−８６−９、２３０８９−２６−１、２３１４７−５７−１、２３２６７−５７−４、２３３２８−６２−３、２３３３３−９１−７、２３４３３−０５−８、２３４４５−０２−５、２３４９５−１２−７、２３５１１−７０−８、２３５１６−３８−３、２３５５０−４０−５、２３５５６−９０−３、２３６５４−９２−４、２３６９６−８５−７、２３７２６−９１−２、２３７２６−９２−３、２３７２６−９３−４、２３７２６−９４−５、２３７４７−１４−０、２３７４７−３４−４、２３７４７−４３−５、２３７４７−４５−７、２３７４７−４８−０、２３７６９−３９−３、２３７８７−８０−６、２３８３２−１８−０、２３９８６−７４−５、２４１３３−７３−１、２４１６８−７０−５、２４２０２−００−４、２４２７６−８４−４、２４２９５−０３−２、２４３１７−９４−０、２４３１７−９５−１、２４３２３−２４−８、２４３２３−３８−４、２４３３０−５２−７、２４４０１−３６−３、２４４１５−２６−７、２４４２７−７７−８、２４４６６−８４−０、２４６５３−７５−６、２４６７７−７８−９、２４６８０−５０−０、２４６８３−００−９、２４７１７−８５−９、２４７１７−８６−０、２４７２０−０９−０、２４７８１−１３−３、２４８１７−５１−４、２４８５１−９８−７、２５０１３−１６−５、２５１０３−５８−６、２５１５２−８４−５、２５１５２−８５−６、２５１６６−８７−４、２５２２６−９８−６、２５２３４−２５−７、２５２６３−９７−２、２５２６５−７１−８、２５３０４−１４−７、２５３１２−３４−９、２５３２２−６８−３、２５３３４−９３−４、２５３９４−５７−４、２５３９５−３１−７、２５４０９−０８−９、２５４１５−６２−７、２５４１５−６７−２、２５４１５−７
６−３、２５４１５−８４−３、２５５２４−９５−２、２５５６４−２２−１、２５６７７−４０−１、２５６８０−５７−３、２５６８０−５８−４、２５７７３−４０−４、２５７９０−３５−６、２５９０５−１４−０、２５９０５−１６−２、２６００１−５８−１、２６０９３−６３−０、２６１３１−９１−９、２６１５３−３８−８、２６１７１−７８−８、２６２５４−９２−２、２６２６６−６８−２、２６２６６−７７−３、２６３０３−９０−２、２６３７０−２８−５、２６４４６−３１−１、２６４４６−３２−２、２６４５０−５８−８、２６４７３−４７−２、２６４８６−１３−５、２６４８６−１４−６、２６４８６−２１−５、２６４８９−０１−０、２６４９４−１０−０、２６５３７−１９−９、２６５５３−４６−８、２６５５３−４７−９、２６６４３−９１−４、２６６４３−９２−５、２６６５１−９６−７、２６７１８−８３−２、２６７２０−１９−４、２６８５０−６９−１、２６９２７−８９−９、２６９４６−６６−７、２６９４６−６８−９、２７０３９−８４−５、２７０４３−０５−６、２７１１３−２２−０、２７１５３−５４−４、２７１９６−００−５、２７２１５−３８−９、２７２１５−９５−８、２７２４３−０８−９、２７３００−２７−２、２７３６１−１６−６、２７３７２−０３−８、２７５３８−０９−６、２７５３８−１０−９、２７５３８−３５−８、２７５３９−９４−２、２７５７５−６１−７、２７５９３−２３−３、２７６２５−３５−０、２７７３９−２８−２、２７７３９−２９−３、２７７４３−７０−０、２７８１７−６７−０、２７８２９−７２−７、２７８７１−４９−４、２７８７６−２４−０、２７９３９−６０−２、２８０２４−１６−０、２８０４５−７７−４、２８０４８−９４−４、２８０６０−９０−４、２８０６９−７２−９、２８０６９−７４−１、２８０７９−０４−１、２８０８４−１９−７、２８１６３−８４−０、２８２１７−９２−７、２８２３１−０３−０、２８２６７−３２−５、２８２９０−９０−６、２８３０３−４２−６、２８３１６−６２−３、２８３２４−５２−９、２８３４３−２２−８、２８３６９−２４−６、２８３７６−１２−７、２８３８０−０８−７、２８３８０−１２−３、２８４６７−９２−７、２８５４０−７９−６、２８５５３−１２−０、２８５８８−７３−０、２８５８８−７４−１、２８５８８−７５−２、２８５８８−７６−３、２８６３１−８６−９、２８６４５−５１−４、２８６６４−０８−６、２８６６４−３５−９、２８６６４−３５−９、２８６７２−５４−０、２８７８５−０６−０、２８７８７−３６−２、２８８０１−７０−９、２８８０４−５３−７、２８８３９−１３−６、２８８８０−２４−２、２８９５９−０２−６、２９０２１−３６−１、２９０６６−３４−０、２９１７１−２０−８、２９１７１−２１−９、２９２１０−７７−３、２９２１４−６０−６、２９２３９−０７−４、２９３５０−７３−０、２９４１４−４７−９、２９４１４−５６−０、２９４６０−９０−０、２９４６０−９２−２、２９５４８−１４−９、２９５４８−３０−９、２９５４９−６０−８、２９５９２−９２−５、２９５９２−９５−８、２９６０６−７９−９、２９７１０−３３−６、２９７１４−８７−２、２９７２５−６６−４、２９７３３−１８−４、２９７５９−１１−３、２９７９０−２９−２、２９８１１−５０−５、２９８９５−７３−６、２９９０１−８５−７、２９９１１−２８−２、２９９２６−４１−８、２９９２６−４２−９、２９９５７−４３−５、３００８６−０２−３、３０１００−１５−３、３０２０７−９８−８、３０３０４−８２−６、３０３６１−２８−５、３０３６１−２９−６、３０３９０−５０−２、３０４０８−６１−８、３０４１８−８９−４、３０４３４−５４−９、３０４５３−３１−７、３０４６０−９２−５、３０６４０−４６−１、３０６７３−３６−０、３０６７３−３８−２、３０６７３−６０−０、３０６８９−７５−９、３０８９５−７９−５、３０９２５−０７−６、３０９８２−３５−５、３０９８２−３６−６、３１１４７−３６−１、３１１４８−３１−９、３１１９５−９５−６、３１３３１−５３−０、３１４７４−５７−４、３１４９９−７０−４、３１４９９−７１−５、３１４９９−７２−６、３１５０１−１１−８、３１５０２−１４−４、３１５０２−１９−９、３１５３９−８４−１、３１５７４−４４−４、３１７０４−８０−０、３１８３５−０６−０、３１９８３−２７−４、３２０６４−７２−５、３２０７４−５６−９、３２２１３−８８−０、３２２１４−８８−３、３２２１４−８９−４、３２２７２−４８−３、３２２７２−５７−４、３２３４９−９８−７、３２３５０−１６−６、３２３５０−１６−６、３２３８８−５５−９、３２４６６−５５−０、３２５３９−８５−８、３２６３７−９４−８、３２６６５−２３−９、３２７３６−９１−７、３２７３７−１４−７、３２７４１−１１−０、３２７６４−９８−０、３２８４４−６７−０、３２８６０−６２−１、３２９５１−１９−２、３２９５３−６５−４、３２９７４−９２−８、３３０４６−８１−０、３３０４９−９３−３、３３２０４−７４−９、３３２８１−９１−３、３３３６８−８２−０、３３４４１−５０−８、３３４６７−７３−１、３３４６７−７４−２、３３４６７−７４−２、３３４６７−７６−４、３３４６７−７９−７、３３５１４−２２−６、３３５７７−１６−１、３３６０３−３０−４、３３６６５−２７−９、３３６７３−６２−０、３３６７３−６５−３、３３７０４−５９−５、３３８５５−５７−１、３３８８０−８３−０、３３９００−８４−４、３３９２２−８０−４、３３９５９−２７−２、３４０４７−３９−７、３４１３１−９９−２、３４１３５−８５−８、３４１４６−５５−９、３４３００−９４−２、３４３１６−６４−８、３４３２２−０６−０、３４３２２−０９−３、３４３６２−２７−１、３４３６５−７９−２、３４４１３−３４−８、３４４１３−３５−９、３４４５１−１９−９、３４４９５−７１−１、３４５４５−８８−５、３４６１９−１２−０、３４６２５−２３−５、３４６８６−７１−０、３４７５６−１６−６、３４７６４−０２−８、３４８８４−２１−４、３４９９５−７７−２、３５０４４−６３−４、３５０４４−６８−９、３５０７３−２７−９、３５１２０−１０−６、３５１４８−１９−７、３５１５４−４５−１、３５１５８−２５−９、３５１７８−５５−３、３５１９４−３０−０、３５２３１−４４−８、３５２３４−１６−３、３５２３４−２１−０、３５２３４−２２−１、３５２３４−２５−４、３５２４３−４３−７、３５２５０−５３−４、３５２７４−０５−６、３５３０６−３３−３、３５３７９−０９−０、３５４１６−４２−３、３５４４８−３０−７、３５４４８−３１−８、３５４７２−５６−１、３５８３６−７３−８、３５８５２−４２−７、３５８５２−４６−１、３５８５４−８６−５、３５９２６−０４−６、３６２０３−３１−３、３６２１９−７３−５、３６２６７−７１−７、３６４３１−７２−８、３６４３８−５４−７、３６６５３−８２−４、３６７０１−０１−６、３６７０７−２８−５、３６７３１−４１−６、３６７８１−６７−６、３６７８９−５９−０、３６８０６−４６−９、３６８０９−５３−７、３６８２６−８３−２、３６８７１−７８−０、３６８８０−３３−８、３７０６４−２０−３、３７１３９−８５−８、３７１６０−７７−３、３７１６１−７４−３、３７２６６−９３−６、３７５２６−８８−８、３７５２６−８９−９、３７６１７−０３−１、３７６４５−６１−７、３７６４５−６２−８、３７６７４−６３−８、３７８１１−７２−６、３７８８７−０４−０、３７９１０−７７−３、３７９１８−４７−１、３７９８１−３６−５、３７９８１−３７−６、３８０２８−６７−０、３８０４９−２６−２、３８１４２−４５−９、３８１８３−０３−８、３８２０５−６０−６、３８２０５−６４−０、３８２３７−００−２、３８２８４−１１−６、３８３２５−２５−６、３８３６０−８１−５、３８３６３−２３−４、３８３６３−２９−０、３８３７６−２８−２、３８４３３−７４−８、３８４４６−２１−８、３８４６２−２２−５、３８５３３−５４−９、３８６１８−２３−４、３８７１３−４１−６、３８８３７−７０−６、３８８８８−８１−２、３８９１７−６１−２、３８９１７−６１−２、３８９１７−６２−３、３８９１７−６３−４、３９０２６−９４−３、３９０６７−８０−６、３９１５６−５４−２、３９１６１−１９−８、３９２１２−２３−２、３９２５１−８６−０、３９２５１−８８−２、３９２５２−０２−３、３９２５２−０３−４、３９２５２−０５−６、３９２５５−３２−８、３９５５６−４１−７、３９７０７−４７−６、３９７１１−７９−０、３９７３６−２５−９、３９７４１−４１−８、３９７７０−０５−３、３９８００−９２−５、３９８００−９３−６、３９９２４−２７−１、３９９２４−５２−２、４００１８−２６−６、４０２６７−７２−９、４０３４８−７２−９、４０５９６−４６−１、４０６５４−８２−８、４０７０９−０４−４、４０７１６−６６−３、４０７８９−９８−８、４０７９０−０４−３、４０７９０−２０−３、４０８００−７６−８、４０８５３−５５−２、４０８７８−７２−６、４０８７８−７３−７、４０９２３−６４−６、４１０１４−９３−１、４１１１４−００−５、４１１９９−１９−３、４１２３９−４８−９、４１２４７−０５−６、４１２７０−８０−８、４１３３０−２１−６、４１４１４−７５−９、４１４５３−５６−９、４１４５３−５７−０、４１４９６−４３−９、４１４９６−４３−９、４１４９８−７１−９、４１５１９−１８−０、４１５１９−２３−７、４１５４７−２２−２、４１６１０−７６−８、４１６５３−９７−８、４１６５４−１５−３、４１７５５−６７−３、４１８０３−２１−８、４１８２０−２２−８、４１８４７−８６−３、４１９０３−８１−５、４１９８１−７１−９、４１９８１−７２−０、４２０７５−４２−３、４２０７５−４５−６、４２０７８−６５−９、４２１２５−１７−７、４２１２５−２８−０、４２１２５−３０−４、４２１２５−３４−８、４２１３４−５０−９、４２１７５−４１−７、４２２３１−４０−３、４２２３１−４８−１、４２２３１−７４−３、４２２３１−９９−２、４２２３２−２５−７、４２２５４−６３−７、４２３４８−１２−９、４２４３６−０７−７、４２４７４−４４−２、４２５９８−９６−９、４２８２２−８６−６、４２９１９−６４−２、４３０３９−９８−１、４３０４０−０１−３、４３０５２−８７−５、４３１０８−５８−３、４３２１９−６８−７、４５０１９−２８−１、４５２０６−９１−５、４５２９８−００−８、４９５５３−６４−２、４９５７６−５７−０、４９７６３−６９−１、４９７７３−２４−２、４９７７６−８１−０、５０３４３−３６−７、５０４４８−９５−８、５０６２３−５７−９、５０６２６−０２−３、５０７４６−０９−３、５０７４６−１０−６、５０８５８−１４−５、５０８６２−１２−９、５０８８８−６３−６、５０９８０−８４−２、５０９８４−５２−６、５１１００−５４−０、５１１１５−６３−０、５１１１５−６４−１、５１１１５−６７−４、５１１１５−７０−９、５１１１５−７７−６、５１１１７−１９−２、５１１５４−９６−２、５１２００−８６−３、５１２１０−０１−６、５１２９０−６５−４、５１３２５−３７−２、５１３５２−６８−２、５１４１１−２４−６、５１４４７−０８−６、５１５３２−２６−４、５１５３４−３６−２、５１５３４−６６−８、５１６０８−１８−５、５１６４７−３８−２、５１６７７−６８−０、５１６８５−３９−３、５１６８５−４０−６、５１７５５−６６−９、５１７５５−７０−５、５１７５５−７２−７、５１７５５−８３−０、５１
７５５−８５−２、５１７５６−０８−２、５１８２８−９７−８、５１８５６−７９−２、５１９３３−１３−２、５２０８９−５５−１、５２３６３−２４−３、５２４０６−２２−１、５２４１４−９１−２、５２５１３−０３−８、５２５１７−５３−０、５２５１７−５４−１、５２５５８−９９−３、５２６２８−２５−８、５２７８９−７３−８、５３０４６−９７−２、５３０５３−５１−３、５３１６３−９７−６、５３１８４−６７−１、５３２６３−５８−４、５３２８２−１２−５、５３３９８−７８−０、５３３９８−８０−４、５３３９８−８１−５、５３３９８−８３−７、５３３９８−８４−８、５３３９８−８５−９、５３３９８−８６−０、５３３９８−８７−１、５３３９９−８１−８、５３４０５−９７−３、５３４０５−９８−４、５３４４８−０７−０、５３４５１−１６−４、５３４７５−１５−３、５３４９８−３０−９、５３４９８−３２−１、５３５３５−３３−４、５３６２６−９４−１、５３６５１−６９−７、５３６５５−２２−４、５３６８５−７７−１、５３７５１−４０−９、５３８３３−３０−０、５３８３３−３２−２、５３８３３−３３−３、５３８３４−７０−１、５３８５０−３４−３、５３８５０−３４−３、５３８９７−６０−２、５３９０７−４６−３、５３９３９−８１−４、５４０５１−１９−３、５４０５６−５１−８、５４３００−０８−２、５４３００−０９−３、５４３００−１０−６、５４３０６−００−２、５４３２３−２６−１、５４３４０−７２−６、５４３５５−７４−７、５４３９３−３６−１、５４３９６−９７−３、５４４１０−９４−５、５４４４０−１７−４、５４４８４−６６−１、５４４８４−７３−０、５４６４４−２８−９、５４６４４−２８−９、５４６５３−２５−７、５４７０２−１３−５、５４７１７−１２−３、５４７１７−１３−４、５４７１７−１４−５、５４７１７−１７−８、５４７２３−１９−２、５４７８３−３６−７、５４８１４−６４−１、５４８１５−１３−３、５４８５２−６４−１、５４８８９−４８−４、５４９３４−９９−５、５４９４７−７４−９、５４９５７−０２−７、５４９８２−７６−２、５４９９３−３０−５、５５０３１−１５−７、５５０５０−４０−３、５５０６６−４５−０、５５０６６−５６−３、５５１４５−３４−１、５５１９５−１９−２、５５１９５−２３−８、５５２４９−７３−５、５５２５３−２８−６、５５４１８−５２−５、５５５０５−２８−７、５５５１４−４８−２、５５５８９−６２−３、５５７０４−７８−４、５５７１９−８５−２、５５７６４−２２−２、５５７６４−２３−３、５５７６４−２５−５、５５７６４−２８−８、５５９１０−０９−３、５５９１５−７０−３、５６００１−４３−５、５６０１１−０２−０、５６０３８−１３−２、５６０５３−８４−０、５６１３４−０５−５、５６１９６−５３−３、５６２３９−９１−９、５６２６９−２２−８、５６２７７−００−０、５６４２２−５０−５、５６４２３−４０−６、５６４２３−４３−９、５６４６９−３９−７、５６５５４−８７−１、５６６８１−０６−２、５６７００−７８−８、５６７４７−９６−７、５６７６７−１８−１、５６８０５−２３−３、５６８１６−０１−４、５６９２２−７２−６、５６９２２−７３−７、５６９２２−７４−８、５６９２２−８０−６、５６９２２−８１−７、５６９２２−８２−８、５７００６−８７−８、５７０１８−５３−８、５７０６９−８６−０、５７０７４−３４−７、５７０７４−３５−８、５７０７４−３７−０、５７０８２−２４−３、５７１２４−８７−５、５７１２９−１２−１、５７２４６−６０−３、５７３７１−４２−３、５７３７８−６８−４、５７４０３−３２−４、５７５００−００−２、５７５６８−６０−２、５７５７６−０９−７、５７５８２−４２−０、５７５８２−４６−４、５７６０２−９４−５、５７６６１−２３−１、５７６７５−４４−２、５７６８１−５３−５、５７７２６−２６−８、５７７４３−６３−２、５７８１７−８９−７、５７８５６−８１−２、５７８９３−２７−３、５７９４３−６７−６、５７９６７−６８−７、５７９６７−６９−８、５７９６７−７０−１、５７９６７−７１−２、５７９６７−７２−３、５７９６７−７３−４、５７９６７−７４−５、５８０３１−０３−１、５８０６６−８６−７、５８０９６−４６−１、５８１０２−０２−６、５８２４４−２９−４、５８４０９−６０−２、５８４３０−９４−７、５８４７５−０４−０、５８４７９−５５−３、５８５４３−１６−１、５８５５５−７４−１、５８６２５−９５−９、５８８０９−７３−７、５８９２７−８１−４、５８９３６−３０−４、５８９８５−１８−５、５９０２０−８４−７、５９０２０−８５−８、５９０２０−９０−５、５９０２１−０２−２、５９０２１−０３−３、５９０２１−０５−５、５９０３５−９８−２、５９０５６−７１−２、５９１８４−４３−９、５９１９１−７８−５、５９２３０−５７−８、５９２５９−３８−０、５９３０３−０５−８、５９３０３−０７−０、５９３０３−１７−２、５９３２３−７６−１、５９３２３−８１−８、５９３２４−１７−３、５９４７１−８０−６、５９５５７−０５−０、５９５５８−２３−５、５９６３２−８５−８、５９６７２−０５−８、５９７２６−４０−８、５９９０２−０１−１、６００４５−２６−３、６００４５−２７−４、６００４７−１７−８、６００６６−８８−８、６０１６０−１７−０、６０３０８−７５−０、６０３０８−７６−１、６０３２９−２０−６、６０４１５−６１−４、６０４１６−２４−２、６０４３７−２１−０、６０４８７−８１−２、６０５２３−２１−９、６０６４２−６７−３、６０６５６−８７−３、６０７５５−０５−７、６０７７０−００−５、６０７７９−２４−０、６０８２６−１５−５、６０８９９−２９−８、６０９５８−２３−８、６０９９８−２４−５、６１０４１−７５−６、６１１１４−２４−７、６１１２２−７１−２、６１１９７−０６−６、６１１９７−０７−７、６１１９７−０９−９、６１２９５−４１−８、６１２９５−４４−１、６１２９５−５０−９、６１２９５−５１−０、６１３０１−５６−２、６１３２３−２４−８、６１３８９−１２−６、６１４４４−３８−０、６１４４４−３９−１、６１４４４−４１−５、６１５３１−４５−１、６１６７５−７２−７、６１６８３−９９−６、６１６９２−７６−０、６１６９２−７９−３、６１６９２−８３−９、６１６９２−８４−０、６１７３２−９６−５、６１７５８−０３−０、６１７５９−６４−６、６１７８８−８９−４、６１７８９−９２−２、６１７９１−３１−９、６１８００−４０−６、６１８１０−５５−７、６１８２６−５４−８、６１８３７−７７−２、６１８８９−１１−０、６１９３１−８１−５、６１９４９−２３−３、６２０２８−９６−０、６２１４７−４９−３、６２３９５−４５−３、６２４３９−４１−２、６２４６２−０５−９、６２４８８−２４−８、６２４８８−５６−６、６２５０１−２４−０、６２５６３−８０−８、６３０１２−９７−５、６３０９５−３４−１、６３１８７−９１−７、６３１９６−６４−５、６３２５３−２４−７、６３２７０−１４−４、６３３０２−６４−７、６３３２１−７０−０、６３３５９−６３−７、６３４０８−８８−８、６３４２９−２８−７、６３４４９−６４−９、６３４４９−６８−３、６３４５０−３０−６、６３５５０−９９−２、６３６９７−００−７、６３７５９−５５−７、６３８２６−２５−５、６３８８５−０９−６、６３９８６−０３−８、６４０２６−４５−５、６４１８７−８３−３、６４２７５−７３−６、６４２８０−３２−６、６４４６１−９９−０、６４５１９−４４−４、６４５７７−９１−９、６４６７７−４６−９、６４６７７−４８−１、６４７０３−９８−６、６４７４１−６５−７、６４７４１−６６−８、６４８３５−９６−７、６５１１４−０２−５、６５２１３−８６−７、６５２９１−４３−２、６５３３０−４９−６、６５３８１−０９−１、６５４０５−６７−６、６５４０５−６８−７、６５４０５−７０−１、６５４０５−７６−７、６５４０５−７７−８、６５４０５−８０−３、６５４０５−８４−７、６５４１６−１４−０、６５４１６−２４−２、６５４１６−２８−６、６５４２３−２５−８、６５４６６−１０−６、６５５０４−４５−２、６５５０４−９３−０、６５５０４−９４−１、６５５０４−９５−２、６５５０４−９６−３、６５５０４−９７−４、６５５０５−１６−０、６５５０５−１７−１、６５５０５−１８−２、６５５０５−２４−０、６５５０５−２５−１、６５５１５−５３−９、６５５２０−４５−８、６５５３０−５３−２、６５５４５−８１−５、６５５９１−１２−０、６５６２０−５０−０、６５６５２−３３−７、６５７３７−５２−２、６５８１３−５３−８、６５８１７−２４−５、６５８１９−７４−１、６５８８７−０８−３、６５８９４−８２−８、６５８９４−８３−９、６６１６１−５２−２、６６１６９−００−４、６６５７６−７１−４、６６６３４−９７−７、６６６４２−８６−２、６６７３５−６９−１、６７０２４−４６−８、６７０２８−４０−４、６７１１４−３８−９、６７１２１−３９−５、６７２３１−９３−０、６７２３３−９１−４、６７２３４−０４−２、６７４０１−２７−８、６７４１１−２７−２、６７４５２−２７−１、６７４７９−２７−０、６７６０１−０５−２、６７６３３−９６−９、６７６３３−９７−０、６７６３３−９９−２、６７６３４−２１−３、６７６３４−２３−５、６７６６２−９６−８、６７６６３−０１−８、６７６６３−０４−１、６７６７４−３６−６、６７６７４−３７−７、６７６７４−４０−２、６７６７４−４１−３、６７６８９−５０−３、６７７０１−０１−３、６７７０１−０２−４、６７７０１−０３−５、６７７０１−０５−７、６７７０１−０６−８、６７７０１−０８−０、６７７０１−２７−３、６７７０１−３０−８、６７７０１−３３−１、６７７１５−７９−１、６７７１５−８０−４、６７７１５−８１−５、６７７１５−８２−６、６７７４６−２５−２、６７７４６−３０−９、６７７６２−２６−９、６７７６２−３６−１、６７７６２−４０−７、６７７８４−８０−９、６７８００−８５−５、６７８０１−２０−１、６７８０１−４５−０、６７８０１−６５−４、６７８４５−２８−７、６７８４５−３４−５、６７８４５−４５−８、６７８４５−５０−５、６７８５９−９６−５、６７８５９−９９−８、６７８６０−０１−９、６７８６０−０２−０、６７８６０−３８−２、６７８７４−３８−８、６７８７４−７２−０、６７８７４−７６−４、６７８７４−８２−２、６７８７９−６０−１、６７８８３−７７−６、６７８８３−７９−８、６７９２０−６３−２、６７９２３−５８−４、６７９３６−１３−４、６７９３９−３２−６、６７９５２−３９−０、６７９５２−５８−３、６７９５２−５９−４、６７９５２−６０−７、６７９５２−６５−２、６８００２−８８−０、６８００２−９４−８、６８０３９−２６−９、６８０３９−２９−２、６８０３９−３３−８、６８０３９−４８−５、６８０３９−４９−６、６８０６７−３３−４、６８０８１−９５−８、６８０８４−０３−７、６８０８４−０７−１、６８１１３−５５−３、６８１２７−２２−０、６８１２９−８１−７、６８１３２−２１−８、６８１３３−７６−６、６８１３３−７８−８、６８１３３−７９−９、６８１４０−５５−６、６８１４１−１５−１、６８１４１−２０−８、６８１４１−２１−９、６８１４１−２２−０、６８１４１−２３−１、６８１６５−４０−２、６８２２７−５１−０、６８２２７−５２−１、６８２２７−５３−２、６８２５８−９５−７、６８２９８−２８−２、６８３１０−５４−３、６８３１０−５９−８、６８３１０−６０−１、６８３４５−１７−５、６８３４５−２２−２、６８３６６−６５
−４、６８３７８−１２−１、６８３７８−１３−２、６８３９１−３９−９、６８３９８−１８−５、６８４２５−０８−１、６８４４３−６３−０、６８４７６−７８−８、６８４８０−１６−０、６８４８０−１８−２、６８４８０−２５−１、６８４８０−２６−２、６８４８０−２８−４、６８４８０−２９−５、６８４８９−０９−８、６８４８９−１４−５、６８５１６−２３−４、６８５２６−８３−０、６８５２７−７４−２、６８５２７−７６−４、６８５５３−８１−１、６８５５３−８１−１、６８５５５−５７−７、６８５５５−５８−８、６８５５５−６０−２、６８５５５−６１−３、６８５５５−６３−５、６８５５５−６５−７、６８５５６−２１−８、６８５５６−２２−９、６８６０２−８６−８、６８６０６−８１−５、６８６０６−８１−５、６８６０６−８１−５、６８６０６−８３−７、６８６０６−８３−７、６８６０６−９４−０、６８６０６−９４−０、６８６０６−９７−３、６８６０６−９７−３、６８６０７−０１−２、６８６０７−０１−２、６８６０８−８８−８、６８６４８−３３−９、６８６４８−３９−５、６８６５０−４３−１、６８６５０−４３−１、６８６５０−４３−１、６８６５０−４４−２、６８６５０−４４−２、６８６５０−４４−２、６８６５０−４６−４、６８６９７−６７−６、６８６９８−５８−８、６８６９８−５９−９、６８７０５−６３−５、６８７３７−６１−１、６８７３９−００−４、６８７５７−５８−４、６８７９７−６７−１、６８７９７−７０−６、６８７９７−７４−０、６８８２０−３５−９、６８８５５−９９−２、６８８９２−０５−７、６８９００−６７−４、６８９１５−８５−５、６８９１５−９９−１、６８９１６−０２−９、６８９１６−０４−１、６８９１６−０４−１、６８９１６−０４−１、６８９１６−０４−１、６８９１６−０４−１、６８９１６−０５−２、６８９１６−１８−７、６８９１６−１８−７、６８９１６−１９−８、６８９１６−２６−７、６８９１６−２６−７、６８９１６−２６−７、６８９１６−４５−０、６８９１６−４５−０、６８９１６−４６−１、６８９１６−５４−１、６８９１６−８４−７、６８９１６−８４−７、６８９１６−８４−７、６８９１６−８４−７、６８９１６−８４−７、６８９１６−８９−２、６８９１６−９１−６、６８９１６−９１−６、６８９１７−０５−５、６８９１７−１１−３、６８９１７−１１−３、６８９１７−１１−３、６８９１７−１３−５、６８９１７−１８−０、６８９１７−１８−０、６８９１７−１８−０、６８９１７−１８−０、６８９１７−２０−４、６８９１７−４６−４、６８９１７−５０−０、６８９１７−５２−２、６８９１７−５２−２、６８９１７−５２−２、６８９１７−７５−９、６８９１７−７８−２、６８９１９−５４−０、６８９２１−２６−６、６８９２２−０６−５、６８９２２−０７−６、６８９２２−１０−１、６８９２２−１１−２、６８９３７−８３−７、６８９３７−９０−６、６８９３８−５８−９、６８９５２−４３−２、６８９５２−４３−２、６８９５５−９８−６、６８９５６−６８−３、６８９５９−２８−４、６８９７３−２０−６、６８９９０−０２−３、６８９９０−１１−４、６８９９０−１４−７、６８９９０−１４−７、６８９９０−１５−８、６８９９０−１５−８、６８９９０−５３−４、６８９９０−７４−９、６８９９０−７４−９、６８９９１−２０−８、６９１１２−２１−６、６９２０５−０８−９、６９２７５−０２−１、６９３００−１７−０、６９３６７−４０−４、６９３８２−６２−３、６９４４４−９０−２、６９６６８−８７−７、６９８３４−０９−９、６９９２５−３３−３、７００９２−４４−３、７０１５８−２０−２、７０１７２−０７−５、７０６６４−９６−９、７０７８６−４４−６、７０８５１−６１−５、７０８９２−２０−５、７１０１１−２３−９、７１０１１−２８−４、７１０１１−２８−４、７１０１１−２８−４、７１０１１−２８−４、７１０１１−２８−４、７１０４８−８２−３、７１１５９−９０−５、７１１７２−２６−４、７１１７２−７５−３、７１２９８−４２−５、７１４３６−８７−８、７１５００−３７−３、７１６０５−８５−１、７１６０５−８６−２、７１６０５−８８−４、７１６０７−２６−６、７１６０７−５３−９、７１６１７−０９−９、７１６１７−１１−３、７１６１７−１２−４、７１６４８−１８−５、７１６４８−４３−６、７１６６０−０３−２、７１６６２−１７−４、７１６６２−１８−５、７１６６２−２７−６、７１６６２−２８−７、７１９４９−３３−２、７１９６５−２６−９、７１９７８−００−２、７１９９０−２２−２、７２０６４−６２−１、７２１０９−８２−１、７２２００−７４−９、７２２５７−５３−５、７２２５８−８３−４、７２２６９−５１−３、７２３６１−４１−２、７２４３７−５６−０、７２４３７−６４−０、７２４３７−６８−４、７２７２４−８２−４、７２７２７−６３−０、７２７２７−７０−９、７２７７９−０６−７、７２７９７−１６−１、７２７９７−１７−２、７２８４５−３３−１、７２８４５−７７−３、７２８５４−４２−３、７２８６９−６９−３、７２８６９−７０−６、７２８６９−７５−１、７２８８１−２７−７、７２９２８−２４−６、７２９２８−３３−７、７２９２８−３４−８、７２９２８−３５−９、７２９２８−３６−０、７２９２８−４８−４、７２９２８−５２−０、７２９２８−５３−１、７２９３４−０６−６、７２９３４−０７−７、７２９３４−１６−８、７２９３９−６３−０、７２９６８−４２−４、７２９６８−４７−９、７２９６８−４７−９、７２９６８−４７−９、７２９６８−４７−９、７２９６８−５０−４、７２９６８−５０−４、７２９６８−５０−４、７２９６８−５０−４、７２９６８−５０−４、７２９８７−５７−６、７２９８７−６２−３、７３０１９−１４−４、７３０４９−５１−１、７３０４９−６５−７、７３０４９−６５−７、７３０４９−６５−７、７３０４９−６５−７、７３０４９−６５−７、７３１５７−４３−４、７３２９６−９８−７、７３３９３−２７−８、７３３９８−８５−３、７３４３５−６１−７、７３５４５−１８−３、７３７５７−２７−４、７３９５２−６８−８、７４０５１−８４−６、７４０８２−０６−７、７４０９４−６０−３、７４０９４−６１−４、７４０９４−６２−５、７４０９４−６３−６、７４１１３−７４−９、７４１８３−６０−１、７４２９８−８９−８、７４３５６−３１−３、７４３６７−９７−８、７４５２５−５２−３、７４５８５−００−５、７４５８６−０９−７、７４５９５−９４−１、７４７５８−９１−１、７４７５８−９３−３、７５０３９−８４−８、７５０４８−１５−６、７５５８７−０５−２、７５５８７−０６−３、７５６３１−９１−３、７５６４０−２６−５、７５８５３−４９−５、７５８５３−５０−８、７５９１１−７９−４、７６２３８−２２−７、７６４２６−３５−２、７６６４９−１４−４、７６６４９−１６−６、７６６４９−２２−４、７６６４９−２３−５、７６６４９−２５−７、７６６４９−２６−８、７６７８８−４６−０、７６９１７−２３−２、７７１０５−５３−４、７７１１８−９３−５、７７１２９−４８−７、７７２４９−２０−８、７７３１１−０２−５、７７３４１−６７−４、７７６２８−６２−７、７７７７２−０６−６、７７７７２−０７−７、７７９７４−８５−７、７８２８５−９０−２、７８４１７−２８−４、７８５４８−５３−５、７８８１８−７８−７、７９９２５−８５−２、７９９３０−３７−３、８０４１７−９７−６、８０６３８−４８−８、８０６９９−６３−４、８０７２２−２８−７、８０８６６−８３−７、８０９５７−７４−０、８１９２５−８１−７、８１９７４−６１−０、８２０１０−８５−３、８２１８５−４１−９、８２６５４−９８−６、８３３３４−９３−４、８３４１８−５３−５、８３４１８−５４−６、８３４６９−８５−６、８３７８３−７８−２、８３７８３−８２−８、８３７８３−８４−０、８３７８３−８６−２、８３８６１−７４−９、８３８６３−３０−３、８４０１２−１２−４、８４０１２−１４−６、８４０１２−１５−７、８４０１２−１５−７、８４０１２−１５−７、８４０１２−１５−７、８４０１２−１５−７、８４０１２−１５−７、８４０１２−１６−８、８４０１２−１６−８、８４０１２−２０−４、８４０１２−２０−４、８４０１２−２１−５、８４０１２−２２−６、８４０１２−２２−６、８４０１２−２３−７、８４０１２−２３−７、８４０１２−２４−８、８４０１２−２４−８、８４０１２−２４−８、８４０１２−２４−８、８４０１２−２６−０、８４０１２−２６−０、８４０１２−２６−０、８４０１２−２８−２、８４０１２−３０−６、８４０１２−３０−６、８４０１２−３０−６、８４０１２−３３−９、８４０１２−３３−９、８４０１２−３４−０、８４０１２−３４−０、８４０１２−３４−０、８４０１２−３４−０、８４０１２−３５−１、８４０１２−３５−１、８４０１２−３６−２、８４０１２−３６−２、８４０１２−３８−４、８４０１２−４０−８、８４０１２−４０−８、８４０１２−４１−９、８４０１２−４２−０、８４０１２−４３−１、８４０１２−４３−１、８４０１２−４３−１、８４０２９−９１−４、８４０８２−３４−８、８４０８２−３４−８、８４０８２−３４−８、８４０８２−３４−８、８４０８２−３４−８、８４０８２−３６−０、８４０８２−３６−０、８４０８２−３６−０、８４０８２−３６−０、８４０８２−３６−０、８４０８２−３６−０、８４０８２−３６−０、８４０８２−４６−２、８４０８２−４６−２、８４０８２−５４−２、８４０８２−５６−４、８４０８２−５７−５、８４０８２−５８−６、８４０８２−５８−６、８４０８２−５８−６、８４０８２−６０−０、８４０８２−６０−０、８４０８２−６０−０、８４０８２−６０−０、８４０８２−６１−１、８４０８２−６１−１、８４０８２−６１−１、８４０８２−６１−１、８４０８２−６１−１、８４０８２−６１−１、８４０８２−６３−３、８４０８２−６３−３、８４０８２−６８−８、８４０８２−６８−８、８４０８２−６８−８、８４０８２−６８−８、８４０８２−６８−８、８４０８２−６８−８、８４０８２−７０−２、８４０８２−７０−２、８４０８２−７０−２、８４０８２−７０−２、８４０８２−７９−１、８４０８２−７９−１、８４０８２−７９−１、８４０８２−７９−１、８４０８２−８１−５、８４０８２−８１−５、８４０８２−８２−６、８４０８２−８２−６、８４０８２−８３−７、８４０８２−８３−７、８４０８２−８３−７、８４１１０−４４−１、８４２５４−８９−７、８４２８２−４４−０、８４４３４−１９−５、８４４３４−２０−８、８４４３４−２３−１、８４４３４−６１−７、８４４３４−６５−１、８４４５５−１９−６、８４４５５−１９−６、８４４５５−１９−６、８４４５５−２９−８、８４４５５−２９−８、８４５５９−９８−８、８４６０３−５６−５、８４６０３−５６−５、８４６０３−５７−６、８４６０３−５８−７、８４６０３−５８−７、８４６０３−５８−７、８４６０３−６０−１、８４６０３−６０−１、８４６０３−６１−２、８４６０３−６２−３、８４６０３−６４−５、８４６０３−６５−６、８４６０３−６５−６、８４６０３−６６−７、８４６０３−６６−７、８４６０３−６６−７、８４６０３−６９−０、８４６０３−６９−０、８４６０３−６９−０、８４６０３−６９−０、８４６０３−７０−３、８４６０３−７３−６、８４６０４−０３−５、８４６０４−０３−５、８４６０４−０７−９、８４６０４−０７−９、８４６０４−０７−９、８４６０４−０９−１、８４６０４−０９−１、８４６０４−１０−４、８４６０４−１１−５、８４６０４−１１−５、８４６０４−１１−５、８４６
０４−１２−６、８４６０４−１２−６、８４６０４−１２−６、８４６０４−１２−６、８４６０４−１２−６、８４６０４−１２−６、８４６０４−１３−７、８４６０４−１４−８、８４６０４−１４−８、８４６０４−１４−８、８４６０４−１４−８、８４６０４−１５−９、８４６０４−１７−１、８４６０４−１９−３、８４６０４−１９−３、８４６０４−２０−６、８４６０４−２０−６、８４６０４−４１−１、８４６０４−４２−２、８４６０４−４３−３、８４６０４−５１−３、８４６０４−５２−４、８４６０４−５３−５、８４６０４−５５−７、８４６０４−５９−１、８４６２３−０２−９、８４６２３−０２−９、８４６２３−０２−９、８４６２５−２６−３、８４６２５−２６−３、８４６２５−２７−４、８４６２５−２８−５、８４６２５−２８−５、８４６２５−２９−６、８４６２５−２９−６、８４６２５−２９−６、８４６２５−２９−６、８４６２５−３０−９、８４６２５−３２−１、８４６２５−３２−１、８４６２５−３５−４、８４６２５−３５−４、８４６２５−３６−５、８４６２５−３６−５、８４６２５−３７−６、８４６２５−３７−６、８４６２５−３９−８、８４６２５−４０−１、８４６２５−４０−１、８４６２５−４０−１、８４６２５−４０−１、８４６２５−４０−１、８４６２５−４０−１、８４６２５−４１−２、８４６２５−４１−２、８４６２５−４２−３、８４６２５−４２−３、８４６２５−４８−９、８４６２５−４８−９、８４６２５−５３−６、８４６４２−５６−８、８４６４２−５８−０、８４６４２−６０−４、８４６４２−６１−５、８４６４９−７９−６、８４６４９−７９−６、８４６４９−７９−６、８４６４９−８１−０、８４６４９−８２−１、８４６４９−８６−５、８４６４９−８６−５、８４６４９−８９−８、８４６４９−９０−１、８４６４９−９２−３、８４６４９−９２−３、８４６４９−９２−３、８４６４９−９３−４、８４６４９−９３−４、８４６４９−９３−４、８４６４９−９６−７、８４６４９−９７−８、８４６４９−９８−９、８４６４９−９８−９、８４６４９−９９−０、８４６４９−９９−０、８４６４９−９９−０、８４６４９−９９−０、８４６５０−００−０、８４６５０−００−０、８４６５０−００−０、８４６５０−００−０、８４６５０−００−０、８４６５０−０５−５、８４６５０−０７−７、８４６５０−０７−７、８４６５０−０９−９、８４６５０−１０−２、８４６５０−１０−２、８４６５０−１１−３、８４６５０−１３−５、８４６５０−１３−５、８４６５０−１３−５、８４６５０−１３−５、８４６５０−１５−７、８４６５０−１５−７、８４６５０−１５−７、８４６５０−１８−０、８４６５０−１８−０、８４６５０−３９−５、８４６５０−４０−８、８４６５０−５５−５、８４６５０−５５−５、８４６５０−５９−９、８４６５０−６０−２、８４６５０−６０−２、８４６５０−６０−２、８４６５０−６０−２、８４６５０−６０−２、８４６５０−６０−２、８４６５０−６０−２、８４６５０−６０−２、８４６５０−６０−２、８４６５０−６０−２、８４６５０−６０−２、８４６５０−６０−２、８４６５０−６０−２、８４６５０−６０−２、８４６５０−６０−２、８４６５０−６０−２、８４６５０−６０−２、８４６５０−６３−５、８４６５０−６４−６、８４６５０−６４−６、８４６５０−６６−８、８４６８１−８９−０、８４６８２−２０−２、８４６９５−９４−３、８４６９５−９４−３、８４６９５−９４−３、８４６９５−９５−４、８４６９５−９５−４、８４６９５−９７−６、８４６９５−９９−８、８４６９６−０１−５、８４６９６−０１−５、８４６９６−０３−７、８４６９６−０５−９、８４６９６−０５−９、８４６９６−０５−９、８４６９６−０８−２、８４６９６−１０−６、８４６９６−１１−７、８４６９６−１２−８、８４６９６−１５−１、８４６９６−１５−１、８４６９６−１５−１、８４６９６−１５−１、８４６９６−１７−３、８４６９６−１７−３、８４６９６−１７−３、８４６９６−１９−５、８４６９６−１９−５、８４６９６−１９−５、８４６９６−１９−５、８４６９６−２０−８、８４６９６−２０−８、８４６９６−２１−９、８４６９６−２１−９、８４６９６−２２−０、８４６９６−２２−０、８４６９６−２３−１、８４６９６−２３−１、８４６９６−２３−１、８４６９６−２４−２、８４６９６−２５−３、８４６９６−２５−３、８４６９６−２５−３、８４６９６−２５−３、８４６９６−２７−５、８４６９６−４０−２、８４６９６−４３−５、８４６９６−４７−９、８４６９６−４７−９、８４６９６−４７−９、８４６９６−４８−０、８４６９６−５０−４、８４６９６−５０−４、８４６９６−５１−５、８４６９６−５１−５、８４６９６−５１−５、８４６９６−５１−５、８４６９６−５１−５、８４６９６−５２−６、８４６９６−５２−６、８４６９６−５３−７、８４６９６−８５−５、８４７７５−３９−３、８４７７５−３９−３、８４７７５−４０−６、８４７７５−４０−６、８４７７５−４１−７、８４７７５−４１−７、８４７７５−４１−７、８４７７５−４１−７、８４７７５−４１−７、８４７７５−４１−７、８４７７５−４１−７、８４７７５−４２−８、８４７７５−４２−８、８４７７５−４４−０、８４７７５−４５−１、８４７７５−４６−２、８４７７５−４６−２、８４７７５−４７−３、８４７７５−４７−３、８４７７５−４７−３、８４７７５−４８−４、８４７７５−４９−５、８４７７５−５０−８、８４７７５−５０−８、８４７７５−５０−８、８４７７５−５０−８、８４７７５−５０−８、８４７７５−５０−８、８４７７５−５０−８、８４７７５−５１−９、８４７７５−５２−０、８４７７５−５２−０、８４７７５−５２−０、８４７７５−５２−０、８４７７５−５５−３、８４７７５−５５−３、８４７７５−５７−５、８４７７５−６０−０、８４７７５−６２−２、８４７７５−６２−２、８４７７５−６２−２、８４７７５−６２−２、８４７７５−６５−５、８４７７５−６６−６、８４７７５−６６−６、８４７７５−６６−６、８４７７５−６６−６、８４７７５−６７−７、８４７７５−６９−９、８４７７５−７０−２、８４７７５−７１−３、８４７７５−７１−３、８４７７５−７１−３、８４７７５−７１−３、８４７７５−７３−５、８４７７５−７４−６、８４７７５−７４−６、８４７７５−７４−６、８４７７５−７４−６、８４７７５−７４−６、８４７７５−７４−６、８４７７５−７４−６、８４７７５−７４−６、８４７７５−７５−７、８４７７５−７７−９、８４７７５−７８−０、８４７７５−７９−１、８４７７５−８１−５、８４７７５−８３−７、８４７７５−８３−７、８４７７５−８９−３、８４７７５−８９−３、８４７７５−９５−１、８４７７５−９５−１、８４７７５−９６−２、８４７７５−９６−２、８４７７５−９７−３、８４７７５−９７−３、８４７７５−９７−３、８４７７６−０５−６、８４７７６−１０−３、８４７７６−１１−４、８４７７６−２３−８、８４７７６−２５−０、８４７７６−２６−１、８４７７６−２７−２、８４７７６−２８−３、８４７７６−２８−３、８４７７６−６３−６、８４７７６−６４−７、８４７７６−６７−０、８４７７６−６８−１、８４７７６−８７−４、８４７７６−９０−９、８４７７６−９８−７、８４７７６−９８−７、８４７７６−９８−７、８４７７６−９８−７、８４７７６−９８−７、８４７７６−９８−７、８４７７６−９８−７、８４７８７−６５−５、８４７８７−６５−５、８４７８７−６６−６、８４７８７−６６−６、８４７８７−６８−８、８４７８７−６８−８、８４７８７−６８−８、８４７８７−６８−８、８４７８７−６８−８、８４７８７−６９−９、８４７８７−６９−９、８４７８７−７０−２、８４７８７−７２−４、８４７８８−０８−９、８４８１２−７１−５、８４８１２−７２−６、８４８１２−７３−７、８４８３６−９４−２、８４８３６−９９−７、８４８３７−００−３、８４８３７−０６−９、８４８３７−０６−９、８４８３７−０６−９、８４８３７−０６−９、８４８３７−０６−９、８４８３７−１４−９、８４８７８−２４−０、８４８７８−２９−５、８４９２９−１９−１、８４９２９−１９−１、８４９２９−２２−６、８４９２９−２３−７、８４９２９−２７−１、８４９２９−２７−１、８４９２９−２８−２、８４９２９−２８−２、８４９２９−２８−２、８４９２９−２９−３、８４９２９−２９−３、８４９２９−２９−３、８４９２９−３１−７、８４９２９−３１−７、８４９２９−３１−７、８４９２９−３３−９、８４９２９−３４−０、８４９２９−３５−１、８４９２９−３５−１、８４９２９−３５−１、８４９２９−３８−４、８４９２９−３８−４、８４９２９−４１−９、８４９２９−４１−９、８４９２９−４３−１、８４９２９−４３−１、８４９２９−４６−４、８４９２９−４６−４、８４９２９−４７−５、８４９２９−４８−６、８４９２９−４８−６、８４９２９−５１−１、８４９２９−５１−１、８４９２９−５１−１、８４９２９−５２−２、８４９２９−５２−２、８４９２９−５４−４、８４９２９−５４−４、８４９２９−５４−４、８４９２９−５５−５、８４９２９−６１−３、８４９２９−６１−３、８４９２９−６１−３、８４９２９−６１−３、８４９２９−６３−５、８４９２９−７４−８、８４９２９−７４−８、８４９２９−７６−０、８４９２９−７６−０、８４９２９−７６−０、８４９２９−７６−０、８４９２９−７６−０、８４９２９−７６−０、８４９２９−７６−０、８４９２９−７６−０、８４９２９−７８−２、８４９２９−７８−２、８４９２９−７８−２、８４９２９−７８−２、８４９２９−８０−６、８４９２９−８０−６、８４９６１−４４−４、８４９６１−４５−５、８４９６１−４５−５、８４９６１−４５−５、８４９６１−４５−５、８４９６１−４５−５、８４９６１−４５−５、８４９６１−４６−６、８４９６１−４６−６、８４９６１−４６−６、８４９６１−４９−９、８４９６１−４９−９、８４９６１−４９−９、８４９６１−４９−９、８４９６１−５０−２、８４９６１−５０−２、８４９６１−５０−２、８４９６１−５０−２、８４９６１−５０−２、８４９６１−５４−６、８４９６１−５５−７、８４９６１−５６−８、８４９６１−５６−８、８４９６１−５７−９、８４９６１−５７−９、８４９６１−５７−９、８４９６１−５７−９、８４９６１−５７−９、８４９６１−５７−９、８４９６１−５７−９、８４９６１−５８−０、８４９６１−６２−６、８４９６１−６２−６、８４９６１−６６−０、８４９６１−６７−１、８４９６１−６８−２、８４９６２−６７−４、８４９８８−６５−８、８４９８８−６５−８、８４９８８−６６−９、８４９８８−６６−９、８４９８８−６６−９、８４９８８−７４−９、８５００５−４４−３、８５０８５−２０−７、８５０８５−２０−７、８５０８５−２０−７、８５０８５−２１−８、８５０８５−２５−２、８５０８５−２５−２、８５０８５−２５−２、８５０８５−２６−３、８５０８５−２６−３、８５０８５−４０−１、８５０８５−４３−４、８５０８５−４６−７、８５０８５−４６−７、８５０８５−５１−４、８５０８５−５１−４、８５０８５−６１−６、８５０８５−６２−７、８５０８５−６４−９、８５０８５−６５−０、８５０８５−６９−４、８５０８５−７１−８、８５０８５−７５−２、８５０８５−７６−３、８５０８５−７６−３、８５０９８−９１−５、８５１１７−０６−２、８５１１７−０６−２、８５１１７−０７−３、８５１１７−０７−３、８５１１７−１９−７、８５１１７−２２−２、８５１１７−２２−２、８５１３６−４０−９、８５１８０−６６−１、８５１８７−０５−９、８５１８７−０５−
９、８５１８７−０５−９、８５２３７−８３−８、８５２４８−５６−２、８５２５１−６３−４、８５２５１−６３−４、８５２５１−６３−４、８５２５１−６４−５、８５２５１−６７−８、８５３９１−９２−０、８５３９１−９３−１、８５３９２−０３−６、８５３９２−０４−７、８５３９２−０５−８、８５３９２−０６−９、８５４０７−２５−６、８５４０９−１２−７、８５４０９−３６−５、８５４１０−１５−７、８５４８０−３３−７、８５４８０−３７−１、８５４８０−３７−１、８５５０７−６９−３、８５５０７−６９−３、８５５０８−０８−３、８５５３６−２５−０、８５５５１−２７−５、８５５５４−６４−９、８５５５４−６６−１、８５５５４−６９−４、８５５５４−７０−７、８５５５４−７１−８、８５５５４−７２−９、８５５８６−２１−６、８５５８６−２５−０、８５５８６−６６−９、８５５８６−６７−０、８５６６５−３５−６、８５６６５−９０−３、８５６９９−６９−０、８５７６１−７０−２、８５８６５−６９−６、８５９０９−４９−５、８５９４０−３０−３、８５９４０−３１−４、８５９４０−３１−４、８５９４０−３１−４、８５９４０−３２−５、８５９４０−３８−１、８５９４０−３８−１、８５９４０−３８−１、８５９６０−８１−２、８６０１４−８２−６、８６２４１−９０−９、８６２９０−２１−３、８７０６１−０４−９、８７１４８−０１−４、８７１４８−０８−１、８７３１０−１２−１、８７６１９−９０−７、８７８９１−５９−６、８８４９７−１７−０、８８７６８−４５−０、８９５３４−３８−３、８９５３４−７４−７、８９９５７−３９−１、８９９５７−４０−４、８９９５７−４１−５、８９９５７−４２−６、８９９５７−４６−０、８９９５７−４７−１、８９９５７−４８−２、８９９５７−５０−６、８９９５７−５３−９、８９９５７−５３−９、８９９５７−５４−０、８９９５７−５５−１、８９９５７−５６−２、８９９５７−５７−３、８９９５７−５８−４、８９９５７−５９−５、８９９５７−６０−８、８９９５７−６２−０、８９９５７−６４−２、８９９５７−６５−３、８９９５７−６６−４、８９９５７−６７−５、８９９５７−６８−６、８９９５７−６９−７、８９９５７−７３−３、８９９５７−７４−４、８９９５７−７６−６、８９９５７−７７−７、８９９５７−７９−９、８９９５７−８０−２、８９９５７−８２−４、８９９５７−８２−４、８９９５７−８３−５、８９９５７−８４−６、８９９５７−８６−８、８９９５７−８７−９、８９９５７−８８−０、８９９５７−９１−５、８９９５７−９１−５、８９９５７−９１−５、８９９５７−９２−６、８９９５７−９３−７、８９９５７−９７−１、８９９５７−９９−３、８９９５７−９９−３、８９９５８−０８−７、８９９５８−０８−７、８９９５８−０９−８、８９９５８−０９−８、８９９５８−１２−３、８９９５８−１６−７、８９９５８−１７−８、８９９５８−１８−９、８９９５８−１９−０、８９９５８−２０−３、８９９５８−２５−８、８９９５８−２６−９、８９９５８−２８−１、８９９５８−３０−５、８９９５８−３１−６、８９９５８−３３−８、８９９９７−３１−９、８９９９７−３２−０、８９９９７−３３−１、８９９９７−３４−２、８９９９７−３４−２、８９９９７−３４−２、８９９９７−３５−３、８９９９７−３５−３、８９９９７−３５−３、８９９９７−３５−３、８９９９７−３５−３、８９９９７−３５−３、８９９９７−３６−４、８９９９７−３７−５、８９９９７−３８−６、８９９９７−４０−０、８９９９７−４１−１、８９９９７−４３−３、８９９９７−４６−６、８９９９７−４８−８、８９９９７−４９−９、８９９９７−５０−２、８９９９７−５１−３、８９９９７−５３−５、８９９９７−５３−５、８９９９７−５４−６、８９９９７−５５−７、８９９９７−５６−８、８９９９７−５６−８、８９９９７−５６−８、８９９９７−５９−１、８９９９７−５９−１、８９９９７−５９−１、８９９９７−６４−８、８９９９７−６５−９、８９９９７−６５−９、８９９９７−６５−９、８９９９７−６５−９、８９９９７−６５−９、８９９９７−６８−２、８９９９７−７０−６、８９９９７−７１−７、８９９９７−７２−８、８９９９７−７３−９、８９９９７−７３−９、８９９９７−７５−１、８９９９７−８１−９、８９９９７−８２−０、８９９９７−８２−０、８９９９７−８３−１、８９９９７−８４−２、８９９９７−９１−１、８９９９７−９６−６、８９９９８−０１−６、８９９９８−０６−１、８９９９８−０７−２、８９９９８−０８−３、８９９９８−０９−４、８９９９８−１０−７、８９９９８−１１−８、８９９９８−１４−１、８９９９８−１４−１、８９９９８−１４−１、８９９９８−１４−１、８９９９８−１４−１、８９９９８−１６−３、８９９９８−１８−５、８９９９８−１９−６、８９９９８−２０−９、８９９９８−２７−６、９００２７−８８−６、９００２７−９０−０、９００２７−９２−２、９００２７−９３−３、９００２７−９４−４、９００２７−９５−５、９００２８−０３−８、９００２８−０３−８、９００２８−０３−８、９００２８−０３−８、９００２８−０６−１、９００２８−０７−２、９００２８−０９−４、９００２８−１０−７、９００２８−１１−８、９００２８−１１−８、９００２８−１９−６、９００２８−２０−９、９００２８−２０−９、９００２８−２４−３、９００２８−２５−４、９００２８−３３−４、９００２８−３４−５、９００２８−３７−８、９００２８−３９−０、９００２８−４０−３、９００２８−４２−５、９００２８−４３−６、９００２８−４５−８、９００２８−４９−２、９００２８−５０−５、９００２８−５１−６、９００２８−５２−７、９００２８−５２−７、９００２８−５３−８、９００２８−５４−９、９００２８−５５−０、９００２８−５５−０、９００２８−５５−０、９００２８−５６−１、９００２８−５７−２、９００２８−５８−３、９００２８−６１−８、９００２８−６２−９、９００２８−６３−０、９００２８−６４−１、９００２８−６４−１、９００２８−６８−５、９００２８−６９−６、９００２８−７０−９、９００２８−７１−０、９００２８−７２−１、９００２８−７３−２、９００２８−７４−３、９００２８−７４−３、９００２８−７５−４、９００２８−７６−５、９００２８−８０−１、９００２８−８２−３、９００２８−８４−５、９００４５−２０−８、９００４５−２１−９、９００４５−２３−１、９００４５−２５−３、９００４５−２６−４、９００４５−２７−５、９００４５−２８−６、９００４５−３０−０、９００４５−３２−２、９００４５−３３−３、９００４５−３４−４、９００４５−３５−５、９００４５−３６−６、９００４５−３６−６、９００４５−３６−６、９００４５−３８−８、９００４５−３９−９、９００４５−４３−５、９００４５−４３−５、９００４５−４３−５、９００４５−４５−７、９００４５−４５−７、９００４５−４６−８、９００４５−４７−９、９００４５−４７−９、９００４５−４８−０、９００４５−５２−６、９００４５−５６−０、９００４５−５６−０、９００４５−５６−０、９００４５−５７−１、９００４５−５８−２、９００４５−６４−０、９００４５−６５−１、９００４５−６８−４、９００４５−６９−５、９００４５−７０−８、９００４５−７８−６、９００４５−８１−１、９００４５−８１−１、９００４５−８２−２、９００４５−８８−８、９００４５−８９−９、９００４５−８９−９、９００４５−８９−９、９００４５−９０−２、９００４５−９２−４、９００４５−９３−５、９００４５−９３−５、９００４５−９５−７、９００４５−９６−８、９００４６−０１−８、９００４６−０４−１、９００４６−０５−２、９００４６−１０−９、９００４６−１０−９、９００４６−１５−４、９００４６−１６−５、９００４６−１９−８、９００４６−２０−１、９００６３−３７−９、９００６３−３７−９、９００６３−３７−９、９００６３−３７−９、９００６３−３７−９、９００６３−３７−９、９００６３−３７−９、９００６３−３７−９、９００６３−３７−９、９００６３−４０−４、９００６３−４１−５、９００６３−４１−５、９００６３−４２−６、９００６３−４３−７、９００６３−４４−８、９００６３−４６−０、９００６３−４７−１、９００６３−４８−２、９００６３−５２−８、９００６３−５２−８、９００６３−５３−９、９００６３−５４−０、９００６３−５５−１、９００６３−５７−３、９００６３−６０−８、９００６３−６１−９、９００６３−６２−０、９００６３−６４−２、９００６３−６５−３、９００６３−７１−１、９００６３−７１−１、９００６３−７２−２、９００６３−７３−３、９００６３−７６−６、９００６３−７６−６、９００６３−７８−８、９００６３−７９−９、９００６３−８０−２、９００６３−８４−６、９００６３−８５−７、９００６３−８５−７、９００６３−８６−８、９００６３−８６−８、９００６３−８９−１、９００６３−９０−４、９００６３−９５−９、９００６３−９６−０、９００６３−９８−２、９００６３−９９−３、９００６３−９９−３、９００６４−００−９、９００６４−０４−３、９００６４−０５−４、９００６４−０６−５、９００６４−０６−５、９００６４−０６−５、９００６４−０７−６、９００６４−０７−６、９００６４−１０−１、９００６４−１１−２、９００６４−１３−４、９００６４−１３−４、９００６４−１３−４、９００６４−１５−６、９００６４−２５−８、９００６４−２６−９、９００６４−２７−０、９００６４−２８−１、９００８２−３９−６、９００８２−４３−２、９００８２−５１−２、９００８２−５５−６、９００８２−５８−９、９００８２−５９−０、９００８２−６０−３、９００８２−６０−３、９００８２−６０−３、９００８２−６０−３、９００８２−６０−３、９００８２−６７−０、９００８２−７７−２、９００８２−８１−８、９００８２−８７−４、９００８２−８７−４、９００８２−９８−７、９００８３−００−４、９００８３−０５−９、９００８３−０５−９、９００８３−０９−３、９００８３−０９−３、９０１０５−８９−８、９０１０５−８９−８、９０１０５−９２−３、９０１０５−９４−５、９０１０５−９４−５、９０１０６−０３−９、９０１０６−０５−１、９０１０６−２０−０、９０１０６−２５−５、９０１０６−２５−５、９０１０６−２６−６、９０１０６−２７−７、９０１０６−２７−７、９０１０６−２８−８、９０１０６−２９−９、９０１０６−３０−２、９０１０６−３２−４、９０１０６−３２−４、９０１０６−３４−６、９０１０６−３５−７、９０１０６−３８−０、９０１０６−３８−０、９０１０６−３８−０、９０１０６−４８−２、９０１０６−４９−３、９０１０６−５０−６、９０１０６−５７−３、９０１０６−５９−５、９０１０６−６５−３、９０１０６−６５−３、９０１０６−６７−５、９０１０６−６８−６、９０１０６−６８−６、９０１０６−８２−４、９０１０６−８４−６、９０１３１−１０−５、９０１３１−１０−５、９０１３１−１１−６、９０１３１−１５−０、９０１３１−２１−８、９０１３１−２４−１、９０１３１−２４−１、９０１３１−２４−１、９０１３１−３０−９、９０１３１−３０−９、９０１３１−３４−３、９０１３１−３４−３、９０１３１−３５−４、９０１３１−３６−５、９０１３１−４５−６、９０１３１−５５−８、９０１３１−５５−８、９０１３１−５９−２、９０１３１−６３−８、９０１３１−６３−８、９０１３１−６３−８、９０１３１−６３−８、９０１３１−６８−３、９０１３１−８７−６、９０１３１−８８−７、９０１３
１−８９−８、９０１３１−９０−１、９０１３１−９８−９、９０１３１−９８−９、９０１４７−３６−７、９０１４７−３６−７、９０１４７−３６−７、９０１４７−３６−７、９０１４７−３６−７、９０１４７−３６−７、９０１４７−３９−０、９０１４７−４３−６、９０１４７−４３−６、９０１４７−４５−８、９０１４７−４９−２、９０１４７−４９−２、９０１４７−５０−５、９０１４７−５１−６、９０１４７−５２−７、９０１４７−５３−８、９０１４７−５５−０、９０１４７−５７−２、９０１４７−５８−３、９０２０１−２８−８、９０２４４−８４−１、９０２４４−８４−１、９０２４４−８４−１、９０２４４−８５−２、９０２４４−９６−５、９０２４４−９９−８、９０２４４−９９−８、９０３２０−１０−８、９０３２０−１２−０、９０３２０−２１−１、９０３２０−２４−４、９０３２０−２５−５、９０３２０−２９−９、９０３２０−３０−２、９０３２０−３１−３、９０３２０−３５−７、９０３２０−３８−０、９０３２０−３９−１、９０３２０−４０−４、９０３２０−４１−５、９０３２０−４２−６、９０３２０−４２−６、９０３２０−４２−６、９０３２０−４３−７、９０３２０−４４−８、９０３２０−４６−０、９０３２０−４７−１、９０３２０−４８−２、９０３２０−５４−０、９０３２０−５６−２、９０３９７−３６−７、９０６０４−３０−１、９０６０４−４７−０、９０６０４−５０−５、９０６６９−５７−１、９０７３１−５６−９、９０８７９−０６−４、９０９９０−０８−２、９０９９０−１５−１、９１０３１−５８−２、９１０５０−８２−７、９１０５２−０３−８、９１０５２−６８−５、９１０５２−６９−６、９１０５２−７０−９、９１０５２−７１−０、９１０５２−７２−１、９１０５２−７３−２、９１０５２−９２−５、９１０８２−９１−６、９１４１８−２５−６、９１６９７−２０−０、９１６９７−２１−１、９１６９７−２２−２、９１６９７−９２−６、９１６９７−９３−７、９１７２１−６３−０、９１７２１−６３−０、９１７２１−６９−６、９１７２１−７０−９、９１７２１−７１−０、９１７２１−７２−１、９１７２１−７６−５、９１７２２−１９−９、９１７２２−２１−３、９１７２２−２１−３、９１７２２−２２−４、９１７２２−２９−１、９１７２２−３９−３、９１７２２−４７−３、９１７２２−４７−３、９１７２２−５８−６、９１７２２−５８−６、９１７２２−５８−６、９１７２２−６９−９、９１７２２−８１−５、９１７２３−３９−６、９１７２３−４１−０、９１７２３−４５−４、９１７２３−４６−５、９１７２３−５１−２、９１７２３−５２−３、９１７４５−０７−２、９１７４５−１２−９、９１７４５−２０−９、９１７４５−２１−０、９１７４５−６３−０、９１７４５−６４−１、９１７４５−６５−２、９１７４５−７１−０、９１７４５−７１−０、９１７４５−７１−０、９１７４５−７１−０、９１７４５−７３−２、９１７４５−８２−３、９１７４５−８８−９、９１７４５−９０−３、９１７４５−９２−５、９１７４５−９９−２、９１７４６−００−８、９１７４６−０１−９、９１７４６−０２−０、９１７７０−０８−０、９１７７０−１２−６、９１７７０−１２−６、９１７７０−１４−８、９１７７０−１４−８、９１７７０−１７−８、９１７７０−１８−２、９１７７０−１９−３、９１７７０−２０−６、９１７７０−２１−７、９１７７０−２２−８、９１７７０−２３−９、９１７７０−２３−９、９１７７０−２４−０、９１７７０−３８−６、９１７７０−４７−７、９１７７０−４８−８、９１７７０−４８−８、９１７７０−４８−８、９１７７０−５１−３、９１７７０−７５−１、９１７７０−８１−９、９１７７０−８３−１、９１７７０−８３−１、９１７７０−８８−６、９１７７０−８８−６、９１７７０−９１−１、９１７７０−９２−２、９１７７１−２２−１、９１７７１−２３−２、９１７７１−２４−３、９１７７１−２５−４、９１７７１−２６−５、９１７７１−３４−５、９１７７１−３６−７、９１７７１−４１−４、９１７７１−４６−９、９１７７１−４６−９、９１７７１−４９−２、９１７７１−５０−５、９１７７１−５０−５、９１７７１−５１−６、９１７７１−５１−６、９１７７１−５３−８、９１７７１−５５−０、９１７７１−５６−１、９１７７１−５７−２、９１７７１−６３−０、９１７７１−６６−３、９１７７１−６７−４、９１７７１−６９−６、９１７７１−７３−２、９１８４４−８２−５、９１８４４−８７−０、９１８４４−８８−１、９１８４４−９２−７、９１８４４−９２−７、９１８４４−９４−９、９１８４５−２５−９、９１８４５−３５−１、９１８４５−３５−１、９１８４５−３５−１、９１８４５−３５−１、９１８４５−４８−６、９１８４５−４８−６、９１８４５−５３−３、９１８４５−５８−８、９１８４５−６０−２、９１８４５−６１−３、９１８４５−６３−５、９１８４５−６４−６、９１８４５−６５−７、９２０１５−６５−１、９２１１２−６９−１、９２１１３−０５−８、９２１１３−０７−０、９２１１３−０９−２、９２１１３−３４−３、９２１１３−３９−８、９２１２８−８２−０、９２１２８−８３−１、９２１２８−８４−２、９２１２８−８６−４、９２１２９−３８−９、９２１２９−９８−１、９２２０１−１４−４、９２２０１−４３−９、９２２０１−４４−０、９２２０１−４５−１、９２２０１−４７−３、９２２０１−４８−４、９２２０１−４９−５、９２２０１−５６−４、９２２０１−５６−４、９２２０１−５７−５、９２２０１−６２−２、９２２０１−６３−３、９２２０１−６５−５、９２２０１−６５−５、９２２０１−６６−６、９２２０１−６６−６、９２２０１−７９−１、９２２０１−８０−４、９２２０１−９０−６、９２２０１−９５−１、９２２０１−９６−２、９２２０２−０４−５、９２２０２−２４−９、９２２０２−２４−９、９２２０２−２４−９、９２２０２−４５−４、９２２０２−４８−７、９２３３２−３１−５、９２３３２−３１−５、９２３３２−３２−６、９２３４６−８２−２、９２３４６−８３−３、９２３４６−８６−６、９２３４６−８７−７、９２３４６−９４−６、９２３４６−９６−８、９２３４６−９７−９、９２３４６−９７−９、９２３４６−９８−０、９２３４６−９９−１、９２３４７−００−７、９２３４７−０１−８、９２３４７−１１−０、９２３４７−１２−１、９２３４７−１３−２、９２３４７−２１−２、９２３４７−３２−５、９２３７２−０５−９、９２４５６−６３−８、９２４５６−６３−８、９２４５６−６６−１、９２４５６−６６−１、９２４５６−６６−１、９２４５６−６７−２、９２４５６−６８−３、９２４５６−６９−４、９２４５６−７４−１、９２４５６−８２−１、９２４５６−８２−１、９２４５６−８３−２、９２４５６−８４−３、９２４５６−８５−４、９２４５６−８５−４、９２４５６−９９−０、９２４５７−０９−５、９２４５７−１０−８、９２４５７−１８−６、９２４５７−２６−６、９２４５７−３９−１、９２４５７−４５−９、９２４５７−４９−３、９２４５７−５０−６、９２５０２−６２−０、９２５０２−６５−３、９２５０２−６６−４、９２５８５−０８−５、９２６２３−７４−０、９２６２３−７６−２、９２７０４−００−２、９２７０４−０６−８、９２７０４−３７−５、９２７２９−５５−０、９２７９７−２７−８、９２７９７−３６−９、９２８７４−９６−９、９２８７４−９８−１、９２８７５−００−８、９２８７５−０４−２、９２８７５−０５−３、９２８７５−０６−４、９２９００−６７−９、９３００２−３８−１、９３０２８−５８−１、９３０６２−６１−４、９３０６２−６６−９、９３０６２−７１−６、９３０６２−７６−１、９３０６２−８５−２、９３１６４−８３−１、９３１６４−８７−５、９３１６４−８８−６、９３１６４−８９−７、９３１６４−９１−１、９３１６４−９２−２、９３１６４−９３−３、９３１６４−９７−７、９３１６５−０１−６、９３１６５−０３−８、９３１６５−１１−８、９３１６５−１１−８、９３１６５−１７−４、９３１６５−２３−２、９３１６５−３９−０、９３１６５−４０−３、９３１６５−４０−３、９３１６５−４１−４、９３１６５−４２−５、９３１６５−５１−６、９３１６５−５１−６、９３１６５−５３−８、９３１６５−５４−９、９３１６５−６４−１、９３１６５−６６−３、９３１６５−６６−３、９３１６５−８１−２、９３１６５−８１−２、９３１６５−８１−２、９３１６５−８１−２、９３１６５−８１−２、９３１６５−８６−７、９３３３３−７５−６、９３３３３−７６−７、９３３３３−７７−８、９３３３３−８１−４、９３３３３−８４−７、９３３３３−８７−０、９３３３３−９４−９、９３３３４−２９−３、９３３３４−３７−３、９３３３４−４３−１、９３３３４−４８−６、９３３４７−９７−８、９３３４８−００−６、９３３４８−０１−７、９３３４８−０６−２、９３３４８−０７−３、９３３４８−１３−１、９３３４８−１４−２、９３３４８−１７−５、９３３４８−３５−７、９３３４８−４８−２、９３３４８−５９−５、９３３４８−６５−３、９３３４８−６６−４、９３３８４−２５−９、９３３８４−２８−２、９３３８４−２８−２、９３４５５−６９−７、９３４５５−７３−３、９３４５５−７５−５、９３４５５−９５−９、９３５７１−８２−５、９３５７２−５３−３、９３６８５−３４−８、９３６８５−３５−９、９３６８５−３６−０、９３６８５−４４−０、９３６８５−４５−１、９３６８５−４６−２、９３６８５−５５−３、９３６８５−６１−１、９３６８５−６２−２、９３６８５−８９−３、９３６８５−８９−３、９３６８５−９３−９、９３６８５−９４−０、９３６８５−９５−１、９３６８５−９６−２、９３６８５−９６−２、９３６８６−２２−７、９３６８６−２２−７、９３７６２−２４−４、９３７６２−３４−６、９３７６２−３５−７、９３７６３−０３−２、９３７６３−９５−２、９３７７７−７０−９、９３８０４−６４−９、９３８０５−２３−３、９３８０５−３５−７、９３８０５−７２−２、９３８３９−０５−５、９３８４３−２９−９、９３８５９−１７−７、９３８５９−１８−８、９３８５９−１９−９、９３８９２−０６−９、９３８９２−０９−２、９３８９３−９１−５、９３９０４−３８−２、９３９０５−０３−４、９３９１７−７４−９、９３９１９−００−７、９３９１９−０４−１、９３９１９−１３−２、９３９１９−８９−２、９３９４０−６１−５、９３９５１−３５−０、９３９６３−１１−２、９３９６４−７７−３、９３９８０−９０−６、９４０２１−３９−３、９４０２１−４２−８、９４０２１−４３−９、９４０２１−７８−０、９４０２１−９６−２、９４０２１−９７−３、９４０２２−０４−５、９４０２２−０６−７、９４０２２−０７−８、９４０２２−３２−９、９４０２２−３３−０、９４０７１−１２−２、９４０８７−２４−８、９４０８７−８３−９、９４０８７−８４−０、９４０８８−１２−７、９４０８８−２７−４、９４０８８−３３−２、９４０８８−３４−３、９４０８９−０１−７、９４０８９−０２−８、９４０８９−２１−１、９４０８９−２２−２、９４０８９−２３−３、９４０９４−６２−９、９４１０９−５０−９、９４１０９−９６−３、９４１０９−９７−４、９４１０９−９８−５、９４１０９−９９−６、９４１３３−４３−４、９４１３３−５５−８、９４１３３−５７−０、９４１３３−９２−３、９４１３４−０３−９、９４１３５−０８−７、９４１５９−２９−２、９４１５９−３１−６、９４１５９−３２−７、９４１６６−８９−９、９４１６６−９０−２、９４１６６−９２−４、９４１６６−９７−９、９４１６６−９８−０
、９４１６６−９９−１、９４１６７−００−７、９４１６７−１３−２、９４１６７−１４−３、９４２００−０９−６、９４２００−１０−９、９４２００−１３−２、９４２０１−３４−０、９４２０１−６３−５、９４２０１−６４−６、９４２０１−６９−１、９４２０２−１５−０、９４２３１−５０−２、９４２４７−１５−１、９４２４８−１３−２、９４２６５−９７−１、９４２６５−９８−２、９４２６５−９９−３、９４２６６−４７−４、９４２６６−４７−４、９４２７８−２１−４、９４２７８−２５−８、９４２７８−２６−９、９４２７８−２７−０、９４２７９−６１−５、９４２７９−６６−０、９４２７９−６８−２、９４２７９−７７−３、９４２７９−７８−４、９４２７９−８０−８、９４２７９−８４−２、９４２７９−８７−５、９４２７９−９５−５、９４２７９−９５−５、９４２７９−９９−９、９４２８０−１４−５、９４２８０−１５−６、９４２９３−５７−９、９４３３３−６６−１、９４３３３−９２−３、９４３３３−９３−４、９４３３４−００−６、９４３３４−０４−０、９４３３４−０９−５、９４３３４−３２−４、９４３４９−６２−９、９４３４９−６４−１、９４３４９−６９−６、９４３４９−７３−２、９４３４９−７９−８、９４３４９−８１−２、９４３４９−８１−２、９４３４９−８１−２、９４３４９−８１−２、９４３４９−８５−６、９４３８６−３９−７、９４４４１−９９−３、９４４６５−７３−３、９４４６５−７５−５、９４４６５−８１−３、９４５８１−２４−５、９４６２４−０７−４、９４８９１−１７−５、９４８９１−１８−６、９４８９１−２１−１、９４８９１−２２−２、９４８９１−２３−３、９４８９１−２４−４、９４８９１−２７−７、９４８９１−２７−７、９４８９１−２７−７、９４８９１−２７−７、９４８９１−２８−８、９４８９１−２８−８、９４９１８−９７−５、９４９４４−８９−５、９５００８−９４−９、９５００８−９５−０、９５１９３−５３−６、９５１９３−６４−９、９５１９３−６７−２、９５１９３−６８−３、９５３７１−１４−５、９６０９７−１８−６、９６６９０−５６−１、９６６９０−５６−１、９６６９０−５６−１、９６６９０−５６−１、９６６９０−５８−３、９７１５８−３８−８、９７２３１−３５−１、９７２８１−１２−４、９７２８１−１４−６、９７２８１−１５−７、９７２８１−１６−８、９７２８１−３５−１、９７２８１−４２−０、９７２８１−４２−０、９７２８１−４３−１、９７２８１−５５−５、９７４０４−５３−０、９７４０４−５３−０、９７４０４−５３−０、９７４０４−５３−０、９７４１６−８７−０、９７４３５−００−２、９７４３５−０１−３、９７４３５−０４−６、９７４３５−０５−７、９７４３５−０７−９、９７４３５−０８−０、９７４３５−０９−１、９７４３５−１１−５、９７４３５−１２−６、９７４３５−１３−７、９７４３５−１５−９、９７４３５−１６−０、９７４８９−１１−７、９７５５２−８９−１、９７５５２−９７−１、９７５５２−９８−２、９７５５３−３０−５、９７５５３−３７−２、９７５５３−３８−３、９７５５３−４７−４、９７５５３−５４−３、９７５５３−５５−４、９７５５３−５６−５、９７５５３−５７−６、９７５５３−５８−７、９７５９３−０５−０、９７５９３−０６−１、９７５９３−１３−０、９７５９３−１３−０、９７５９３−２０−９、９７５９３−２９−８、９７５９３−４０−３、９７５９３−５２−７、９７５９３−５４−９、９７６１５−８２−２、９７６５９−４９−９、９７６５９−６１−５、９７６５９−６３−７、９７６５９−６４−８、９７６５９−６８−２、９７６５９−６８−２、９７６５９−７１−７、９７６５９−８９−７、９７６６０−１９−０、９７６７５−５１−９、９７６７５−５２−０、９７６７５−５２−０、９７６７５−５６−４、９７６７５−５７−５、９７６７５−５９−７、９７６７５−７０−２、９７６７５−７３−５、９７６７５−７４−６、９７６７５−７４−６、９７６７５−７４−６、９７６７５−７５−７、９７６７５−７６−８、９７６７５−７８−０、９７６７５−８２−６、９７６７５−８３−７、９７６７５−８４−８、９７６７５−９８−４、９７６７６−１０−３、９７６７６−１３−６、９７６７６−１３−６、９７６７６−１９−２、９７６７６−２２−７、９７６７６−２２−７、９７６７６−２２−７、９７６９２−５６−３、９７７２１−８６−３、９７７２１−８７−４、９７７２１−８９−６、９７７２１−９０−９、９７７２１−９１−０、９７７２１−９２−１、９７７２１−９３−２、９７７２１−９４−３、９７７２１−９５−４、９７７２２−０３−７、９７７２２−２０−８、９７７２２−２６−４、９７７６５−５４−３、９７７６５−５６−５、９７７６５−５７−６、９７７６５−６０−１、９７７６５−６１−２、９７７６５−６２−３、９７７６５−７２−５、９７７６５−７３−６、９７７６５−８０−５、９７７６６−２４−０、９７７６６−３０−８、９７８４４−１６−１、９７８６１−８２−０、９７８６６−８６−９、９７８９０−１３−６、９７９２６−０９−５、９７９２６−１６−４、９７９２６−１７−５、９７９２６−２３−３、９７９２６−２７−７、９７９２６−２８−８、９７９２６−３２−４、９７９２６−３３−５、９７９２６−４２−６、９７９２６−６５−３、９７９２６−６６−４、９７９２７−０３−２、９７９２７−０４−３、９７９２７−０５−４、９７９２７−０６−５、９７９５２−４８−２、９７９５２−４９−３、９７９５２−５２−８、９７９５２−５３−９、９７９５２−５４−０、９７９５２−５５−１、９７９５２−５６−２、９７９５２−５７−３、９７９５２−５９−５、９７９５２−６２−０、９７９５２−７１−１、９８０７２−０２−７、９８０８４−７９−８、９８１４３−５９−０、９８１４３−６２−５、９８１４３−６６−９、９８１４３−６７−０、９８１４３−６９−２、９８１４３−７０−５、９８３０６−００−４、９８３０６−０１−５、９８３１４−９８−８、９８３９５−７２−３、９８３９５−７３−４、９８３９５−７４−５、９８５６１−４４−５、９８６５３−８０−６、９８６５３−８５−１、９８６５３−８６−２、９８６５４−０８−１、９８６５４−０９−２、９９２５３−９１−５、９９５８３−２９−６、９９９１０−８４−６、１０００８４−８９−７、１０００８４−８９−７、１０００８４−８９−７、１０００８４−８９−７、１０００８４−９６−６、１０００８５−３９−０、１０００８５−５１−６、１００２０９−２２−１、１００２０９−２３−２、１００２０９−４１−４、１００２０９−５０−５、１００２９８−７３−５、１００２９９−０４−５、１００４０３−１４−３、１００４０３−１７−６、１００４０３−６０−９、１００５７３−９１−９、１００７４３−６８−８、１０１４１７−２５−８、１０１４２６−３１−７、１０１５１７−８７−７、１０１７８０−７３−８、１０１８５３−４７−８、１０２２４２−６２−６、１０２３２２−８３−８、１０２３６９−０６−２、１０３７９８−６８−１、１０３７９８−６９−２、１０３７９８−７０−５、１０４２２８−５１−５、１０４６９１−４０−９、１０４６９１−４１−０、１０８４９９−３３−８、１０８７６６−１６−１、１０９５３７−５５−５、１１０８２３−６６−０、１１３４８６−２９−６、１１４０９９−９６−６、１１５４２２−５９−８、１１５８６９−７６−６、１１６５０５−６０−３、１１６９６３−９７−４、１１７０１３−３３−９、１１８８６９−６２−８、１２１１９９−２８−８、１２１４３２−３３−５、１２１７４６−１８−７、１２２３３４−９３−４、１２２３８４−７５−２、１２２３９７−９６−０、１２２８６１−７８−３、１２７２４８−８４−４、１２７９３１−２１−９、１２８３３１−４５−３、１２８３３１−４８−６、１２８３３１−４９−７、１２９３１６−６５−０、１２９３１９−１５−９、１２９８２８−２９−１、１３２９４０−７３−９、１３３４４７−３７−７、１３３８６０−４２−１、１３４３５９−１５−２、１３４４５４−３１−２、１３６１１５−６５−６、１３６１１５−６６−７、１３６９５４−２０−６、１３６９５４−２１−７、１３６９５４−２２−８、１３６９５４−２５−１、１３７４４３−１８−６、１３９５６４−４２−４、１３９５６４−４３−５、１３９６９３−２４−６、１４２８９６−０９−１、１４２８９６−１１−５、１４２８９６−１２−６、１４３７６４−２８−７、１５０４３６−６８−３、１５０７６７−８８−７、１５３１７５−５７−６、１５５６３９−７５−１、１５６３２４−７８−６、１５６３２４−８２−２、１５６４２０−６９−８、１５６４７２−９４−５、１５６６７９−３９−９、１５９１１３−１７−４、１６３０３８−０４−８、１６３０３８−０４−８、１６３２６６−１７−９、１６４５２４−９３−０、１６５１９１−９１−３、１６９０５４−６９−７、１７０６７８−４９−６、１７２２０１−５８−０、１８００３１−７８−１、１８０３４８−６０−１、１８０９６４−４７−０、１８３８１５−５２−３、１８８４１７−２６−７、１８８５９０−６２−７、１９５８６３−８４−４、１９６１０９−１８−９、１９７０９８−６１−６、１９８４０４−９８−７、２０２１８８−４３−０、２０２１８８−４６−３、２０３７１９−５３−３、２０３７１９−５４−４、２０７８０１−３２−９、２０７９８３−２８−６、２１１２４１−６８−８、２１１３２３−０５−６、２１４２２０−８５−６、２２０６２１−２２−７、２２３７４８−３４−３、２２７４５６−２７−１、２２７４５６−２８−２、２２７４５６−３３−９、２３３６６５−９０−２、２３３６６５−９１−３、２３３６６５−９６−８、２３３６６５−９８−０、２３３６６６−０３−０、２３３６６６−０４−１、２３３６６６−０９−６、２３８７５７−２７−２、２３８７５７−３０−７、２３８７５７−３５−２、２３８７５７−４２−１、２３８７５７−６３−６、２３８７５７−６５−８、２３８７５７−７１−６、２４６１６６−０３−０、２４６５１１−７４−０、２５２７３６−３６−０、２５２７３６−３９−３、２５２７３６−４０−６、２５２７３６−４１−７、２５３５９６−７０−２、２５３５９６−９９−５、２５３６７９−７４−２、２５８８２３−３９−１、３０８０６５−１５−８、３０８０６８−４２−０、３２４７４２−９６−３、３３３３８４−９９−９、３７６５９５−４２−５、４０００５２−４９−５、４０６１７９−７１−３、４０６７００−８０−９、４３７７７０−２８−０、４４４０８５−４２−１、４６２６３１−４５−４、４７９５４７−５７−４、５４４４０９−５８−７、５４４７１４−０８−１、５４８７７４−８０−７、５６３１８７−９１−７、６０８５１４−５５−２、６０８５１４−５６−３、６１２０７１−２７−９、６４８４３４−５５−３、６８６２９８−９３−１、６９７２９０−７６−９、７１４２２９−２０−６、７２３７５９−６２−４、７４４２５１−９３−２、７４５０４７−５１−２、７４５０４７−５３−４、７４５０４７−９４−３、７４５０４７−９７−６、７８１６７４−１８−８、７８２４９８−０３−７、７９１８０７−２０−０、７９２９３３−１４−３、７９６８５７−７９−９、８２７０２４−５３−３、８３１２１３−７２−０、８４７５６５−０９−７、８５０３０９−４５−４、８５１７６８−５１−９、８５１７６８−５２−０、８５２３７９−２８−３、８５２９９７−２８−５、８５２９９７−３０−９、８５３９４７−３６−１、８５３９４７−４７−４、８７１４６５−４９−５、８７６７４８−６０−６、８７９４９６−９５−４、８８３２１５−０２−９、８８８０２１−８２−７、８９１７８１−９０−１、８９６４４７−１３−５、８９６４４７−
１４−６、８９７６３０−９６−５、９０６０７９−６３−８、９１５９７１−４３−６、９１７７５０−７２−２、９２３２９１−２９−６、９２３５９３−５６−０、９２３５９３−５７−１、９２９１１６−０８−５、９２９２２２−９６−８、９３０５８７−７６−１、９５５３７１−６４−９、９５７１３６−８０−０、９５８６６０−０２−１、９５８６６０−０４−３、９７７０００−１６−０、９７７０００−６６−０、９７７０００−８２−０、９７７００１−１３−０、９７７００１−３８−９、９７７００１−６３−０、９７７００１−８２−３、９７７００１−９３−６、９７７００２−３６−０、９７７００２−４４−０、９７７００２−６１−１、９７７００４−０６−０、９７７００４−０６−０、９７７００４−０６−０、９７７００５−９５−０、９７７００５−９５−０、９７７００７−６５−０、９７７００７−７２−９、９７７００７−７５−２、９７７００７−７９−６、９７７００７−８１−０、９７７００７−８１−０、９７７００７−８５−４、９７７０１７−８１−４、９７７０１７−８２−５、９７７０１７−８４−７、９７７０１８−１９−１、９７７０１８−２１−５、９７７０１８−５３−３、９７７０２３−２２−５、９７７０２９−６６−５、９７７０２９−６８−７、９７７０２９−７５−６、９７７０２９−７６−７、９７７０３８−７５−７、９７７０３８−８０−４、９７７０３８−８５−９、９７７０３８−８６−０、９７７０４８−４７−７、９７７０５０−１５−９、９７７０５０−１５−９、９７７０５０−６０−４、９７７０５０−８７−５、９７７０５１−０１−６、９７７０５１−１４−１、９７７０５１−２２−１、９７７０５１−２３−２、９７７０５１−３９−０、９７７０５１−５８−３、９７７０５１−６３−０、９７７０５１−７２−１、９７７０５１−８８−９、９７７０５１−９０−３、９７７０５１−９４−７、９７７０５１−９８−１、９７７０５１−９９−２、９７７０５２−０３−１、９７７０５２−１６−６、９７７０５２−３２−６、９７７０５２−３６−０、９７７０５２−４４−０、９７７０５２−５７−５、９７７０５２−７３−５、９７７０５２−８１−５、９７７０５２−８２−６、９７７０６０−６６−４、９７７０７５−２３−２、９７７０７５−２３−２、９７７０８２−９９−７、９７７０８３−２４−１、９７７０８８−３８−２、９７７０８９−４１−０、９７７０９０−７４−６、９７７０９０−７４−６、９７７０９０−７８−０、９７７０９１−２４−９、９７７０９１−８３−０、９７７１０３−８０−２、９７７１３８−７０−７、９７７１５５−２９−５、９７７１８４−０１−２、９７７１８５−２９−７、９７７１８７−６５−７、９８４６５０−６３−５、１００３０５０−３２−５、１００６６８４−２０−３、１０３３３６６−５９−４、１０４８０２８−７７−８、１０４８０２８−７７−８、１０６４６７８−０８−５、１０９３２００−９２−０、１０９４００４−３９−３、１１１９７１１−２９−３、１１１９８３１−２５−２、１１２０３６３−９８−５、１１２３７５１−３９−２、１１８６００４−１０−３、１１９０２２９−３７−８、１１９０２３０−４７−７、１１９２７３８−４８−９、１１９７９９１−１７−５、１２１７３４１−４８−４、１２５６９３２−１５−６、５２−５１−７、５６−２３−５、５６−３５−９、５６−６９−９、６８−１２−２、７１−４８−７、７４−３１−７、７５−９１−２、７７−５８−７、７９−０７−２、７９−７４−３、８０−１５−９、８０−３０−８、８０−４３−３、８３−４６−５、８３−４８−７、８４−６１−７、８４−６９−５、８４−７４−２、８４−７８−６、８５−６０−９、８５−６８−７、８５−７０−１、８７−１８−３、８８−０４−０、８９−１９−０、９７−２３−４、９８−２９−３、９９−２０−７、１０４−６８−７、１０５−７６−０、１０６−１２−７、１０９−８９−７、１１０−２２−５、１１１−６６−０、１１２−８５−６、１１７−３９−５、１１７−８１−７、１１７−８３−９、１２０−５５−８、１２０−７８−５、１２１−５４−０、１２３−４２−２、１２３−９９−９、１２６−９９−８、１３９−１２−８、１４０−０４−５、１４１−２０−８、１４３−２８−２、１５１−１３−３、４６１−５８−５、４７４−６２−４、４７４−６７−９、４７５−３１−０、５４０−５９−０、５４３−８０−６、６２７−７５−８、６３６−６１−３、９９１−８４−４、１１３５−２４−６、１３０２−７８−９、１３０４−２９−６、１３１２−７６−１、１３３３−８６−４、１７６２−９５−４、３０６４−７０−８、３２３８−４０−２、３６３４−８３−１、３７２０−９７−６、４０８０−３１−３、４１９６−８９−８、４６１８−１８−２、４７４４−４７−２、５０１２−６２−４、７４４６−７０−０、７５８５−３９−９、７６３２−５０−０、７７０５−０８−０、７７２７−４３−７、７７７３−０６−０、７７８３−１８−８、７７８５−８４−４、７７８５−８７−７、８００１−７５−０、８００１−７６−１、８００２−２６−４、８００２−８０−０、８００８−７４−０、８０２０−８４−６、８０２９−３４−３、８０２９−８１−０、８０３０−７６−０、８０４９−９８−７、８０６０−２８−４、９０００−０１−５、９０００−４０−２、９００６−５０−２、９００７−２８−７、９００７−８３−４、９００７−９０−３、９０１０−１０−０、９０２５−５７−４、９０３６−６６−２、９０５０−３６−６、１００１６−２０−３、１０１２４−３７−５、１０１９３−３６−９、１０３８０−２８−６、１１１３２−７３−３、１２００３−４９−５、１２１６７−７４−７、１２１６８−８５−３、１３７６５−３６−１、１４９８６−８４−６、１６７１５−５９−６、１７５４０−７５−９、２００１８−０９−１、２５１６８−７３−４、２５３３９−９９−５、２６４４４−４９−５、２６７６１−４０−０、２６７６２−９３−６、２７５５４−２６−３、３２６８７−７８−８、３４６１２−３８−９、３５６９１−６５−７、５１２２９−７８−８、５７５６９−４０−１、６５０７２−００−６、６６０７１−９４−１、６８４５８−８７−７、６８５１５−５０−４、６８５２５−８６−０、６８６０７−８８−５、６８６５０−４３−１、６８９９０−５３−４、６８９９０−７４−９、６８９９１−４３−５、７０９８３−５５−０、７２９６８−４７−９、７２９６８−５０−４、８４０１２−１４−６、８４０１２−１８−０、８４０１２−２４−８、８４０１２−２６−０、８４０１２−２６−０、８４０１２−２６−０、８４０１２−２６−０、８４０１２−２６−０、８４０１２−２６−０、８４０１２−３３−９、８４０１２−４３−１、８４０１２−４４−２、８４０１２−４４−２、８４０８２−３４−８、８４０８２−５５−３、８４０８２−５５−３、８４０８２−５７−５、８４１９５−４９−３、８４６０３−５８−７、８４６０３−５８−７、８４６０４−１６−０、８４６２５−２９−６、８４６２５−３４−３、８４６４９−８２−１、８４６４９−９８−９、８４６５０−００−０、８４６５０−１５−７、８４６５０−１６−８、８４６５０−５５−５、８４６５０−６０−２、８４６５０−６０−２、８４６５０−６０−２、８４６５０−６０−２、８４６５０−６０−２、８４７７５−５５−３、８４７７５−７１−３、８４７７５−９４−０、８４７７６−６６−９、８４７７６−６６−９、８４７７６−６６−９、８４７７６−６６−９、８４７７６−６６−９、８４７７６−６６−９、８４９２９−４３−１、８４９２９−６１−３、８４９２９−６１−３、８４９２９−６１−３、８４９６１−５７−９、８９９５７−８９−１、８９９５７−８９−１、８９９５７−９０−４、８９９５７−９０−４、８９９９７−３５−３、８９９９７−８２−０、８９９９８−０３−８、８９９９８−０３−８、８９９９８−０３−８、８９９９８−０３−８、８９９９８−０３−８、８９９９８−０３−８、８９９９８−０３−８、８９９９８−１４−１、８９９９８−１４−１、９００２８−２０−９、９００２８−４２−５、９００４５−４３−５、９００４５−９７−９、９００４５−９７−９、９００４５−９７−９、９００４５−９７−９、９００６３−５２−８、９００６３−８６−８、９００８２−４１−０、９００８２−８１−８、９０１０６−３９−１、９０１３１−１０−５、９０１３１−２５−２、９０１３１−２５−２、９０１３１−２５−２、９０１３１−３４−３、９０１３１−６３−８、９０１３１−６３−８、９０３２０−３７−９、９１７２２−４７−３、９１７４４−３２−０、９１７４５−１２−９、９１７７０−１２−６、９１７７０−２４−０、９１７７０−４８−８、９２２０２−２４−９、９３１６５−８１−２、９３３８４−２２−６、９３３８４−４０−８、９４３４９−９１−４、９７５９３−１３−０、９７６７６−１３−６、９８１４３−７０−５、１００６８４−２５−１、１０２２４２−６２−６から成る群から選択されるＣＡＳ番号を有する、１種または複数種の物質を含み得る。
【００７２】
本明細書で使用される場合、「約」という用語は、±１０％を指す。
【００７３】
「例示的な」という語は、本明細書では、「例、事例、または例示としての役割を果たす」ことを意味するように使用される。「例示的」であるとして記載されるどのような実施形態も、必ずしも他の実施形態よりも好ましいかもしくは有利なものとして解釈されるべきではなく、かつ／または、他の実施形態からの特徴の組み込みを除外するものではない。
【００７４】
「任意選択で」という語は、本明細書では、「ある実施形態では提供されるが他の実施形態では提供されない」ことを意味するように使用される。本発明のいずれの特定の実施形態も、複数の「任意選択の」特徴を、そのような特徴が対立しない限り含み得る。
【００７５】
「ｃｏｍｐｒｉｓｅｓ（備える、含む）」「ｃｏｍｐｒｉｓｉｎｇ（備える、含む）」「ｉｎｃｌｕｄｅｓ（含む）」「ｉｎｃｌｕｄｉｎｇ（含む）」「ｈａｖｉｎｇ（有する）」という用語、およびこれらの活用形は、「含んでいるが限定はされない」ことを意味する。
【００７６】
「から成る」という用語は、「含んでおりかつ限定される」ことを意味する。
【００７７】
「から本質的に成る」という用語は、組成、方法、または構造が、追加の原料、ステップ、および／または部分を含み得るが、ただしその追加の原料、ステップ、および／または部分が、特許請求される組成、方法、または構造の基本的かつ新規な特徴を実質的に変えない場合に限られることを意味する。
【００７８】
本明細書で使用される場合、単数形の「１つの（ａ）」、「１つの（ａｎ）」、および「その（ｔｈｅ）」は、そうではないと文脈が明白に規定しない限りは、複数の言及対象を含む。たとえば、「１つの化合物」または「少なくとも１つの化合物」という用語は、これらの混合物を含め、複数の化合物を含み得る。
【００７９】
本出願の全体にわたって、本発明の様々な実施形態が、範囲フォーマットで提示される場合がある。範囲フォーマットでの記載は、単に便利さおよび簡潔さのためであり、本発明の範囲に対する融通の利かない限定として解釈されるべきではないことが、理解されるべきである。したがって、範囲の記載は、全ての可能な下位範囲ならびにその範囲内の個々の数値を具体的に開示しているものと見なされるべきである。たとえば、１から６までのような範囲の記載は、１から３まで、１から４まで、１から５まで、２から４まで、２から６まで、３から６まで、等のような下位範囲、ならびに、その範囲内の個々の数、たとえば１、２、３、４、５、および６を、具体的に開示しているものと見なされるべきである。これは範囲の幅に関係なく適用される。
【００８０】
本明細書において数の範囲が示される場合はいつでも、示された範囲内の任意の引用された数（分数または整数）を含むことを意図している。第１の示された数と第２の示された数との「間の範囲の／範囲である」という句、および第１の示された数「から」第２の示された数「までの範囲の／範囲である」という句は、本明細書では交換可能に使用され、第１および第２の示された数ならびにこれらの間の全ての分数および整数を含むことを意図している。
【００８１】
明瞭さのために別個の実施形態の文脈で記載される本発明の特定の特徴を、単一の実施形態において組み合わせて提供してもよいことが諒解される。逆に、簡潔さのために単一の実施形態の文脈で記載される本発明の様々な特徴を、個別に、または任意の好適な下位組み合わせで、または本発明の任意の他の記載される実施形態において好適であるように、提供してもよい。様々な実施形態の文脈で記載される特定の特徴は、これらの要素がなければその実施形態が機能しないのでない限りは、これらの実施形態の必須の特徴と見なされるべきではない。
【００８２】
本発明についてその具体的な実施形態と併せて記載してきたが、多くの代替形態、修正形態、および変形形態が当業者には明らかであることは明白である。したがって、付属の特許請求の範囲の精神および広い範囲の中にある、全てのそのような代替形態、修正形態、および変形形態を包含することが意図されている。
【００８３】
本明細書において言及した全ての刊行物、特許、および特許出願は、個々の刊行物、特許、または特許出願が参照により本明細書に組み込まれることが具体的にかつ個々に示されていた場合と同じ程度まで、それらの全体が参照により本明細書に組み込まれる。加えて、本出願における任意の参考文献の引用または特定は、そのような参考文献が本発明に対する先行技術として利用可能であることを認めるものとして解釈されるものではない。項目見出しが使用される限りにおいて、これらは必然的に限定的であると解釈されるべきではない。
【図１Ａ】
2018511349.tif 000003
【図１Ｂ】
2018511349.tif 000004
【図２】
2018511349.tif 000005
【国際調査報告】
2018511349.tif 000006
2018511349.tif 000007
2018511349.tif 000008
2018511349.tif 000009
2018511349.tif 000010
2018511349.tif 000011
2018511349.tif 000012
2018511349.tif 000013
2018511349.tif 000014
2018511349.tif 000015
2018511349.tif 000016
2018511349.tif 000017
2018511349.tif 000018
2018511349.tif 000019
2018511349.tif 000020
2018511349.tif 000021
2018511349.tif 000022
2018511349.tif 000023
2018511349.tif 000024
2018511349.tif 000025
2018511349.tif 000026
2018511349.tif 000027
2018511349.tif 000028
2018511349.tif 000029
2018511349.tif 000030
2018511349.tif 000031